(57)【特許請求の範囲】
【請求項１】
人体頭部を覆って装着可能な略半球形状を有する頭部冷却用具であって、
頭部に装着された時に、該頭部に接触するシート状内面部材と、外表面側に位置するシート状表面部材と、収納部と、前記収納部の中に収納された冷却性能を有する冷却媒体と、を備え、
前記収納部は、前記シート状内面部材と、前記シート状表面部材とにより形成され、
前記冷却媒体は前記収納部に収納及び取出し可能に収納され、
前記シート状表面部材は、少なくとも、表裏方向において断熱性能を有する断熱性素材を少なくとも構成し、
前記断熱性素材は、（ｖｉ）不織布に金属薄膜を付着形成した不織布基材付金属薄膜素材、及び／又は、（ｖｉｉ）綿状断熱性不織布に金属薄膜を付着形成した金属薄膜付断熱性不織布素材を備え、
前記収納部は、前記シート状内面部材と前記シート状表面部材とにより形成されるとともに、平面方向に複数個に分割された複数個の収納部を有し、
前記冷却媒体は、複数個の冷却媒体を有し、
前記複数個の収納部のそれぞれの収納部は、
（ｉ）前記シート状表面部材、又は、（ｉｉ）前記シート状内面部材に、それぞれの収納開口部を形成し、前記それぞれの収納開口部は、それぞれの冷却媒体の出し入れが可能な形状を有し、
前記冷却媒体は前記複数個の収納部のうちの所望の収納部に収納及び取出し可能に収納され、
人体頭部に装着された時に該頭部を冷却可能に構成されてなることを特徴とする頭部冷却用具。
【請求項２】
前記シート状表面部材は積層された複数種類の表面素材より構成され、
前記複数種類の表面素材は、少なくとも、
（Ａ）表面部材最表層に構成される、所望の機能を有する所望機能性素材、
（Ｂ）表面部材中間層に構成される、断熱性能を有する断熱性素材、及び、
（Ｃ）表面部材最裏層に構成される、前記冷却媒体を収納した状態において破損なく使用可能な機械的強度を有する冷却媒体保持素材、を備え、
前記（Ｂ）表面部材中間層に構成される断熱性能を有する断熱性素材は、
前記（ｖｉ）不織布に金属薄膜を付着形成した不織布基材付金属薄膜素材、及び／又は、
前記（ｖｉｉ）綿状断熱性不織布に金属薄膜を付着形成した金属薄膜付断熱性不織布素材、を備えてなる、
ことを特徴とする請求項１に記載の頭部冷却用具。
【請求項３】
前記シート状内面部材は、表裏方向において、前記シート状表面部材よりも高い通気性能を有する通気性素材を構成し、これにより、人体頭部に装着された時に、前記収納部に収納された冷却媒体に起因する冷気を人体頭部側に伝わりやすくする機能を奏する、
ことを特徴とする請求項１または２に記載の頭部冷却用具。
【請求項４】
前記シート状表面部材は積層された複数種類の表面素材より構成され、
前記複数種類の表面素材は、少なくとも、
（Ａ）表面部材最表層に構成される、所望の機能を有する所望機能性素材、
（Ｂ）表面部材中間層に構成される、断熱性能を有する断熱性素材、及び、
（Ｃ）表面部材最裏層に構成される、前記冷却媒体を収納した状態において破損なく使用可能な機械的強度を有する冷却媒体保持素材、を備え、
前記（Ｂ）表面部材中間層に構成される断熱性能を有する断熱性素材は、
前記（ｖｉ）不織布に金属薄膜を付着形成した不織布基材付金属薄膜素材、及び／又は、
前記（ｖｉｉ）綿状断熱性不織布に金属薄膜を付着形成した金属薄膜付断熱性不織布素材、を備え、
前記シート状内面部材は、貫通孔を有する貫通孔形成素材のみを構成し、
前記冷却媒体に起因する冷気が、前記シート状表面部材の表面側に伝導することを抑制するとともに、前記貫通孔形成素材の前記貫通孔を通じて人体頭部に伝わる機能を奏する、
ことを特徴とする請求項１または２に記載の頭部冷却用具。
【請求項５】
前記シート状表面部材は積層された複数種類の表面素材より構成され、
前記複数種類の表面素材は、少なくとも、
（Ａ）表面部材最表層に構成される、所望の機能を有する所望機能性素材、
（Ｂ）表面部材中間層に構成される、断熱性能を有する断熱性素材、及び、
（Ｃ）表面部材最裏層に構成される、前記冷却媒体を収納した状態において破損なく使用可能な機械的強度を有する冷却媒体保持素材、を備え、
前記（Ｂ）表面部材中間層に構成される断熱性能を有する断熱性素材は、
前記（ｖｉ）不織布に金属薄膜を付着形成した不織布基材付金属薄膜素材、及び／又は、
前記（ｖｉｉ）綿状断熱性不織布に金属薄膜を付着形成した金属薄膜付断熱性不織布素材を備えてなり、
前記シート状内面部材は積層された複数種類の内面素材より構成され、
前記複数種類の内面素材は、少なくとも、
（Ａ）内面部材最表層に構成される、所望の機能を有する所望機能性素材、
（Ｂ）内面部材中間層に構成される、断熱性能を有する断熱性素材、及び、
（Ｃ）内面部材最裏層に構成される、前記冷却媒体を収納した状態において破損なく使用可能な機械的強度を有する冷却媒体保持素材、を備え、
前記シート状内面部材に構成される前記断熱性素材は、少なくとも、
（ｖｉ）不織布に金属薄膜を付着形成した不織布基材付金属薄膜素材、及び／又は、
（ｖｉｉ）綿状断熱性不織布に金属薄膜を付着形成した金属薄膜付断熱性不織布素材を備え、
（ａ）前記シート状表面部材に構成される前記断熱性素材と前記シート状内面部材に構成される前記断熱性素材は互いに同じ断熱性素材により構成されるとともに、前記シート状表面部材と前記シート状内面部材は互いに同じ断熱性能を有する、
ことを特徴とする請求項１に記載の頭部冷却用具。
【請求項６】
前記シート状表面部材は積層された複数種類の表面素材より構成され、
前記複数種類の表面素材は、少なくとも、
（Ａ）表面部材最表層に構成される、所望の機能を有する所望機能性素材、
（Ｂ）表面部材中間層に構成される、断熱性能を有する断熱性素材、及び、
（Ｃ）表面部材最裏層に構成される、前記冷却媒体を収納した状態において破損なく使用可能な機械的強度を有する冷却媒体保持素材、を備え、
前記（Ｂ）表面部材中間層に構成される断熱性能を有する断熱性素材は、
前記（ｖｉ）不織布に金属薄膜を付着形成した不織布基材付金属薄膜素材、及び／又は、
前記（ｖｉｉ）綿状断熱性不織布に金属薄膜を付着形成した金属薄膜付断熱性不織布素材を備えてなり、
前記シート状内面部材は積層された複数種類の内面素材より構成され、
前記複数種類の内面素材は、少なくとも、
（Ａ）内面部材最表層に構成される、所望の機能を有する所望機能性素材、
（Ｂ）内面部材中間層に構成される、断熱性能を有する断熱性素材、及び、
（Ｃ）内面部材最裏層に構成される、前記冷却媒体を収納した状態において破損なく使用可能な機械的強度を有する冷却媒体保持素材、を備え、
前記シート状内面部材に構成される前記断熱性素材は、少なくとも、
（ｖｉ）不織布に金属薄膜を付着形成した不織布基材付金属薄膜素材、及び／又は、
（ｖｉｉ）綿状断熱性不織布に金属薄膜を付着形成した金属薄膜付断熱性不織布素材を備え、
（ｂ）前記シート状表面部材に構成される前記断熱性素材と前記シート状内面部材に構成される前記断熱性素材は互いに異なる断熱性素材により構成されるとともに、前記シート状表面部材と前記シート状内面部材は互いに異なる断熱性能を有する、
ことを特徴とする請求項１に記載の頭部冷却用具。
【請求項７】
前記シート状内面部材と前記シート状表面部材の双方の部材は、
前記（ｖｉ）不織布に金属薄膜を付着形成した不織布基材付金属薄膜素材、及び／又は、
前記（ｖｉｉ）綿状断熱性不織布に金属薄膜を付着形成した金属薄膜付断熱性不織布素材を備え、
前記断熱性素材は、熱により融着して接合可能な熱融着性断熱性素材から構成され、
前記シート状内面部材と前記シート状表面部材は、
（ａ）互いに同じ断熱性素材、又は、
（ｂ）互いに異なる断熱性素材により形成され、
前記収納部は前記シート状内面部材と前記シート状表面部材との熱融着により接合されて形成されてなる、
ことを特徴とする請求項１に記載の頭部冷却用具。
【請求項８】
前記シート状表面部材に構成される前記断熱性素材は、前記（ｖｉ）不織布に金属薄膜を付着形成した不織布基材付金属薄膜素材、及び／又は、前記（ｖｉｉ）綿状断熱性不織布に金属薄膜を付着形成した金属薄膜付断熱性不織布素材に加えて、更に、（ｉ）柔軟性を有する綿状断熱性不織布素材が積層されて構成されてなり、
積層されてなる前記断熱性素材は、熱伝導を抑制する機能と輻射による熱を遮断する機能との双方の機能を奏し、
人体頭部に装着された時に該頭部を冷却可能に構成されてなることを特徴とする請求項１乃至７のいずれかに記載の頭部冷却用具。
【請求項９】
前記複数個の収納部は、
（ｉ）（Ａ）人体の額部から頭頂部を経て後頭部までを連続して覆う中央収納部と、
（Ｂ）人体の左側頭部を覆う左側頭収納部と、
（Ｃ）人体の右側頭部を覆う右側頭収納部と、
からなる複数個の収納部を備える、
又は、
（ｉｉ）（Ａ）人体の額部から頭頂部を経て後頭部までを連続して覆う中央収納部と、
ここで、前記中央収納部は額部から後頭部に至る方向に分割された複数個の中央収納部を有する、
（Ｂ）人体の左側頭部を覆う前記左側頭収納部と、
（Ｃ）人体の右側頭部を覆う前記右側頭収納部と、
からなる複数個の収納部を備える、
又は、
（ｉｉｉ）（Ａ）人体の額部から頭頂部を経て後頭部までを連続して覆う中央収納部と、
ここで、前記中央収納部は額部から後頭部に至る方向に分割された複数個の中央収納部を有する、
（Ｂ）人体の左側頭部を覆う左側頭収納部と、
ここで、前記左側頭収納部は左前側頭部から左後頭部に至る方向に分割された複数個の左側頭収納部を有する、
（Ｃ）人体の右側頭部を覆う右側頭収納部と、
ここで、前記右側頭収納部は右前側頭部から右後頭部に至る方向に分割された複数個の右頭収納部を有する、
からなる複数個の収納部を備える、
の複数個の収納部を備え、
前記複数個の収納部のそれぞれの収納部は、互いに隣り合って形成され、一体に形成されてなることを特徴とする請求項１乃至８のいずれかに記載の頭部冷却用具。
【請求項１０】
前記冷却媒体は、（ａ）冷却と昇温の繰返し使用が可能な冷媒が密封容器に充填された繰返型密封冷却媒体、の形態で構成され、
前記繰返型密封冷却媒体は、
（ｉ）複数個に分割されるとともに互いに連結された複数個分割連結密封冷却媒体の形態を有し、それらの複数個分割連結密封冷却媒体は屈曲自在に連結されてなる、
及び／又は、
（ｉｉ）前記繰返型密封冷却媒体は、複数個に分割されることなく、一つの密封冷却媒体の形態の単一密封冷却媒体の形態を有する、
の形態を備え、
前記収納部が異なる広さ面積を有する複数個に分割された収納部を構成する場合に、  （ｉ）広い面積を有する収納部に前記複数個分割連結密封冷却媒体が収納され、
（ｉｉ）狭い面積を有する収納部に前記単一密封冷却媒体が収納され、
これらの冷却媒体は前記複数個の収納部のうちの所望の収納部に収納及び取出し可能に収納され、
これにより、人体頭部に装着された時に、該頭部の形状に一致して前記複数個分割連結密封冷却媒体が屈曲した状態で装着される、
ことを特徴とする請求項１乃至９のいずれかに記載の頭部冷却用具。
【請求項１１】
前記複数個の収納部は、互いに隣り合って形成されるとともに、人体頭部の全体を覆って装着可能な略半球形状になるように、一体に形成されてなることを特徴とする請求項１乃至１０のいずれかに記載の頭部冷却用具。
【請求項１２】
（ｉ）前記シート状内面部材の側を人体頭部に接触して人体頭部に装着する、及び、
（ｉｉ）前記シート状表面部材の側を人体頭部に接触して人体頭部に装着する、
のいずれかの状態で、人体頭部に装着し、
その後、時間経過後に、裏返して、（ｉ）前記シート状内面部材の側、又は、（ｉｉ）前記シート状表面部材の側、を人体頭部に接触して人体頭部を覆って装着して使用することが可能に構成されてなることを特徴とする請求項１乃至１１のいずれかに記載の頭部冷却用具。
【請求項１３】
さらに、シート状頭部保護部材を備え、
前記シート状頭部保護部材は、前記収納部を形成することなく、前記シート状内面部材の内面側に位置し、（ｉ）取外しできない状態、又は、（ｉｉ）取付と取外しが可能な状態の脱着自在、に設置構成され、前記収納部に収納されている前記冷却媒体の人体頭部への直接の接触を防止して前記冷却媒体に起因する冷気を抑制する機能を奏する、
ことを特徴とする請求項１乃至１２のいずれかに記載の頭部冷却用具。
【発明の詳細な説明】
【発明の詳細な説明】
【技術分野】
【０００１】  本発明は頭部に装着して頭部を冷却するための頭部冷却用具に関する。
【背景技術】
【０００２】  夏季外出時や工事現場の帽子・ヘルメットの装着時における頭部に熱異常感を感じる時の対処方法として、帽子またはヘルメットに設けたポケットに冷却部材を挿入した種々の冷却帽子が提案されている。また、帽子またはヘルメットの下に被る冷却補助具も提案されている。
他方、家庭や医療現場において、発熱・ほてり・のぼせ等の頭部に熱異常感を感じる時の対処方法として、氷塊を袋中に充填した氷のう・冷水を含浸した冷水布・布基材表面に含水ゲル剤を構成した冷却貼付剤などの頭部冷却用具を人体の額に接触させる方法が汎用されている。
例えば、下記のような種々の形態、構成、形状の冷却機能を備えた冷却帽子、帽子又は着衣に装着可能な冷却補助具、及び、頭部冷却用具が提案されている。【０００３】  冷却機能を備えた冷却帽子としては、下記の冷却帽子が提案されている。
特開２０１３−２００４号公報（特許文献１）には、装着者の頭部を覆うための半球状のクラウンを備えた帽子であって、クラウンがその外面を形成するクラウン表地とクラウン表地の裏面側に配されたメッシュ素材からなるクラウン裏地とで構成され、クラウン裏地がクラウン表地に対してクラウンの下縁と頂部とを結ぶ経線方向に沿って縫着されるとともに、クラウン裏地の下縁がクラウン表地の下縁に沿って縫着されないことにより、クラウン表地とクラウン裏地との間に、クラウンの下縁に開口部を有するポケットが形成され、該ポケットには吸湿性を有する不織布で形成された冷却シートが抜き取り可能な状態で収容され、冷却シートが前記ポケットに収容された状態にあっては、冷却シートに吸収された水分が蒸発する際の気化熱により装着者の頭部を冷却することを可能とし、前記開口部から冷却シートを抜き取った際には、冷却シートによる冷却効果がない帽子として使用できるようにしたことを特徴とする帽子であって、暑い時期には装着者の頭部を快適に冷却しながら装着できるだけでなく、寒い時期には通常の帽子として快適に装着することができる帽子が開示されている。【０００４】  実登３１６６７９５号公報（特許文献２）には、帽子本体と冷却ベルトと冷却パッドとからなる帽子であって、前記帽子本体は頭部を被覆するクラウンと前記クラウン内面の頭頂に対応する箇所に設けられたポケットと前記クラウン内面の開口縁に沿って額に対応する箇所に取り付けられた本体側面ファスナ部とを有し、前記冷却ベルトは高吸水性繊維を含むベルト本体とベルト本体の片面に取り付けられたベルト側面ファスナ部とを有して、前記ベルト側面ファスナ部により前記帽子本体の本体側面ファスナ部に着脱自在であり、前記ベルト本体の高吸水性繊維が吸収した水の気化熱により頭部の額近辺の熱を奪って冷却可能であり、前記冷却パッドは高吸水性繊維を含むパッド本体と前記パッド本体を包むメッシュカバーとを有して、前記帽子本体のポケットに出し入れ可能であり、  前記パッド本体の高吸水性繊維が吸収した水の気化熱により頭部の頭頂近辺の熱を奪って冷却可能である帽子であって、頭部の額近辺と頭頂近辺の双方を冷却可能で、かつ装着感の良好な帽子が開示されている。【０００５】  実登３１６４８０４号公報（特許文献３）には、頭頂部内側に円形もしくは楕円形の冷却ジェル袋を備え、前記冷却ジェル袋は、冷却ジェルを挿入可能とするスリットを有し、且つ、取り付け部材により頭頂部内側に着脱可能であることを特徴とし、汗止め、防臭、帽子への汚れ付着防止が可能であり、且つ、装着者の頭部の冷却が可能な帽子が開示されている。【０００６】  実登３０１４９０９号公報（特許文献４）には、一部若しくは全体を通風性の良いメッシュ生地で形成した頭部被冠部１の頭頂部内面に、アイスノン（株式会社白元本舗の商標）等の蓄冷剤入り袋２が交換自在に収容できる交換用開口部３を有するポケット状袋部からなる保持部４を形成した防暑用帽子であって、保持部４の交換用開口部５は、解放したままでも良いが、保持部４を頭頂部の外面に設ける場合には、蓄冷剤入り袋等の不用意な脱落を防止するために、ファスナー、ホック等の止着手段６によって開閉自在とした防���用帽子の構造であって、単に直射日光を遮るだけでなく、頭部冷却を可能として、疲労の軽減、平常時の思考力と機敏なる行動力を維持することができる防暑用帽子が開示されている。【０００７】  実開昭６３−８１８２３号号公報（特許文献５）には、帽子の内側にポケットを付け、液化潜熱を応用した冷却剤を上記ポケットに取り付けた構成を有し、頭部を冷却する冷たい帽子が提案されている。【０００８】  実開昭６３−６０４２６号号公報（特許文献６）には、布巾等可撓性材料で作った帽体の内側に、帽体に沿って着脱可能に断熱帽状体に取り付け、この断熱帽状体の内壁面に沿わせてゲル状の冷媒を合成樹脂フィルムで形成した袋に密封してなる適宜厚みの冷却袋を、ファスナーにより着脱可能に定着し、該冷却袋の表側に通気性大でやや肉厚の帽状をしたクッション体を取り外し可能に被覆装着した頭部を冷やす帽子が開示されている。【０００９】  帽子の内側に装着可能な冷却補助具としては、下記の冷却補助具が提案されている。
特開２００３−８８５４３号公報（特許文献７）には、２枚のシート材を熱シールして袋状とし、内部に所要量の高吸水性ポリマーを収納した冷却補助部材であって、２枚のシート材の内、少なくとも一方に通水性を有するシート材を使用し、全体形状を円形または多角形に形成し、中心部から放射状に複数条のシール部を形成したことを特徴とする帽子用冷却補助部材にすることによって、帽子装着時に頭部を冷やす方法であって、これにより、冷却媒体を再冷却して繰り返し使用することが可能であり、その冷却媒体を家庭の冷蔵庫等でも簡単に扱えるようにし、頭部への接触性を良くし、１つの冷却媒体で頭部の冷却を行え、専用のヘルメットや帽子等でなくても使用できる効果を奏することが開示されている。【００１０】  特開２０００−２９０８２２号公報（特許文献８）には、内底板部を、帽体を被着する者の頭部と対応して周縁から真中に向かって凹陥する凹湾曲面に形成し、外壁板部を内底板部と所要の間隔で離隔する凸湾曲面に形成し、夫々の周縁を接続して、帽体を被着する者の頭部を適宜深さその内方に収容可能に形成すると共に、外壁板部と内底板部との間の空洞部に冷却剤を封入してなる帽子用冷却盤であって、一般帽子、防護用ヘルメット等の帽体内に配備し、動揺することなく、着帽者の頭部を安定して保冷する効果を奏する帽体用冷却盤が開示されている。【００１１】  実登３１１３５４３号公報（特許文献９）には、袋状体に高分子吸水剤を収容して形成された保冷材と、前記保冷材の少なくとも一部を着脱可能に包む包被材と、前記包被材を保冷対象物に装着するための係止手段と、保冷対象物に加工を施すことなく使用することができ、身体への着脱や運動などによって保冷効果が低下することがなく、優れた保冷効果を得ることができる保冷具が開示されている。【００１２】  頭部冷却用具としては、下記の頭部冷却用具が提案されている。
特開平１１−２６９７１４号公報（特許文献１０）には、頭部に装着される帽子本体、頭部を部分的に冷却する冷却媒体からなり、帽子本体には冷却媒体を収容するポケット状の冷却媒体収容部を有し、冷却媒体収容部は帽子本体に複数箇所設けられ、頭部の冷却部位に合わせて適宜選択し使用し、任意の位置に冷却媒体を収めることを特徴とする帽子であって、これにより、血流量の上昇を防ぎ、血管の膨張を制御し扁頭痛を沈静化させ、また、任意の部位に媒体を置くことで、帽子全体が軽量化でき、利用者の装着時の違和感を軽減する効果を奏する帽子が開示されている。【００１３】  特開平１０−３２５０１０号公報（特許文献１１）には、非繊維素材からなる頭部装着具本体１の内面側に、冷却用シート１０を着脱自在に取り付けるための着脱部を設けたことを特徴とし、頭部に装着することによって頭部を好適に冷却することができ、しかも簡易な構造で製造コストが安く、使い捨て用としての使用に適した頭部装着具が開示されている。【００１４】  特開昭５７−８６３４０号公報（特許文献１２）には、前額部、こめかみ一耳の頭側部および上方頭蓋の後ろ下部を含む人間の頭周りに連続的に取り巻いて巻きつけるに適したはちまき部分、上記はちまき部分の両末端部分に取り付けられる手段、はちまき部分の上縁の中心に固定された前縁、上記前縁の固定から後方に伸びる側縁と前縁から後方に一定間隔で配置され、前縁に平行な末端縁を有する、帽子の頂部分、頂部分の後部末端にある固定手段、はちまき部分の側上縁を頂部分の側縁に固定し、それによって人間の頭皮の髪の生えている部分において、熱交換を行わせるための、連続的に頭皮に接触している帽子体を形成せしめるための手段、の組み合わせからなる、人間の頭の上全頭皮領域を冷却または加熱するための熱交換帽子が開示されている。【００１５】  実開昭６１−１９４５１９号公報（特許文献１３）には、可撓性材料で作られた帽子形状の頭皮保冷帽を構成する二重の帽子壁内に、冷却したポリビニールアルコールの含水ゲルの小片を複数個、密封包含させてなる自在変形型頭皮保冷帽が開示されている。
【先行技術文献】
【特許文献】
【００１６】
【特許文献１】特開２０１３−２００４号公報
【特許文献２】特開平１１−２６９７１４公報
【特許文献２】実登３１６６７９５号公報
【特許文献３】実登３１６４８０４号公報
【特許文献４】実登３０１４９０９号公報
【特許文献５】実開昭６３−８１８２３号号公報
【特許文献６】実開昭６３−６０４２６号号公報
【特許文献７】特開２００３−８８５４３号公報
【特許文献８】特開２０００−２９０８２２号公報
【特許文献９】実登３１１３５４３号公報
【特許文献１０】特開平１１−２６９７１４号公報
【特許文献１１】特開平１０−３２５０１０号公報
【特許文献１２】特開昭５７−８６３４０号公報
【特許文献１３】実開昭６１−１９４５１９号公報
【発明の概要】
【発明が解決しようとする課題】
【００１７】  上記のように、夏季外出時や工事現場での頭部の発熱防止、又は、家庭内における人体発熱時の昇熱抑制として、頭部に装着するための種々の頭部装着物品が提案されている。
上記従来技術において、特許文献１〜特許文献６に開示されている冷却帽子は気温の暑い時期や直射日光・炎天下に装着して頭部を冷却する機能を奏する主として屋外装着に用いられる帽子であるため、屋内で装着する場合には、外出用装飾のための外観を良くするために帽子を構成する材質・デザイン・色彩等を勘案するとともに日除け用の鍔を必要とするなど、外出用帽子としてのデザイン等の機能と冷却機能との双方の機能を満足する設計構成が必要である。これらの両者の機能を満足する帽子を得るためには、高価な素材・複雑な形状設計・複雑な製造方法が必要となり、量産時のコストが高くなる傾向がある。また、デザイン等の機能を重視した帽子は冷却機能を低減させた設計となり、逆に、冷却機能を重視した帽子はデザイン等の機能を低減させた設計となる傾向がある。【００１８】  また、特許文献７〜特許文献９に開示されている帽子用内面装着具は、帽子を使用することなく、それらの帽子用内面装着具を単独で使用した場合には、頭部冷却の効果が低下し、又は、装着安定性が不安定でずり落ちやすくなる等の不都合が生じる傾向がある。【００１９】  また、頭部冷却用具に関して、特許文献１０に開示の冷却媒体付き帽子は適切に血管の膨張を制御できる特定の部位に冷却媒体を置くように設計されているために、頭部全体の冷却感に不満足感を覚える傾向がある。特許文献１１に開示の頭部装着具は使い捨て用途であるために繰り返し使用に不向きであり、経済的に不満足となる傾向がある。特許文献１２に開示の頭皮用伝熱装置は頭の周りに連続的に取り巻いて巻きつける長方形の熱交換部材を使用しているために、着脱が煩雑になり着脱使用性に劣る傾向がある。特許文献１３に開示の頭皮保冷帽は可撓性材料製（例えば合成ゴム製）の構成であるために、装着感に劣る傾向がある。【００２０】  本発明は、頭部を冷却する冷却性能が優れ、長時間の冷却維持性能を有し、繰り返し使用が可能であり、快適な装着感を有する、等の優れた効果を奏する頭部冷却用具を提供する。
【課題を解決するための手段】
【００２１】  本発明の頭部冷却用具は、人体頭部を覆って装着可能な略半球形状を有する頭部冷却用具であって、頭部に装着された時に、該頭部に接触するシート状内面部材と、外表面側に位置するシート状表面部材と、収納部と、前記収納部の中に収納された冷却性能を有する冷却媒体と、を備え、前記収納部は、前記シート状内面部材と、前記シート状表面部材とにより形成され、前記冷却媒体は前記収納部に収納及び取出し可能に収納され、前記シート状表面部材は、少なくとも、表裏方向において断熱性能を有する断熱性素材を少なくとも構成し、前記断熱性素材は、（ｖｉ）不織布に金属薄膜を付着形成した不織布基材付金属薄膜素材、及び／又は、（ｖｉｉ）綿状断熱性不織布に金属薄膜を付着形成した金属薄膜付断熱性不織布素材を備え、前記収納部は、前記シート状内面部材と前記シート状表面部材とにより形成されるとともに、平面方向に複数個に分割された複数個の収納部を有し、前記冷却媒体は、複数個の冷却媒体を有し、前記複数個の収納部のそれぞれの収納部は、（ｉ）前記シート状表面部材、又は、（ｉｉ）前記シート状内面部材に、それぞれの収納開口部を形成し、前記それぞれの収納開口部は、それぞれの冷却媒体の出し入れが可能な形状を有し、前記冷却媒体は前記複数個の収納部のうちの所望の収納部に収納及び取出し可能に収納され、人体頭部に装着された時に該頭部を冷却可能に構成されてなることを特徴とする。【００２２】  本発明の頭部冷却用具において、望ましくは、前記シート状表面部材は積層された複数種類の表面素材より構成され、前記複数種類の表面素材は、少なくとも、（Ａ）表面部材最表層に構成される、所望の機能を有する所望機能性素材、（Ｂ）表面部材中間層に構成される、断熱性能を有する断熱性素材、及び、（Ｃ）表面部材最裏層に構成される、前記冷却媒体を収納した状態において破損なく使用可能な機械的強度を有する冷却媒体保持素材、を備え、前記（Ｂ）表面部材中間層に構成される断熱性能を有する断熱性素材は、前記（ｖｉ）不織布に金属薄膜を付着形成した不織布基材付金属薄膜素材、及び／又は、前記（ｖｉｉ）綿状断熱性不織布に金属薄膜を付着形成した金属薄膜付断熱性不織布素材、を備えてなる、ことを特徴とする。【００２５】  本発明の頭部冷却用具において、望ましくは、前記シート状内面部材は、表裏方向において、前記シート状表面部材より高い通気性能を有する通気性素材を構成し、これにより、人体頭部に装着された時に、前記収納部に収納された前記冷却媒体に起因する冷気を人体頭部側に伝わりやすくする機能を奏することを特徴とする。【００２６】  本発明の頭部冷却用具において、望ましくは、前記シート状表面部材は積層された複数種類の表面素材より構成され、  前記複数種類の表面素材は、少なくとも、（Ａ）表面部材最表層に構成される、所望の機能を有する所望機能性素材、（Ｂ）表面部材中間層に構成される、断熱性能を有する断熱性素材、及び、（Ｃ）表面部材最裏層に構成される、前記冷却媒体を収納した状態において破損なく使用可能な機械的強度を有する冷却媒体保持素材、を備え、前記（Ｂ）表面部材中間層に構成される断熱性能を有する断熱性素材は、前記（ｖｉ）不織布に金属��膜を付着形成した不織布基材付金属薄膜素材、及び／又は、前記（ｖｉｉ）綿状断熱性不織布に金属薄膜を付着形成した金属薄膜付断熱性不織布素材、を備え、前記シート状内面部材は、貫通孔を有する貫通孔形成素材のみを構成し、前記冷却媒体に起因する冷気が、前記シート状表面部材の表面側に伝導することを抑制するとともに、前記貫通孔形成素材の前記貫通孔を通じて人体頭部に伝わる機能を奏する、ことを特徴とする。【００２７】  本発明の頭部冷却用具において、望ましくは、前記シート状表面部材は積層された複数種類の表面素材より構成され、前記複数種類の表面素材は、少なくとも、（Ａ）表面部材最表層に構成される、所望の機能を有する所望機能性素材、（Ｂ）表面部材中間層に構成される、断熱性能を有する断熱性素材、及び、（Ｃ）表面部材最裏層に構成される、前記冷却媒体を収納した状態において破損なく使用可能な機械的強度を有する冷却媒体保持素材、を備え、前記（Ｂ）表面部材中間層に構成される断熱性能を有する断熱性素材は、前記（ｖｉ）不織布に金属薄膜を付着形成した不織布基材付金属薄膜素材、及び／又は、前記（ｖｉｉ）綿状断熱性不織布に金属薄膜を付着形成した金属薄膜付断熱性不織布素材を備えてなり、前記シート状内面部材は積層された複数種類の内面素材より構成され、前記複数種類の内面素材は、少なくとも、（Ａ）内面部材最表層に構成される、所望の機能を有する所望機能性素材、（Ｂ）内面部材中間層に構成される、断熱性能を有する断熱性素材、及び、（Ｃ）内面部材最裏層に構成される、前記冷却媒体を収納した状態において破損なく使用可能な機械的強度を有する冷却媒体保持素材、を備え、前記シート状内面部材に構成される前記断熱性素材は、少なくとも、（ｖｉ）不織布に金属薄膜を付着形成した不織布基材付金属薄膜素材、及び／又は、（ｖｉｉ）綿状断熱性不織布に金属薄膜を付着形成した金属薄膜付断熱性不織布素材を備え、（ａ）前記シート状表面部材に構成される前記断熱性素材と前記シート状内面部材に構成される前記断熱性素材は互いに同じ断熱性素材により構成されるとともに、前記シート状表面部材と前記シート状内面部材は互いに同じ断熱性能を有する、ことを特徴とする。【００２８】  本発明の頭部冷却用具において、望ましくは、前記シート状表面部材は積層された複数種類の表面素材より構成され、前記複数種類の表面素材は、少なくとも、（Ａ）表面部材最表層に構成される、所望の機能を有する所望機能性素材、（Ｂ）表面部材中間層に構成される、断熱性能を有する断熱性素材、及び、（Ｃ）表面部材最裏層に構成される、前記冷却媒体を収納した状態において破損なく使用可能な機械的強度を有する冷却媒体保持素材、を備え、前記（Ｂ）表面部材中間層に構成される断熱性能を有する断熱性素材は、前記（ｖｉ）不織布に金属薄膜を付着形成した不織布基材付金属薄膜素材、及び／又は、前記（ｖｉｉ）綿状断熱性不織布に金属薄膜を付着形成した金属薄膜付断熱性不織布素材を備えてなり、前記シート状内面部材は積層された複数種類の内面素材より構成され、前記複数種類の内面素材は、少なくとも、（Ａ）内面部材最表層に構成される、所望の機能を有する所望機能性素材、（Ｂ）内面部材中���層に構成される、断熱性能を有する断熱性素材、及び、（Ｃ）内面部材最裏層に構成される、前記冷却媒体を収納した状態において破損なく使用可能な機械的強度を有する冷却媒体保持素材、を備え、前記シート状内面部材に構成される前記断熱性素材は、少なくとも、（ｖｉ）不織布に金属薄膜を付着形成した不織布基材付金属薄膜素材、及び／又は、（ｖｉｉ）綿状断熱性不織布に金属薄膜を付着形成した金属薄膜付断熱性不織布素材を備え、（ｂ）前記シート状表面部材に構成される前記断熱性素材と前記シート状内面部材に構成される前記断熱性素材は互いに異なる断熱性素材により構成されるとともに、前記シート状表面部材と前記シート状内面部材は互いに異なる断熱性能を有する、ことを特徴とする。【００２９】  本発明の頭部冷却用具において、望ましくは、前記シート状内面部材と前記シート状表面部材の双方の部材は、前記（ｖｉ）不織布に金属薄膜を付着形成した不織布基材付金属薄膜素材、及び／又は、前記（ｖｉｉ）綿状断熱性不織布に金属薄膜を付着形成した金属薄膜付断熱性不織布素材を備え、前記断熱性素材は、熱により融着して接合可能な熱融着性断熱性素材から構成され、前記シート状内面部材と前記シート状表面部材は、（ａ）互いに同じ断熱性素材、又は、（ｂ）互いに異なる断熱性素材により形成され、前記収納部は前記シート状内面部材と前記シート状表面部材との熱融着により接合されて形成されてなる、ことを特徴とする。【００３０】  本発明の頭部冷却用具において、望ましくは、前記複数個の収納部は、［（ｉ）（Ａ）人体の額部から頭頂部を経て後頭部までを連続して覆う中央収納部と、（Ｂ）人体の左側頭部を覆う左側頭収納部と、（Ｃ）人体の右側頭部を覆う右側頭収納部と、からなる複数個の収納部を備える、又は、（ｉｉ）（Ａ）人体の額部から頭頂部を経て後頭部までを連続して覆う中央収納部（ここで、前記中央収納部は額部から後頭部に至る方向に分割された複数個の中央収納部を有する）と、（Ｂ）人体の左側頭部を覆う前記左側頭収納部と、（Ｃ）人体の右側頭部を覆う前記右側頭収納部と、からなる複数個の収納部を備える、又は、（ｉｉｉ）（Ａ）人体の額部から頭頂部を経て後頭部までを連続して覆う中央収納部（ここで、前記中央収納部は額部から後頭部に至る方向に分割された複数個の中央収納部を有する）と、（Ｂ）人体の左側頭部を覆う左側頭収納部（ここで、前記左側頭収納部は左前側頭部から左後頭部に至る方向に分割された複数個の左側頭収納部を有する）と、（Ｃ）人体の右側頭部を覆う右側頭収納部（ここで、前記右側頭収納部は右前側頭部から右後頭部に至る方向に分割された複数個の右頭収納部を有する）と、からなる複数個の収納部を備える］、の複数個の収納部を備え、前記複数個の収納部のそれぞれの収納部は、互いに隣り合って形成され、一体に形成されてなることを特徴とする。【００３４】  本発明の頭部冷却用具において、望ましくは、さらに、シート状頭部保護部材を備え、前記シート状頭部保護部材は、前記収納部を形成することなく、前記シート状内面部材の内面側に位置し、（ｉ）取外しできない状態、又は、（ｉｉ）取付と取外しが可能な状態の脱着自在、に設置構成され、前記収納部に収納���れている前記冷却媒体の人体頭部への直接の接触を防止して前記冷却媒体に起因する冷気を抑制する機能を奏する、ことを特徴とする。【００３５】  本発明の頭部冷却用具において、望ましくは、前記シート状内面部材と前記シート状表面部材は、（ｉ）前記シート状内面部材の側を人体頭部に接触して人体頭部に装着する、及び、（ｉｉ）前記シート状表面部材の側を人体頭部に接触して人体頭部に装着する、のいずれかの状態で人体頭部に装着し、その後、裏返して装着可能に構成されてなる
ことを特徴とする。【００３６】  本発明の頭部冷却用具において、望ましくは、前記冷却媒体は、冷却と昇温の繰返し使用が可能な冷媒が密封容器に充填された密封冷却媒体を有し、前記密封冷却媒体は、（ａ）冷却、（ｂ）収納部に収納、（ｃ）頭部に装着使用、及び、（ｄ）収納部から取出、を繰返した繰返使用が可能である性質を有し、前記密封冷却媒体が冷却された状態で、前記それぞれの収納部に収納されて使用可能に構成されてなることを特徴とする。
更に望ましくは、冷却媒体は、約２５℃において、粘性状、ゲル状、ジェル状、ゼリー状、及び、液状のうちの少なくとも一つの流動可能な形態を有する。【００３８】  本発明の頭部冷却用具において、望ましくは、前記冷却媒体は、（ａ）冷却と昇温の繰返し使用が可能な冷媒が密封容器に充填された繰返型密封冷却媒体、の形態で構成され、前記繰返型密封冷却媒体は、（ｉ）複数個に分割されるとともに互いに連結された複数個分割連結密封冷却媒体の形態を有し、それらの複数個分割連結密封冷却媒体は屈曲自在に連結されてなる、及び／又は、（ｉｉ）前記繰返型密封冷却媒体は、複数個に分割されることなく、一つの密封冷却媒体の形態の単一密封冷却媒体の形態を有する、の形態を備え、前記収納部が異なる広さ面積を有する複数個に分割された収納部を構成する場合に、（ｉ）広い面積を有する収納部に前記複数個分割連結密封冷却媒体が収納され、（ｉｉ）狭い面積を有する収納部に前記単一密封冷却媒体が収納され、これらの冷却媒体は前記複数個の収納部のうちの所望の収納部に収納及び取出し可能に収納され、これにより、人体頭部に装着された時に、該頭部の形状に一致して前記複数個分割連結密封冷却媒体が屈曲した状態で装着される、ことを特徴とする。【００４０】  本発明の頭部冷却用具において、望ましくは、前記冷却媒体は、前記収納部の形状に略相似する形状であって、前記収納部に出し入れ自在に収納可能な形状に形成されてなることを特徴とする。【００４１】  本発明の頭部冷却用具の適用方法は、所定の温度に冷気された前記冷却媒体が収納された前述の頭部冷却用具を、（ｉ）前記シート状内面部材の側を人体頭部に接触して人体頭部に装着する、及び、（ｉｉ）前記シート状表面部材の側を人体頭部に接触して人体頭部に装着する、のいずれかの状態で、人体頭部に装着し、その後、装着後の所定の時間の経過後に、前記頭部冷却用具を裏返して、裏返しされた前記頭部冷却用具を人体頭部に装着して使用することを特徴とする。【００４２】  本発明の頭部冷却用具の適用方法において、望ましくは、前記頭部冷却用具を構成する前記シート状表面部材は前記シート状内面部材よりも高い断熱性能を有し、冷却された前記冷却媒体を収納した前記頭部冷却用具を、（ｉｉ）前記シート状表面部材の側が人体頭部に接触する状態で、前記頭部冷却用具を人体頭部に装着し、その後、装着後の所定の時間の経過後に、前記冷却媒体の冷却温度が昇温した場合に、（ｉ）前記シート状内面部材の側が人体頭部に接触する状態で、前記頭部冷却用具を人体頭部に装着することを特徴とする。
【発明の効果】
【００４３】  本発明の頭部冷却用具において、下記のようなに、頭部を冷却する冷却性能が優れ、長時間の冷却維持性能を有し、繰り返し使用が可能であり、快適な装着感を有する、等の優れた効果を奏する頭部冷却用具が得られる。
（イ）頭部全体を覆った収納部に冷却媒体を収納設置した構成により、頭部全体を冷却可能な冷却性能に優れる頭部全体冷却性能。
（ロ）複数個に分割された収納部に冷却媒体を収納設置した構成により、収納部の中における冷却媒体の位置ずれが最小限抑制されるとともに、最適な装着感を得るための設計自由度が増す優れた設計自由度。
（ハ）断熱素材を構成する構成により、長時間の冷却維持性能に優れる長時間冷却維持性能。
（ニ）冷却と昇温の繰返し使用が可能な冷媒が密封容器に充填された密封冷却媒体を収納設置した構成により、繰り返し使用が容易に可能である経済性に優れる繰返使用性能。
（ホ）複数個の収納部の形状の組み合わせの最適設計により、通常の帽子と同じ感覚で頭部着脱が容易な着脱使用性能。
（ヘ）複数種類の表面素材より構成されたシート状表面部材を有する構成により、所望の色彩のデザイン化された外観を有するとともに所望装飾デザイン性に優れる所望装飾デザイン性能。
（ト）最適設計した収納部への冷却媒体を出し入れする収納開口部を形成した構成により、収納部への冷却媒体の出し入れが容易になる冷却媒体使用容易性。
（チ）二重開口縁部を形成した収納部を有する構成により、収納部に収納されている冷却媒体の収納部から飛び出しが抑制された収納保持安定性。
（リ）容易に安価に複数個に分割された収納部を最適設計することが可能になることにより、容易に安価に収納部を有する頭部冷却用具の製造が可能になる収納部安価量産性。
（ヌ）冷却と昇温の繰返し使用が可能な冷媒がプラスチックフィルム製密封容器に充填された密封冷却媒体を使用した構成により、所望形状の冷却媒体の製造が可能になり安価に量産できる冷却媒体安価量産性。
（ル）シート状頭部保護部材を追加設置した構成により、冷却媒体が約０℃以下に冷却された状態で収納部に収納されている場合、人体頭部に装着された時に、人体頭部に感ずる温度が冷却媒体の温度よりも約１〜約５℃程度高くなって、冷却媒体の冷え過ぎによる不快感を抑制し、快適な装着感を得ることが可能となり、更に、快適な装着感を感じる時間が永くなる快適装着感持続時間延長効果。
（オ）冷却媒体の収納部を構成するシート状表面部材とシート状内面部材との断熱性が異なる構成において、冷え過ぎた冷却媒体を収納した頭部冷却用具を裏返して使用可能な構成により、冷え過ぎ感の抑制された快適冷却感を得るとともに快適冷却持続時間を延長できる快適装着感持続時間延長効果。
（ワ）冷却媒体の収納部を構成するシート状表面部材とシート状内面部材が同じ断熱性を有する断熱性素材により形成された構成により、冷え過ぎ感の抑制された快適冷却感を得るとともに快適冷却持続時間を延長できる快適装着感持続時間延長効果。
（カ）複数種類の表面素材より構成されたシート状表面部材と複数種類の内面素材より構成されたシート状内面部材を有する構成により、裏返して装着することが可能であり、所望の色彩のデザイン化された外観を有するとともに所望装飾デザイン性に優れる所望装飾デザイン性能を有する側を表面側にして装着できるリバーシブル装着。
（チ）加熱により溶融して互いの素材を接合可能な不織布製の素材を使用してシート状表面部材とシート状内面部材を有する構成により、熱融着接合製法により頭部冷却用具を容易に安価に量産することが可能となる安価量産効果、及び、熱融着可能な断熱性不織布の使用による快適装着感持続時間延長効果。【００４４】  なお、本発明の頭部冷却用具を人体頭部に装着した時に、快適な冷却感を感じる温度が約２℃〜約１５℃の範囲にある温度を「快冷」温度として定義し、その快冷温度が持続する時間を「快適装着時間」として定義する。
【図面の簡単な説明】
【００４５】
【図１】本発明の一実施例の頭部冷却用具の外観模式図
【図２】本発明の一実施例の頭部冷却用具の外観模式図
【図３】本発明の一実施例の頭部冷却用具の外観模式図
【図４】本発明の一実施例の頭部冷却用具の断面の構成模式図
【図５】本発明の一実施例の頭部冷却用具に構成されるシート状表面部材の構成模式図
【図６】本発明の一実施例の頭部冷却用具に構成されるシート状内面部材の構成模式図
【図７】本発明の一実施例の頭部冷却用具の収納開口部の断面の構成模式図
【図８】本発明の一実施例の頭部冷却用具の収納開口部の断面の構成模式図
【図９】本発明の一実施例の頭部冷却用具の断面の構成模式図
【図１０】本発明の一実施例の頭部冷却用具の断面の構成模式図
【図１１】本発明の一実施例の頭部冷却用具の外観模式図
【図１２】本発明の一実施例の頭部冷却用具の外観模式図
【図１３】本発明の一実施例の頭部冷却用具の外観模式図
【発明を実施するための最良の形態】
【００４６】＜頭部冷却用具の基本構成＞
本発明の一実施例の頭部冷却用具の模式図が図１、図２、図３、図４に示される。
図１は、外表面側に収納開口部を有する頭部冷却用具の概略模式図であって、（Ａ）は頭部冷却用具を表面の上方から見た概略模式図、（Ｂ）は頭部冷却用具を表面の左側面から見た概略模式図（括弧内は右側面から見た概略模式図）、（Ｃ）は頭部冷却用具の内面を下方から見た概略模式図、（Ｄ）は頭部冷却用具を表面の前方から見た概略模式図、（Ｅ）は頭部冷却用具を表面の後方から見た概略模式図、（Ｆ）は頭部冷却用具の内面の前（後）を見た概略模式図である。【００４７】  図２は、内面側に収納開口部を有する頭部冷却用具の概略模式図であって、（Ａ）は頭部冷却用具を表面の上方から見た概略模式図、（Ｂ）は頭部冷却用具を表面の左側面から見た概略模式図（括弧内は右側面から見た概略模式図）、（Ｃ）は頭部冷却用具の内面を下方から見た概略模式図、（Ｄ）は頭部冷却用具を表面の前方（又は後方）から見た概略模式図、（Ｅ）は頭部冷却用具の内面の前方（又は後方）を見た概略模式図である。【００４８】  図３は、外表面側に収納開口部を有する頭部冷却用具の概略模式図であって、（Ａ）は頭部冷却用具を表面の上方から見た概略模式図、（Ｂ）は頭部冷却用具を表面の左側面から見た概略模式図（括弧内は右側面から見た概略模式図）、（Ｃ）は頭部冷却用具の内面を下方から見た概略模式図、（Ｄ）は頭部冷却用具を表面の前方（又は後方）から見た概略模式図、（Ｅ）は頭部冷却用具の内面の前方（又は後方）を見た概略模式図である。【００４９】  図４は、本発明の一実施例の頭部冷却用具の一部分の断面の構成模式図であって、（Ａ）は複数個に分割された複数個の収納部の中に冷却媒体を収納した構成を示す一部分の断面の構成模式図、（Ｂ）は一つの収納部に複数個に分割された冷却媒体を収納した構成を示す一部分の断面の構成模式図、（Ｃ）は（Ａ）において更にシート状頭部保護部材を備えた構成を示す一部分の断面の構成模式図である。【００５０】  本発明の一実施例の頭部冷却用具は、図１〜図３に示されるように、人体頭部全体を覆って装着可能な略半球形状を有する頭部冷却用具であって、頭部に装着された時に、該頭部に接触するシート状内面部材３と、外表面側に位置するシート状表面部材２と、により形成された収納部４と、収納部４の中に脱収納自在に収納された冷却性能を有する冷却媒体８と、を備え、収納部４は平面方向に複数個に分割された複数個の収納部４１、４２、４３を有し、冷却媒体８はそれぞれの収納部４１、４２、４３に、収納及び取出し可能に収納され、人体頭部に装着された時に該頭部の全体を冷却可能に構成される。
これにより、（イ）略半球形状の人体頭部の全体がシート状内面部材３を介して冷却媒体８により覆われることが可能になり、その結果、頭部全体の冷却が可能となり、頭部のさらなる異常昇温を抑制して脳組織を保護することができる「頭部全体冷却性能」が著しく向上する効果が得られる。【００５１】  望ましくは、これらの複数個の収納部４１、４２、４３は、互いに隣り合って形成されるとともに、一体に形成されてなる。冷却媒体８はそれぞれの収納部４に収納及び取出し可能に収納されている。
これにより、それぞれの収納部間の冷却媒体を収納できない間隔が最小限になり、冷却媒体８を収納できる領域が多くなり、上記の「（イ）頭部全体冷却性能」がさらに向上する。【００５２】  望ましくは、図１〜図３に示されるように、複数個の収納部４１、４２、４３は、（Ａ）人体の額部から頭頂部を経て後頭部までを連続して覆う中央収納部４１と、（Ｂ）人体の左側頭部を覆う左側頭収納部４２と、（Ｃ）人体の右側頭部を覆う右側頭収納部４３と、を有し、これらの複数個の収納部４１、４２、４３は、互いに隣り合って形成され、一体に形成されてなる。冷却媒体８はそれぞれの収納部４に収納及び取出し可能に収納されている。
これにより、人体の額部から頭頂部を経て後頭部までを連続して覆う中央収納部４１が頭部冷却用具の形状的な芯となる機能を奏し、その芯となる中央収納部４１の両側に左側頭収納部４２と右側頭収納部４３が形成された形状構成であるために、冷却媒体を収納した状態においても、略半球形状を崩すことが抑制されて、略半球形状を維持することが可能になり、「（ホ）通常の帽子と同じ感覚で頭部着脱が容易な着脱使用性能を有する」、頭部冷却用具が得られる。
また、このような形状に分割された複数個の収納を有する頭部冷却用具において、（リ）中央収納部４１と左側頭収納部４２と右側頭収納部４３とのそれぞれの収納部を別々に製造し、それらの複数個の収納部４１、４２、４３を繋ぎ合せて結合する製造方法により、容易に安価に頭部冷却用具を製造可能になり、収納部安価量産性が得られる。【００５３】  望ましくは、図２、図３に示されるように複数個の収納部４１、４２、４３は、（Ａ）人体の額部から頭頂部を経て後頭部までを連続して覆う中央収納部４１、（ここで、中央収納部４１は額収納部４１１と頭頂収納部４１２と後頭収納部４１３とを有する）、（Ｂ）人体の左側頭部を覆う左側頭収納部４２、（ここで、前記左側頭収納部は左前側頭収納部４２１と左後側頭収納部４２２とを有する）、（Ｃ）人体の右側頭部を覆う右側頭収納部４３、（ここで、前記右側頭収納部４３は右前側頭収納部４３１と右後側頭収納部４３２とを有する）、からなる群から選ばれる少なくとも一つの複数個の収納部を備え、これらの複数個の収納部は、互いに隣り合って形成され、一体に形成されてなる。冷却媒体８はそれぞれの収納部４に収納及び取出し可能に収納されている。【００５４】  図２に示す頭部冷却用具は、（Ａ）人体の額部から頭頂部を経て後頭部までを連続して覆う中央収納部４１、（ここで、中央収納部４１は額収納部４１１と頭頂収納部４１２と後頭収納部４１３とを有する）、（Ｂ）人体の左側頭部を覆う左側頭収納部４２、（ここで、前記左側頭収納部は左前側頭収納部４２１と左後側頭収納部４２２とを有する）、及び、（Ｃ）人体の右側頭部を覆う右側頭収納部４３、（ここで、前記右側頭収納部４３は右前側頭収納部４３１と右後側頭収納部４３２とを有する）を備える。【００５５】  図３に示す頭部冷却用具は、（Ａ）人体の額部から頭頂部を経て後頭部までを連続して覆う中央収納部４１、（ここで、中央収納部４１は額収納部４１１と頭頂収納部４１２と後頭収納部４１３とを有する）、（Ｂ）人体の左側頭部を覆う左側頭収納部４２、及び、（Ｃ）人体の右側頭部を覆う右側頭収納部４３、を備える。【００５６】  図２及び図３に示す頭部冷却用具に限定されることなく、図示されていないが、（Ａ）人体の額部から頭頂部を経て後頭部までを連続して覆う中央収納部４１と、（Ｂ）人体の左側頭部を覆う左側頭収納部４２、（ここで、前記左側頭収納部は左前側頭収納部４２１と左後側頭収納部４２２とを有する）、及び、（Ｃ）人体の右側頭部を覆う右側頭収納部４３、（ここで、前記右側頭収納部４３は右前側頭収納部４３１と右後側頭収納部４３２とを有する）を備える頭部冷却用具も実施可能である。【００５７】  これにより、人体の額部から頭頂部を経て後頭部までを連続して覆う中央収納部４１が頭部冷却用具の形状的な芯となる機能を奏し、その芯となる中央収納部４１の両側に左側頭収納部４２と右側頭収納部４３が形成された形状構成であるために、冷却媒体を収納した状態においても、略半球形状を崩すことが抑制されて、略半球形状を維持することが可能になり、「（ホ）通常の帽子と同じ感覚で頭部着脱が容易な着脱使用性能を有する」頭部冷却用具が得られる。
さらに、（ヌ）中央収納部４１を分割形成したそれぞれの額収納部４１１と頭頂収納部４１２と後頭収納部４１３、及び、左側頭収納部４２を分割形成した左前側頭収納部４２１と左後側頭収納部４２２、及び、右側頭収納部４３を分割形成した右前側頭収納部４３１と右後側頭収納部４３２、のそれぞれの収納部に収納される冷却媒体８の形状としては、湾曲の少ない略平面形状を有する冷却媒体８が使用可能であるために冷却媒体の製造が容易で安価に製造できる冷却媒体安価量産性が得られる。さらに、（ト）冷却媒体を収納部から出し入れする場合に、容易に出し入れすることが可能になる。
また、このような形状に分割された複数個の収納を有する頭部冷却用具を製造する方法において、（リ）中央収納部４１を区切り裁縫して額収納部４１１と頭頂収納部４１２と後頭収納部４１３を形成し、左側頭収納部４２を区切り裁縫して左前側頭収納部４２１と左後側頭収納部４２２を形成し、右側頭収納部４３を区切り裁縫して右前側頭収納部４３１と右後側頭収納部４３２を形成し、その後、区切られた収納部を有するそれらの複数個の収納部４１、４２、４３を繋ぎ合せて結合する製造方法により、容易に頭部冷却用具を製造可能になり、収納部安価量産性が得られる。【００５８】＜シート状表面部材について＞
本発明において、望ましくは、シート状表面部材２は、少なくとも、表裏方向において断熱性能を有する断熱性素材２２を構成する。
表裏方向において断熱性能を有する断熱性素材２２は、汎用のガーゼ・平織布などの織布、紙状の薄い不織布、薄いプラスチック製シート、などの汎用素材よりも高い断熱性能を有する素材を意味する。
これにより、頭部冷却用具が人体頭部に装着された時に、熱を頭部冷却用具の内部に閉じ込めて、頭部冷却用具の外部に逃げる冷気を抑制する効果を奏し、その結果、（ハ）長時間の冷却維持性能に優れる長時間冷却維持性能を奏する頭部冷却用具が得られる。【００５９】  本発明において、望ましくは、前記シート状表面部材２は、少なくとも、（ｉ）断熱性不織布素材と、（ｉｉ）柔軟性を有する柔軟性発泡プラスチック素材と、（ｉｉｉ）微細空洞孔形成繊維素材と、のうちの少なくとも一つの熱伝導を抑制する機能を奏する熱伝導断熱素材２２ａ、及び／又は、（ｉｖ）金属箔素材と、（ｖ）金属蒸着により形成された金属薄膜素材と、（ｖｉ）基材に金属薄膜を付着形成した基材付金属薄膜膜素材と、のうちの少なくとも一つの輻射による熱を遮断する機能を奏する金属膜輻射断熱素材２２ｂ、及び／又は、（ｖｉｉ）綿状断熱性不織布２２ａに金属薄膜２２ｂを付着形成した金属薄膜付断熱性不織布素材と、（ｖｉｉｉ）フェルト基材又はニードルパンチ基材に金属薄膜を付着形成した金属薄膜付断熱性不織布素材と、（ｉｘ）柔軟性発泡プラスチック２２ａに金属薄膜２２ｂを付着形成した金属薄膜付柔軟性発泡プラスチック素材と、のうちの少なくとも一つの熱伝導を抑制する機能と輻射による熱を遮断する機能との双方の機能を奏する輻射熱伝導熱断熱素材２２ｃ、及び／又は、（ｘ）約０．３ｍｍ厚以上のフェルト材と、（ｘｉ）約０．３ｍｍ厚以上のニードルパンチ材と、（ｘｉｉ）約０．３ｍｍ厚以上の起毛製布材と、（ｘｉｉｉ）約０．３ｍｍ厚以上の肉厚織布材と、のうちの少なくとも一つの約０．３ｍｍ厚以上の保冷性布素材２２ａ、を有する断熱性素材２２を備える。【００６０】  熱伝導断熱素材２２ａ及び約０．３ｍｍ厚以上の保冷性布素材２２ａは素材の表裏方向における熱伝導が小さい性質を有する素材である。
熱伝導断熱素材としての（ｉ）断熱性不織布素材としては、ポリエステル製短繊維、ポリアミド（ナイロン）製短繊維、ポリオレフィン製短繊維、アクリル製短繊維、綿、羊毛、フェルト、その他の短繊維、などの短繊維を綿状に結合してシート状に形成した不織布素材であり、所望の空隙率、嵩密度、厚さ、目付などを有する所望の構成の断熱性不織布素材が使用できる。
（ｉｉ）柔軟性を有する柔軟性発泡プラスチック素材としては、例えば、連続気泡又は独立気泡を有する発泡プラスチック素材が使用でき、軟質ポリウレタン発泡樹脂素材、ポリオレフィン系樹脂を発泡したポリオレフィン発泡樹脂素材であって、柔軟性を備えた柔軟性発泡プラスチック素材が使用できる。
（ｉｉｉ）微細孔形成繊維素材としては、例えば、微細な空洞孔の中空を形成した繊維（長繊維）を所望の織り方で織って編成した微細孔形成繊維素材が使用できる。
（ｘ）約０．３ｍｍ厚以上のフェルト材としては、前記の天然繊維や合成繊維の短繊維が絡み合って縮絨あるいはフェルト化されたシート状圧縮布材が使用される。フェルトは不織布の一種である。
（ｘｉ）約０．３ｍｍ厚以上のニードルパンチ材としては、ニードルパンチ手法によって製造されたシート状圧縮布材が使用される。ニードルパンチ材は不織布の一種で短繊維を使用して多数のニードル（針）のついた機械で圧縮してフェルト状に形成した布生地を意味する。
（ｘｉｉ）約０．３ｍｍ厚以上の起毛製布材としては、例えば、羊毛、綿、ポリアクリル繊維、ポリエステル繊維、レーヨン繊維などを使用して起毛製を有するように、所定の編成形態に編まれて編成された約０．３ｍｍ厚以上の天然繊維製起毛製布材、又は、合成繊維製起毛製布材が使用される。
（ｘｉｉｉ）約０．３ｍｍ厚以上の肉厚織布材としては、汎用の繊維を使用して平織、ストレッチ織、その他の所定の編成形態で編成され、肉厚に織られた織布である。
これらの起毛製布材、フェルト材、ニードルパンチ材、起毛製布材、肉厚織布材などの厚さが約０．３ｍｍ未満の場合は断熱性に劣る傾向がある。
（ｖｉｉ、ｖｉｉｉ、ｖｉｉｉ）上記の断熱性素材の表面に金属薄膜を付着形成した熱伝導を抑制する機能と輻射による熱を遮断する機能との双方の機能を奏する輻射熱伝導熱断熱素材も使用できる。金属薄膜としては、例えば、膜厚が約１μｍ以下の金属蒸着膜又は金属箔薄膜などが使用できる。
このような熱伝導断熱素材２２ａはシートの表裏方向の熱伝導を抑制する性質を有する。従って、熱伝導断熱素材製シートは冷却媒体からの冷気を熱伝導断熱素材の低い熱伝導性により熱を内部に閉じ込めて、外部に逃げる冷気を抑制する効果を奏し、その結果、（ハ）長時間の冷却維持性能に優れる長時間冷却維持性能を奏する頭部冷却用具が得られる。【００６１】  金属膜輻射断熱素材２２ｂは、輻射による熱を遮断する機能を奏する断熱性素材である。
金属膜輻射断熱素材としての（ｉｖ）金属箔素材としては、例えば、アルミニウムを箔状に形成したアルミ箔、又は、その他の金属を箔状に形成した金属箔が使用できる。これらの金属膜輻射断熱素材の厚さは、特に限定されないが、例えば、約１〜１００μｍが望ましい。
（ｖ）金属蒸着により形成された金属薄膜素材としては、例えば、アルミニウムの蒸着により形成されたアルミ蒸着薄膜、又は、その他の金属の蒸着により形成された金属蒸着薄膜が使用できる。これらの金属膜輻射断熱素材の厚さは、特に限定されないが、例えば、約１μｍ未満の超薄膜が望ましい。
（ｖｉ）基材付金属薄膜素材としては、例えば、薄い布状不織布製シートにアルミニウム製薄膜を付着形成したアルミ薄膜付着不織布、薄いプラスチック製シートにアルミニウム製薄膜を付着形成したアルミ薄膜付着プラスチックシート、布状織布にアルミニウム製薄膜を付着形成したアルミ薄膜付着織布、又は、アルミ薄膜として、アルミ蒸着膜を基材に直接に蒸着形成したアルミ蒸着膜素材が使用できる。
このような金属膜輻射断熱素材２２ｂは平面方向に熱を良好に伝える熱伝導性を有するとともに平滑平面形状の金属製シートは熱を反射する輻射性能を有する。従って、金属膜輻射断熱素材製のシートは、金属面において冷却媒体から発する冷気を平面方向に均一に伝導することにより冷気の平面方向のバラツキを抑制するとともに、冷却媒体からの冷気を金属面の輻射により内部に閉じ込めて、外部に逃げる冷気を抑制する効果を奏する。その結果、（イ）頭部全体を冷却可能である冷却性能に優れる頭部全体冷却性能、及び、（ハ）長時間の冷却維持性能に優れる長時間冷却維持性能、等が著しく向上した頭部冷却用具が得られる。【００６２】  輻射熱伝導熱断熱素材２２ｃは、熱伝導を抑制する機能と、輻射による熱を遮断する機能との双方の機能を奏する断熱性素材である。
輻射熱伝導熱断熱素材２２ｃとしての（ｖｉｉ）（ｖｉｉｉ）金属蒸着膜付断熱性不織布素材２２ｃとしては、例えば、上記の熱伝導断熱素材製シート２２ａにアルミニウム蒸着薄膜２２ｂを形成したアルミ蒸着膜付断熱性不織布素材、又は、上記の熱伝導断熱素材製シート２２ａに金属薄膜２２ｂを付着形成した金属薄膜付断熱性不織布素材などが使用できる。
（ｉｘ）金属蒸着膜付柔軟性発泡プラスチック素材２２ｃとしては、例えば、上記の柔軟性発泡プラスチック２２ａにアルミニウム薄膜２２ｂを蒸着形成したアルミ蒸着膜付柔軟性発泡プラスチック素材、又は、上記の柔軟性発泡プラスチックに所望の金属膜を蒸着形成した金属蒸着膜付柔軟性発泡プラスチック素材などが使用できる。
すなわち、輻射熱伝導熱断熱素材２２ｃは、熱伝導断熱素材２２ａと金属膜輻射断熱素材２２ｂとが積層されて構成され、その積層形態としては、熱伝導断熱素材２２ａの表面に直接に金属膜輻射断熱素材２２ｂを蒸着形成した構成、及び、熱伝導断熱素材２２ａとに金属膜輻射断熱素材２２ｂとを接合手段により積層形成した構成が実施できる。
このような輻射熱伝導熱断熱素材２２ｃは、前述の熱伝導断熱素材２２ａに起因する表裏方向の熱伝導を抑制する性質を有するとともに、金属膜輻射断熱素材２２ｂに起因する平面方向に熱を良好に伝える熱伝導性を有し、更に、平滑平面に形成した金属製シートは熱を反射する輻射性能を有する。従って、輻射熱伝導熱断熱素材製シート２２ｃは、熱伝導断熱素材に起因する冷却媒体からの冷気を熱伝導断熱素材の低い熱伝導性により熱を内部に閉じ込めて、外部に逃げる冷気を抑制する効果と、金属膜輻射断熱素材２２ｂに起因する金属面において冷却媒体から発する冷気を平面方向に均一に伝導することにより冷気の平面方向のバラツキを抑制するとともに、冷却媒体からの冷気を金属面の輻射により内部に閉じ込めて、外部に逃げる冷気を抑制する効果との双方の効果を奏する。その結果、（イ）頭部全体を冷却可能である冷却性能に優れる頭部全体冷却性能、及び、（ハ）長時間の冷却維持性能に優れる長時間冷却維持性能、等が著しく向上した頭部冷却用具が得られる。【００６３】  本発明において、特に望ましくは、シート状表面部材２は、少なくとも、（ｖｉ）基材の少なくとも一方の面に金属薄膜を付着形成した基材付金属薄膜素材を構成し、前記基材は、織布、不織布、プラスチック製シート、断熱性不織布、フェルト材、ニードルパンチ材、及び、柔軟性発泡プラスチックシートのうちの少なくとも一つの基材であり、少なくとも一つの熱伝導を抑制する機能と輻射による熱を遮断する機能との双方の機能を奏する輻射熱伝導熱断熱素材、を有する断熱性素材を備える。
表面部材中間層２２としての断熱性素材２２としては、特に、熱伝導断熱素材２２ａ、金属膜輻射断熱素材２２ｂ、及び、輻射熱伝導熱断熱素材２２ｃを種々に組み合わせた構成の表面部材中間層２２を有する構成が実施できる。
表面部材中間層２２としての断熱性素材２２として、熱伝導断熱素材２２ａ、金属膜輻射断熱素材２２ｂ、及び、輻射熱伝導熱断熱素材２２ｃを種々に組み合わせた構成により、「（イ）金属薄膜の平面方向への熱伝導により冷熱が頭部全体に均一に伝達し、それにより、頭部全体を冷却可能で冷却性能に優れる、（ハ）熱伝導断熱性能と輻射断熱性能との組み合わせにより、長時間の冷却維持性能に優れる」の効果が更に著しく向上した頭部冷却用具が得られる。【００６４】  なお、上記の記載において、「金属薄膜素材」の語句は、例えば、蒸着により形成された金属蒸着薄膜、金属の延伸、展伸、圧伸等の機械的薄化処理により形成された金属薄膜、その他の方法により製造された約１μｍ以下の厚さを有する金属製のシート状素材を意味する。「金属箔素材」の語句は、例えば、アルミニウム、その他の金属により製造された約１μｍ〜約１００μｍの厚さを有する金属製のシート状素材を意味する。【００６５】  本発明に構成されるシート状表面部材２は積層された複数種類の表面素材より構成され、前記複数種類の表面素材は、少なくとも、（Ａ）表面部材最表層２１に構成される、所望の機能を有する所望機能性素材２１、（Ｂ）表面部材中間層に構成される断熱性素材２２、及び、（Ｃ）最裏層に構成される、前記冷却媒体を収納した状態において破損なく使用可能な機械的強度を有する冷却媒体保持素材２３、を備える。
これにより、（ホ）通常の帽子と同じ感覚で頭部着脱が容易な着脱使用性能、（ヘ）所望の色彩のデザイン化された外観を有するとともに所望装飾デザイン性に優れる所望装飾デザイン性能、（ハ）収納されている冷却媒体の冷気を外部に逃がし難く冷却維持時間を最大限に長く維持することが可能になる長時間の冷却維持性能に優れる長時間冷却維持性能、（ニ）繰り返し使用が容易に可能である経済性に優れる繰返使用性能、有する頭部冷却用具が得られる。【００６６】  本発明に構成されるシート状表面部材２の一実施例の概略模式図が図５に示され、（Ａ）、（Ｂ）、（Ｃ）は断面の概略模式図であり、（Ｄ）は斜視の概略模式図である。
図５の（Ａ）に示されるように、シート状表面部材２は表面部材最表層２１としての所望機能性素材２１と、表面部材中間層２２としての断熱性素材２２と、最裏層２３としての冷却媒体保持素材２３とを備える構成が実施できる。
また、図５の（Ｂ）に示されるように、表面部材中間層２２としての断熱性素材２２が、熱伝導断熱素材２２ａと、基材付金属薄膜素材（金属膜輻射断熱素材）２２ｂとを備えた構成が実施できる。この場合、金属薄膜面が裏層側に位置する構成が望ましい。
また、図５の（Ｃ）に示されるように、表面部材中間層２２としての断熱性素材２２が、熱伝導断熱素材２２ａと、断熱性基材の表面に金属薄膜を付着形成した輻射断熱素材（金属膜輻射断熱素材）２２ｂとを積層した輻射熱伝導熱断熱素材２２ｃが実施できる。（Ｂ）の基材付金属薄膜素材（金属膜輻射断熱素材）２２ｂは基材の表面に金属薄膜を付着形成した素材であり、（Ｃ）の輻射熱伝導熱断熱素材２２ｃは断熱基材の表面に金属薄膜を付着形成した素材である。この場合、金属薄膜面が裏層側に位置する構成が望ましい。【００６７】  本発明において、望ましくは、シート状表面部材２は、少なくとも、冷却媒体８に接触する側に配置された冷却媒体保持素材２３と、冷却媒体保持素材２３の表面側に配置された断熱性素材２２を備え、冷却媒体保持素材２３は、ネット状貫通孔、メッシュ状貫通孔、網目状貫通孔、及び、微小貫通孔からなる群から選ばれる少なくとも一つの貫通孔を有する貫通孔性通気性素材より形成され、断熱性素材２２は、輻射による熱を遮断する機能を奏する金属膜輻射断熱素材２２ｂ及び／又は輻射熱伝導熱断熱素材２２ｃである。
金属膜輻射断熱素材２２ｂは、（ｉｖ）金属箔素材と、（ｖ）金属蒸着により形成された金属薄膜素材と、（ｖｉ）基材に金属薄膜を付着形成した基材付金属薄膜素材と、のうちの少なくとも一つの輻射による熱を遮断する機能を奏する金属膜輻射断熱素材、及び／又は、（ｖｉｉ）断熱性不織布に金属薄膜を付着形成した金属薄膜付不織布素材と、（ｖｉｉｉ）柔軟性発泡プラスチックに金属薄膜を付着形成した金属薄膜付柔軟性発泡プラスチック素材と、のうちの少なくとも一つの熱伝導を抑制する機能と輻射による熱を遮断する機能との双方の機能を奏する輻射熱伝導熱断熱素材２２ｃ、の構成を有する。
冷却媒体８に起因する冷気が前記貫通孔形成素材に形成されている貫通孔を通って金属膜輻射断熱素材２２ｂ及び／又は輻射熱伝導熱断熱素材２２ｃに貫通可能に構成され、冷却媒体８に起因する冷気がシート状表面部材２の表面側に伝導することを抑制することを特徴とする。
この場合、金属膜輻射断熱素材２２ｂ及び／又は輻射熱伝導熱断熱素材２２ｃに構成される金属面が冷却媒体保持素材２３の側に位置する構成が望ましい。
金属膜輻射断熱素材２２ｂの具体例としては、前述の（ｉｖ）金属箔素材、（ｖ）金属膜素材、（ｖｉ）金属膜輻射断熱素材、（ｖｉｉ、ｖｉｉｉ）金属薄膜膜付不織布素材、（ｉｘ）金属薄膜付柔軟性発泡プラスチック素材、等の輻射熱伝導熱断熱素材等が使用できる。
これにより、金属膜輻射断熱素材製のシートは、金属面において冷却媒体から発する冷気を平面方向に均一に伝導することにより冷気の平面方向のバラツキを抑制するとともに、冷却媒体からの冷気を金属面の輻射により内部に閉じ込めて、外部に逃げる冷気を抑制する効果が更に著しく向上し、その結果、「（イ）頭部全体を冷却可能で冷却性能に優れる、（ハ）長時間の冷却維持性能に優れる」の効果が更に著しく向上した頭部冷却用具が得られる。【００６８】  シート状表面部材２の表面部材最表層の所望機能性素材２１としては、特に限定されないが、（ｉ）色彩的絵柄的装飾性素材（色彩又は絵柄などの装飾的外観における所望の素材）、（ｉｉ）良感触性素材（手触り又は装着感などの感触的観点における所望の素材）、（ｉｉｉ）良撥水性素材（撥水性に優れた素材）、（ｉｖ）良断熱性素材（熱伝導が低い又は熱を輻射する性能が高いなどの断熱性に優れた素材）、（ｖ）良機械的強度性素材（破れ難い、耐摩擦性、型崩れし難い、等の機械的強度に優れた素材）、（ｖｉ）柔軟性素材（装着したときに人体頭部の形状に馴染みやすい柔軟性を有する素材）、（ｖｉｉ）良抗菌性素材（菌が付着し難い、又は、菌の増殖を抑制する、又は殺菌する性質を備えた素材）、（ｖｉｉｉ）良汚染耐性素材（汚れ難いなどの汚染しにくい性質を有する素材）、（ｉｘ）良洗濯劣化耐性素材（繰返しの洗濯に対しても劣化の少ない素材）、（ｘ）軽量性素材（装着時に重苦しさを軽減する軽く感じる素材）、（ｘｉ）通気性素材（装着時に、例えばメッシュ素材等の貫通孔形成素材などの頭部の蒸れ感を軽減する素材）、（ｘｉｉ）熱融着接合可能性素材（例えば、少なくともポリエチレン繊維又はポリプロピレン繊維を含有する不織布製であって、加熱により他の繊維と接合可能な素材）、からなる群から選ばれる少なくとも一つの素材が望ましい。
所望機能性素材２１としては、例えば、合成繊維、天熱繊維、皮革などの素材を用いて所望の性能を付与するように製造した素材が使用できる。
このような所望の機能を有する素材を選択してシート状表面部材２の最表面に構成することにより、（ヘ）所望の色彩のデザイン化された外観を有するとともに所望装飾デザイン性に優れる所望装飾デザイン性能を奏する頭部冷却用具が得られる。【００６９】  本発明の一実施例の頭部冷却用具の断面の概略模式図が図９に示される。図９の（Ａ）、（Ｂ）において、シート状表面部材２は、表面部材最表層２１（所望機能性素材）と、  表面部材中間層２２（断熱性素材）と、表面部材最裏層２３（冷却媒体保持素材、表面素材メッシュ状貫通孔布素材）とから構成される。表面部材中間層２２（断熱性素材）は、綿状の断熱性不織布により調製された熱伝導断熱素材２２ａと、紙状の不織布基材２２ｂの表面に付着形成された金属製薄膜により調製された輻射熱伝導熱断熱素材２２ｃにより構成される。冷却媒体８は、シート状表面部材２と、シート状内面部材３とらより形成された収納部４の中に収納されて設置されている。【００７０】＜シート状内面部材について＞
本頭部冷却用具において、望ましくは、前記シート状内面部材は積層された複数種類の内面素材より構成され、前記複数種類の内面素材は、少なくとも、（Ａ）内面部材最表層に構成される所望の機能を有する所望機能性素材、（Ｂ）内面部材中間層に構成される断熱性素材又は柔軟性素材、及び、（Ｃ）内面部材最裏層に構成される、前記冷却媒体を収納した状態において破損なく使用可能な機械的強度を有する冷却媒体保持素材、を備えることを特徴とする。
すなわち、シート状内面部材３は、シート状表面部材２の構成と概略同じ素材により形成された構成も実施可能である。
望ましくは、冷却媒体保持素材としては、破損なく使用可能な機械的強度を有するとともに、前記断熱性素材又は柔軟性素材よりも小さい断熱性を有する冷却媒体保持素材の使用が望ましい。
特に、内面部材中間層として断熱性素材を構成した頭部冷却用具は、冷却媒体８が断熱性能を有する表面部材断熱性素材２２と内面部材断熱性素材３２とに囲まれて収納されているために、永い冷却保持時間を奏する頭部冷却用具が得られる。
すなわち、「（ワ）冷却媒体の収納部を構成するシート状表面部材とシート状内面部材が同じ断熱性を有する断熱性素材により形成された構成により、冷え過ぎ感の抑制された快適冷却感を得るとともに快適冷却持続時間を延長できる快適装着感持続時間延長効果」が得られる。【００７１】  本発明に構成される頭部冷却用具の一実施例の断面の概略模式図が図１０（Ａ）、（Ｂ）に示される。
例えば、図１０（Ａ）、（Ｂ）に示されるように、シート状内面部材３は、内面部材最表層３１（所望機能性素材）と内面部材中間層３２（断熱性素材）と、内面部材最裏層３３（冷却媒体保持素材、表面素材メッシュ状貫通孔布素材）とから構成される。
他の実施例として、例えば、図９（Ａ）に示されるように、シート状内面部材３は内面部材最裏層３３（冷却媒体保持素材、表面素材メッシュ状貫通孔布素材）から構成される構成、又は、図９（Ｂ）に示されるように、シート状内面部材３は内面部材最裏層３３（冷却媒体保持素材、表面素材メッシュ状貫通孔布素材）と内面部材中間層３２（断熱性素材又は柔軟性素材）とにより構成された構成が実施できる。【００７２】  本頭部冷却用具において、望ましくは、前記シート状内面部材は、少なくとも、（ｉ）柔軟性を有する綿状断熱性不織布素材と、（ｉｉ）柔軟性を有する柔軟性発泡プラスチック素材と、（ｉｉｉ）微細空洞孔形成繊維製素材と、のうちの少なくとも一つの熱伝導を抑制する機能を奏する熱伝導断熱素材、及び、（ｉｖ）金属箔素材と、（ｖ）金属蒸着により形成された金属薄膜素材と、（ｖｉ）基材に金属薄膜を付着形成した基材付金属薄膜素材と、のうちの少なくとも一つの輻射による熱を遮断する機能を奏する金属膜輻射断熱素材、及び、（ｖｉｉ）綿状断熱性不織布に金属薄膜を付着形成した金属薄膜付断熱性不織布素材と、（ｖｉｉｉ）フェルト基材又はニードルパンチ基材に金属薄膜を付着形成した金属薄膜付断熱性不織布素材と、（ｉｘ）柔軟性発泡プラスチックに金属薄膜を付着形成した金属薄膜付柔軟性発泡プラスチック素材と、のうちの少なくとも一つの熱伝導を抑制する機能と輻射による熱を遮断する機能との双方の機能を奏する輻射熱伝導熱断熱素材、及び、（ｘ）約０．３ｍｍ厚以上のフェルト材と、（ｘｉ）約０．３ｍｍ厚以上のニードルパンチ材と、（ｘｉｉ）約０．３ｍｍ厚以上の起毛製布材と、（ｘｉｉｉ）約０．３ｍｍ厚以上の肉厚織布材と、のうちの少なくとも一つの約０．３ｍｍ厚以上の保冷性布素材、のうちの少なくとも一つの断熱性素材を備える。
特に、断熱性素材を構成した頭部冷却用具は、冷却媒体８が断熱性能を有する表面部材断熱性素材２２と内面部材断熱性素材３２とに囲まれて収納されているために、永い冷却保持時間を奏する頭部冷却用具が得られる。
すなわち、「（ワ）冷却媒体の収納部を構成するシート状表面部材とシート状内面部材が断熱性を有する断熱性素材により形成された構成により、冷え過ぎ感の抑制された快適冷却感を得るとともに快適冷却持続時間を延長できる快適装着感持続時間延長効果」が得られる。【００７３】  本発明において、望ましくは、シート状内面部材３は、人体頭部に装着された時に、人体頭部に接触する側に、接触冷感を奏する冷感素材を構成したことを特徴とする。
接触冷感を奏する冷感素材としては、例えば、下着、ドレスシャツなどのクールビズ製品に汎用されている素材が使用され、例えば、（ｘｉｉ）水分となじみの良い水酸基を多く含むポリビニールアルコールとポリエチレンとの複合プラスチック繊維エバール（商品名：クラレ製ソフィスタ）を使用した布材、（ｘｉｉｉ）吸湿性と放湿性を向上させたポリアミド繊維（商品名：改質ナイロン）を使用した布材、（ｘｉｖ）吸湿性と放湿性を向上させた異形断面形状を有するポリエステル繊維（商品名：ユニチカ製ハイグラＬＵ）、（ｘｖ）吸水速乾性のある異形断面ポリエステル繊維を縦糸に用いるとともに緯糸に凹凸表面形成して通気性を向上した綿糸を用いて編成した高い通気性を有する高通気性布材が使用できる。【００７４】  本発明において、望ましくは、シート状内面部材３は、表裏方向において、シート状表面部材２よりも高い通気性能を有する通気性素材より構成されている。
このようなシート状内面部材３としては、特に限定されないが、例えば、粗い折り目を有する通気性織布シート、粗い嵩密度を有する通気性不織布シート、微細な貫通孔を有する貫通孔形成織布シート又は貫通孔形成不織布シート、微細な貫通孔を有する通気性プラスチック製シート、等が使用できる。
これにより、頭部冷却用具を人体頭部に装着したときに、収納部に収納されている冷却媒体８に起因する冷気がシート状内面部材３を通気して、人体頭部に到達しやすくなり、その結果、（イ）頭部全体を冷却可能である冷却性能に優れる頭部全体冷却性能、（ハ）長時間の冷却維持性能に優れる長時間冷却維持性能、が著しく向上した頭部冷却用具が得られる。【００７５】  本頭部冷却用具において、望ましくは、シート状内面部材３は、メッシュ状貫通孔、ネット状貫通孔、網目状貫通孔、及び、微小貫通孔からなる群から選ばれる少なくとも一つの貫通孔を有する貫通孔形成素材より形成され、人体頭部に装着された時に、収納部４に収納された冷却媒体８に起因する冷気が貫通孔を通じて人体頭部に伝わる機能を奏する構成が望ましい。
図６は、本発明の一実施例の頭部冷却用具に構成されるシート状内面部材の構成模式図であり、（Ａ）〜（Ｄ）は側面（又は断面）の構成模式図であり、（Ｅ）〜（Ｇ）は表面から見た平面の構成模式図である。【００７６】  「メッシュ状貫通孔」と「ネット状貫通孔」と「網目状貫通孔」と「微小貫通孔」の語句の明確な差異は区別できないが、例えば、以下の貫通孔形成素材が使用される。
メッシュ状貫通孔を有する貫通孔形成素材としては、特に限定されないが、例えば、図６の（Ｆ）に示されるような、ポリエステル繊維・ポリアミド繊維・その他の汎用の合成繊維、綿・羊毛・麻・その他の汎用の天然繊維、これらの合成繊維と天然繊維との混合繊維を、所望形状のメッシュ状に編成したメッシュ状編成繊維が使用され、その開孔率が、例えば、約１０〜約８０％のメッシュ状編成繊維が望ましく、特に、開孔率が約３０〜６０のメッシュ状編成繊維が望ましい。メッシュ開孔形状としては特に限定されなく、例えば、正方形、長方形、円、楕円、多角形などであって、開孔径が約０．５〜５ｍｍの任意のメッシュ開孔形状が使用可能である。メッシュ状編成繊維の開孔率が高くなるに従って、収納部４に収納された冷却媒体８に起因する貫通孔を通じて人体頭部に伝わる冷気が多くなり、逆に、機械的強度は低下する傾向にあり、人体頭部への熱伝達と機械的強度を勘案して、特に、開孔径が約１〜約３ｍｍ開孔率が約３０〜６０のメッシュ状編成繊維が望ましい。
メッシュ状貫通孔を有する貫通孔形成素材としては、上記のほかに、強い機械的強度を有するプラスチック製シートを打ち抜き成形して上記に類似の開孔形状と開孔率を有するメッシュ状プラスチック製シートも使用できる。【００７７】  ネット状貫通孔又は網目状貫通孔を有する貫通孔形成素材としては、特に限定されないが、例えば、図６の（Ｅ）に示されるような、所望の太さの合成繊維、天然繊維又はこれらの混合繊維を、正方形、長方形、円、楕円、多角形などの所望のネット状貫通孔又は網目状貫通孔の形状に編んだ貫通孔形成素材が使用できる。
微小貫通孔を有する貫通孔形成素材としては、特に限定されないが、例えば、図６の（Ｇ）に示されるような、繊維を編成して粗い網目としての微小貫通孔を有する微小貫通孔繊維編成、又は、強い機械的強度を有するプラスチック製シートを打ち抜き成形して上記に類似の開孔形状と開孔率を有する微小貫通孔プラスチック製シートが使用できる。【００７８】  これにより、「頭部冷却用具を人体頭部に装着したときに、収納部に収納されている冷却媒体８に起因する冷気がシート状内面部材３を通気して、人体頭部に到達しやすくなり、その結果、（イ）頭部全体を冷却可能である冷却性能に優れる頭部全体冷却性能、（ハ）長時間の冷却維持性能に優れる長時間冷却維持性能、が著しく向上した頭部冷却用具が得られる」という効果が更に著しく発揮される頭部冷却用具が得られる。【００７９】  なお、前述の積層された複数種類の表面素材より構成されシート状表面部材の最裏層に構成される冷却媒体保持素材として、上記のような、メッシュ状貫通孔、ネット状貫通孔、網目状貫通孔、及び、微小貫通孔からなる群から選ばれる少なくとも一つの貫通孔を有する貫通孔形成素材より形成される構成が実施可能である。
特に、シート状内面部材３が、メッシュ状貫通孔、ネット状貫通孔、網目状貫通孔、及び、微小貫通孔からなる群から選ばれる少なくとも一つの貫通孔を有する貫通孔形成素材より形成されるとともに、シート状表面部材の最裏層に構成される冷却媒体保持素材が前記のシート状内面部材３と同じ貫通孔形成素材より形成された構成が、望ましい。
これにより、前述の（イ）と（ハ）の効果に加えて、（リ）容易に安価に収納部を有する頭部冷却用具の製造が可能になり収納部安価量産性を有する頭部冷却用具が得られる。【００８０】  本頭部冷却用具において、望ましくは、シート状内面部材３は、少なくとも柔軟性を有する内面部材柔軟性素材を構成し、前記内面部材柔軟性素材が人体頭部側に構成されてなり、人体頭部に装着された時に、冷却媒体に起因する硬さ感を抑制する機能を奏することを特徴とする。
図９は、本発明の一実施例の頭部冷却用具の収納開口部の断面の構成模式図である。例えば、図９（Ａ）に示されるように、シート状内面部材３として内面部材冷却媒体保持素材３３を構成し、その内面部材冷却媒体保持素材３３が内面部材柔軟性素材３２としての機能を奏する構成が実施できる。【００８１】  本頭部冷却用具において、望ましくは、シート状内面部材３は、少なくとも、内面部材冷却媒体保持素材と内面部材裏面素材とにより構成され、内面部材裏面素材は、人体頭部側に構成され、収納部に収納されている冷却媒体の人体頭部への直接の接触を防止して前記冷却媒体に起因する冷気を抑制する機能を奏することを特徴とする。
例えば、図９（Ｂ）に示されるように、シート状内面部材３が内面部材冷却媒体保持素材３３と内面部材柔軟性素材３２とを構成し、人体頭部側に内面部材柔軟性素材３２が構成された構成が実施可能である。この場合、内面部材裏面素材が内面部材柔軟性素材３２の機能を奏する。【００８２】  このような内面部材柔軟性素材３２としては、特に限定されないが、例えば、綿・羊毛等の天然繊維、又は、ポリアクリル繊維・ポリエステル繊維・ポリアミド繊維等の合成繊維、天然繊維と合成繊維との混紡繊維を使用した繊維編成織布が使用できる。特に、少なくとも綿生地を含有使用した平織又は伸縮性を有する織布が望ましく、これにより、冷却媒体に起因する硬さ感を抑制する機能を奏するとともに、優れた吸湿性を奏する内面部材柔軟性素材が得られ、頭部冷却用具を人体頭部に装着した時に頭部の湿気感を低減して優れた爽快感が得られる。【００８３】  本頭部冷却用具において、望ましくは、シート状内面部材３は、シート状表面部材２より、表裏方向において小さい断熱性能を有することを特徴とする。
これにより、頭部冷却用具１が人体頭部に装着された時に、収納部４に収納された冷却媒体８に起因する冷気が、人体頭部に伝わりやすく、シート状内面部材３の表面側に伝わりにくくなるとともに、更に、人体頭部を冷却する時間が永くなるとともに、シート状内面部材３を通って頭部冷却用具１の外側に逃げる冷気が抑制され、冷却持続時間が永くなる効果が得られる。
更に、頭部冷却用具１が人体頭部に装着された時に、冷えすぎて不快感を感じる場合には、頭部冷却用具を裏返して、シート状表面部材２の側を人体頭部に接触した状態で装着することにより、冷えすぎて不快感を抑制して、快適な冷却装着感を得ることが可能となる、効果が得られる。
すなわち、「（オ）冷却媒体の収納部を構成するシート状表面部材とシート状内面部材との断熱性が異なる構成において、冷え過ぎた冷却媒体を収納した頭部冷却用具を裏返して使用可能な構成により、冷え過ぎ感の抑制された快適冷却感を得るとともに快適冷却持続時間を延長できる快適装着感持続時間延長効果」が得られる。【００８４】  特に望ましくは、シート状表面部材２が少なくとも断熱性素材を構成するとともに、シート状表面部材２が前記シート状内面部材より、表裏方向において高い断熱性能を有する断熱性素材を少なくとも構成する。
これにより、収納されている冷却媒体の冷気が頭部冷却用具の外部よりも人体頭部側により多く閉じ込められ、その結果、（イ）頭部全体を冷却可能である冷却性能に優れる頭部全体冷却性能、（ハ）長時間の冷却維持性能に優れる長時間冷却維持性能、等の冷却性能が向上する効果が得られる。【００８５】  本頭部冷却用具において、望ましくは、
前記シート状内面部材は、前記シート状表面部材と比べて略同程度の断熱性を有する素材により構成されてなることを特徴とする。
これにより、冷却媒体８が断熱性能を有するシート状表面部材２とシート状内面部材３とに囲まれて収納されているために、永い冷却保持時間を奏する頭部冷却用具が得られる。すなわち、「（ワ）冷却媒体の収納部を構成するシート状表面部材とシート状内面部材が同じ断熱性を有する断熱性素材により形成された構成により、冷え過ぎ感の抑制された快適冷却感を得るとともに快適冷却持続時間を延長できる快適装着感持続時間延長効果」などの優れた効果を奏する頭部冷却用具が得られる。【００８６】  本頭部冷却用具において、望ましくは、前記シート状内面部材は、前記シート状表面部材と比べて略同程度の断熱性を有する素材により構成されるとともに、（ｉ）前記シート状内面部材の側を人体頭部に接触して人体頭部に装着する、及び、（ｉｉ）前記シート状表面部材の側を人体頭部に接触して人体頭部に装着する、のいずれの装着も可能に構成されてなることを特徴とする。
この構成により、前述の「（ワ）快適装着感持続時間延長効果」が得られる。【００８７】  この構成において、特に、前記シート状内面部材は積層された複数種類の内面素材より構成され、
前記複数種類の内面素材は、少なくとも、（Ａ）内面部材最表層に構成される、所望の機能を有する所望機能性素材、（Ｂ）内面部材中間層に構成される断熱性素材、及び、（Ｃ）内面部材最裏層に構成される、前記冷却媒体を収納した状態において破損なく使用可能な機械的強度を有するとともに、前記断熱性素材よりも小さい断熱性を有する冷却媒体保持素材、を備え構成が望ましい。
例えば、シート状内面部材３がシート状表面部材２と概略同じ素材により構成され、
内面部材最表層に構成される所望の機能を有する所望機能性素材の色柄のみが異なるように構成することにより、装着者の好みに応じて、（ｉ）前記シート状内面部材の側を人体頭部に接触して人体頭部に装着する、及び、（ｉｉ）前記シート状表面部材の側を人体頭部に接触して人体頭部に装着する、のいずれかを選択して装着できる。
これにより、前述の「（ワ）快適装着感持続時間延長効果」が得られるとともに、「（カ）複数種類の表面素材より構成されたシート状表面部材と複数種類の内面素材より構成されたシート状内面部材を有する構成により、裏返して装着することが可能であり、所望の色彩のデザイン化された外観を有するとともに所望装飾デザイン性に優れる所望装飾デザイン性能を有する側を表面側にして装着できるリバーシブル装着」などの効果が得られる。【００８８】  シート状内面部材２の内面部材最表層の所望機能性素材２１としては、特に限定されないが、（ｉ）色彩的絵柄的装飾性素材（色彩又は絵柄などの装飾的外観における所望の素材）、（ｉｉ）良感触性素材（手触り又は装着感などの感触的観点における所望の素材）、（ｉｉｉ）良撥水性素材（撥水性に優れた素材）、（ｉｖ）良断熱性素材（熱伝導が低い又は熱を輻射する性能が高いなどの断熱性に優れた素材）、（ｖ）良機械的強度性素材（破れ難い、耐摩擦性、型崩れし難い、等の機械的強度に優れた素材）、（ｖｉ）柔軟性素材（装着したときに人体頭部の形状に馴染みやすい柔軟性を有する素材）、（ｖｉｉ）良抗菌性素材（菌が付着し難い、又は、菌の増殖を抑制する、又は殺菌する性質を備えた素材）、（ｖｉｉｉ）良汚染耐性素材（汚れ難いなどの汚染しにくい性質を有する素材）、（ｉｘ）良洗濯劣化耐性素材（繰返しの洗濯に対しても劣化の少ない素材）、（ｘ）軽量性素材（装着時に重苦しさを軽減する軽く感じる素材）、（ｘｉ）通気性素材（装着時に、例えばメッシュ素材等の貫通孔形成素材などの頭部の蒸れ感を軽減する素材）、（ｘｉｉ）熱融着接合可能性素材（例えば、少なくともポリエチレン繊維又はポリプロピレン繊維を含有する不織布製であって、加熱により他の繊維と接合可能な素材）、からなる群から選ばれる少なくとも一つの素材が望ましい。
所望機能性素材２１としては、例えば、合成繊維、天然繊維、皮革などの素材を用いて所望の性能を付与するように製造した素材が使用できる。
このような所望の機能を有する素材を選択してシート状表面部材２の最表面に構成することにより、（ヘ）所望の色彩のデザイン化された外観を有するとともに所望装飾デザイン性に優れる所望装飾デザイン性能を奏する頭部冷却用具が得られる。【００８９】＜不織布製及び／又はフェルト材製、ニードルパンチ材製の断熱性素材をシート状内面部材とシート状表面部材とに構成した頭部冷却用具について＞
本発明の頭部冷却用具において、望ましくは、前記シート状内面部材と前記シート状表面部材の双方の部材が、（ｉ）柔軟性を有する綿状断熱性不織布素材、（ｉｉ）柔軟性を有する柔軟性発泡プラスチック素材、（ｖｉ）不織布に金属薄膜を付着形成した基材付金属薄膜素材、（ｖｉｉ）綿状断熱性不織布に金属薄膜を付着形成した金属薄膜付断熱性不織布素材、（ｘ）約０．３ｍｍ厚以上のフェルト材、及び、（ｘｉ）約０．３ｍｍ厚以上のニードルパンチ材、からなる群から選ばれる少なくとも一つの断熱性素材により形成され、前記シート状内面部材と前記シート状表面部材は、（ａ）互いに同じ断熱性素材、又は、（ｂ）互いに異なる断熱性素材により形成され、他の素材を構成しなく、前記収納部は、これらの少なくとも一つの断熱性素材により構成された前記シート状内面部材と前記シート状表面部材とにより形成される、ことを特徴とする。【００９０】  本発明の頭部冷却用具において、望ましくは、前記シート状内面部材と前記シート状表面部材の双方の部材は、（ｉ）柔軟性を有する綿状断熱性不織布素材、（ｉｉ）柔軟性を有する柔軟性発泡プラスチック素材、（ｖｉ）不織布に金属薄膜を付着形成した基材付金属薄膜素材、及び、（ｖｉｉ）綿状断熱性不織布に金属薄膜を付着形成した金属薄膜付断熱性不織布素材、  からなる群から選ばれる少なくとも２種の断熱性素材により形成され、前記シート状内面部材と前記シート状表面部材は、（ａ）互いに同じ断熱性素材、又は、（ｂ）互いに異なる断熱性素材により形成され、他の素材を構成しなく、前記収納部は、これらの少なくとも２種の断熱性素材により構成された前記シート状内面部材と前記シート状表面部材とにより形成される、ことを特徴とする。【００９１】  本発明の頭部冷却用具において、望ましくは、前記シート状内面部材と前記シート状表面部材の双方の部材は、（ｉ）柔軟性を有する綿状断熱性不織布素材、（ｉｉ）柔軟性を有する柔軟性発泡プラスチック素材、（ｖｉ）不織布に金属薄膜を付着形成した基材付金属薄膜素材、及び、（ｖｉｉ）綿状断熱性不織布に金属薄膜を付着形成した金属薄膜付断熱性不織布素材、からなる群から選ばれる少なくとも２種の熱により融着して接合可能な熱融着性断熱性素材から構成され、前記シート状内面部材と前記シート状表面部材は、（ａ）互いに同じ断熱性素材、又は、（ｂ）互いに異なる断熱性素材により形成され、前記収納部は前記シート状内面部材と前記シート状表面部材との熱融着により接合されて形成されてなることを特徴とする。【００９２】  上記の断熱性素材を構成したシート状内面部材とシート状表面部材との組み合わせ構成としては、例えば、次の構成が実施可能である。
（イ）シート状内面部材が１種類の断熱性素材により構成され、シート状表面部材が同じ種類の１種類の断熱性素材により構成される構成。
（ロ）シート状内面部材が１種類の断熱性素材により構成され、シート状表面部材が異なる種類の１種類の断熱性素材により構成される構成。
（ハ）シート状内面部材が２種類以上の断熱性素材により構成され、シート状表面部材が同じ種類の２種類以上の断熱性素材により構成される構成。
（ニ）シート状内面部材が２種類以上の断熱性素材により構成され、シート状表面部材が異なる種類の２種類以上の断熱性素材により構成される構成。
（ホ）シート状内面部材が２種類以上の断熱性素材により構成され、シート状表面部材が２種類以上の断熱性素材により構成され、シート状表面部材に構成された２種類以上の断熱性素材のうちの少なくとも１種がシート状内面部材に構成された断熱性素材と同じ断熱性素材であり、他の１種が異なる断熱性素材により構成される構成。【００９３】  このような、不織布製及び／又はフェルト材製、ニードルパンチ材製の断熱性素材をシート状内面部材とシート状表面部材とに構成した頭部冷却用具は、「ハ）断熱素材を構成する構成により、長時間の冷却維持性能に優れる長時間冷却維持性能」が得られる。【００９４】＜「不織布」の定義について＞
本発明において、不織布は、繊維を織らずに絡み合わせたシート状のものを意味し、例えば、短繊維又は長繊維を熱的・機械的又は化学的な作用によって接着又は絡み合わせることでシート状に形成したものを意味する。これに対して、織布は、繊維を撚って糸にしたものを織ってシート状に形成したものを意味する。
不織布の原料としては繊維状に加工できるほとんどの物質を使用することができ、複数の原料を組み合わせて、繊維の長さ・太さなどの繊維形状を調整した繊維を使用することにより、目的・用途に応じた機能を有する不織布を製造できる。
一般的に不織布は次のように性質を有する。
・合成繊維、天然繊維などの複数の素材を単に混合するだけの手段により、保温性、保冷性、通気性、吸湿性、保水性、撥水性、難燃性、柔軟性、伸縮性、弾性、機械的強度、等の所望の性質を有するものを容易に製造できる。
・所望の厚みを有するシート状のものを容易に製造できる。
・所望温度の加熱により溶融する繊維（例えば、ポリエチレン繊維、ポリプロピレン繊維等）を含有せしめることにより、加熱融着により他のシートと容易に接合して加工することができる。（これに対して、織布は縫製又は接着剤使用により他のシートと接合する必要がある）。
・ランダムに結合されたものは強度、伸びなどに方向性を持つことなく均等な強度や伸びを有する。
・大量生産が可能で、安価に製造できる。【００９５】  本発明において、不織布としては、次のようなものが含まれる。
（ａ）断熱性能を有する不織布。例えば、所望の空隙率を有するとともに、比較的厚い厚さ（例えば約０．５ｍｍ以上の厚さ、望ましくは、約１ｍｍ以上の厚さ）を有する不織布製シート。一般に、衣料用分野においては保温を目的として使用されているもの（例えば、シート状の防寒用中入綿等）、及び、フィルターとして使用されているもの（空気清浄用フィルター、防塵用フィルター、ろ過用フィルター）であり、適度な空隙率と柔軟性を有し、空隙率が大きくなるにしたがって機械的強度が弱くなる傾向がある。機械的強度が弱い不織布の場合には強い機械的強度を有する他の布材と併用して使用される場合が多い。
（ｂ）織布に近い機械的強度を有するとともに紙に近い比較的薄い厚さ（例えば、約１ｍｍ未満の厚さ、望ましくは、約０．５ｍｍ未満の厚さ）であって、柔軟性を有する紙状の不織布。例えば、汎用の不織布製マスク、不織布製ガーゼ、キッチンペーパー、保護用緩衝材、不織布製ウェットティッシュ基材、等のような織布に近い機械的強度を有して単独使用も可能な紙状の不織布。なお、この紙状不織布は、若干の断熱性を有し、断熱性能を有する不織布と明確な区別ができるものではない。
（ｃ）フェルト材。フェルト材も不織布の一種であり、天熱繊維や化学繊維を編むことなく縮絨（シュクジュウ）して、互いに絡み合わせて、薄く板状に圧縮して形成された不織布である。例えば、断熱、保温、クッション性に優れ、服飾製品、毛氈、カーペットなどに汎用されている。なお、フェルト材は不織布とは別分類される場合もある。
（ｄ）ニードルパンチ材。ニードルパンチ材も不織布の一種であり、天熱繊維や化学繊維を編むことなく、短繊維の集合体を多数の針（ニードル）のついた機械で圧縮してフェルト状に形成した不織布の製法の一種であり、この製法により製造された不織を意味する。例えば、カーペットとして汎用されている。なお、ニードルパンチ材は不織布とは別分類される場合もある。【００９６】  本発明に構成されるシート状内面部材及びシート状表面部材に構成される上記素材において（ｉ）綿状断熱性不織布素材、（ｘ）約０．３ｍｍ厚以上のフェルト材、（ｘｉ）約０．３ｍｍ厚以上のニードルパンチ材、（ｘｉｉ）約０．３ｍｍ厚以上の起毛製布材、（ｘｉｉｉ）約０．３ｍｍ厚以上の肉厚織布材、などの断熱性素材としては、その断熱性素材の厚さが、望ましくは、０．５ｍｍ以上が望ましく、特に望ましくは１．０ｍｍ以上の厚さが特に望ましい。これらの素材の厚さが０．３ｍｍ未満の場合には断熱性能を発揮しない。これらの素材の厚さが０．３ｍｍ以上において、厚さが厚くなるに従って断熱性能が向上する傾向にある。しかしながら、厚さが厚くなるに従って、嵩高くなり、また、重くなるために、頭部装着時に不快感を感じ、また、設計上の不都合が生じるために、約１０ｍｍまでの厚さが望ましい。【００９７】＜シート状頭部保護部材について＞
本発明の頭部冷却用具において、望ましくは、さらに、シート状頭部保護部材７を備え、シート状頭部保護部材７は、収納部４を形成することなく、シート状内面部材３の内面側に位置し、収納部４に収納されている冷却媒体８の人体頭部への直接の接触を防止して冷却媒体８に起因する冷気を抑制する機能を奏することを特徴とする。例えば、図８（Ａ）において、シート状表面部材２とシート状内面部材３は収納部４を形成し、その収納部４を形成しないシート状内面部材３の内面側に位置してシート状頭部保護部材７が設置されている。図９（Ｂ）において、４層構成のシート状表面部材２と２層構成のシート状内面部材３は収納部４を形成し、その収納部４を形成しないシート状内面部材３の内面側に位置してシート状頭部保護部材７が設置されている。この構成において、収納開口部４ａはシート状表面部材２の側に形成される。
他の実施例として、例えば、図９の（Ｂ）において、収納部４を形成した内面部材冷却媒体保持素材３３と内面部材柔軟性素材３２とよりなるシート状内面部材３の内面側に位置してシート状頭部保護部材７が設置されている。【００９８】  シート状頭部保護部材７は、シート状内面部材３の内面側に、（ｉ）取外しできない状態で、シート状内面部材３の内面側に設置構成されている、又は、（ｉｉ）取付けと取外しが可能な状態の脱着自在に設置構成されている、のいずれかの構成が実施可能である。
望ましくは、シート状頭部保護部材７の全周囲領域が、シート状内面部材３の内面側の全周囲領域に、（ｉ）取外しできない状態で接合してに設置構成されている構成が望ましく、これにより、違和感のない優れた装着感を奏する頭部冷却用具が得られるとともに、更に、シート状頭部保装着者にとって、シート状頭部保護部材７を取り付け、及び、取り外しの作業を省くことができて、容易に装着できる頭部冷却用具が得られ。なお、この場合、これに限定されることなく、シート状頭部保護部材７の所望の部分領域が、シート状内面部材３の内面側の所望の部分領域に取外しできない状態で接合してに設置構成されている構成も実施可能である。【００９９】  このようなシート状頭部保護部材７としては、特に限定されないが、例えば、綿・羊毛等の天然繊維、又は、ポリアクリル繊維・ポリエステル繊維・ポリアミド繊維等の合成繊維、天然繊維と合成繊維との混紡繊維を使用した繊維編成織布が使用できる。特に、少なくとも綿生地を含有使用した平織又は伸縮性を有する織布が望ましい。【０１００】  シート状頭部保護部材７を構成することにより、「冷却媒体８に起因する硬さ感を抑制する機能を奏するとともに、頭部冷却用具を人体頭部に装着した時に頭部の湿気感を低減して優れた爽快感が得られる」。更に、「（ル）冷却媒体８が約０℃以下に冷却された状態で収納部４に収納されている場合、人体頭部に装着された時に、人体頭部に感ずる温度が冷却媒体の温度よりも約１〜約５℃程度高くなって、冷却媒体８の冷え過ぎによる不快感を抑制し、快適な装着感を得ることが可能となり、更に、快適な装着感を感じる時間が永くなり、快適装着感持続時間が永くなる」効果が得られる。【０１０１】  本発明の頭部冷却用具において、望ましくは、さらに、シート状頭部保護部材７を備え、シート状頭部保護部材７は、収納部４を形成することなく、シート状内面部材３の内面側に位置するとともに、人体頭部に接触する側の表面に突起部を形成しない状態で構成され、表面に突起部を有しないシート状頭部保護部材７は、収納部４に収納されている冷却媒体８の人体頭部への直接の接触を防止して冷却媒体８に起因する冷気を抑制するとともに、人体頭部への突起違和感を防止する機能を奏することを特徴とする。この構成において、収納開口部４ａはシート状表面部材２の側に形成される。
「表面に突起部を有しないシート状頭部保護部材７」は、例えば、「表面に、シート状頭部保護部材７を裁縫して形成された縫い代等の突起部を有しないシート状頭部保護部材７」である。例えば、シート状頭部保護部材７を裁縫して形成された縫い代等の突起部が存在する場合には、その突起部を「人体頭部に接触する側と反対側の冷却媒体の位置する側に位置する」構成が望ましい。
これにより、前述の「（ル）冷却媒体８の冷え過ぎによる不快感を抑制し、快適な装着感を得ることが可能となり、更に、快適な装着感を感じる時間が永くなり、快適装着感持続時間が永くなる」効果が得られるとともに、突起に起因する装着時の違和感、不快感を抑制して快適な装着感が得られる」効果が得られる。【０１０２】  望ましくは、シート状頭部保護部材７は、シート状内面部材３の内面側に、（ｉｉ）取付けと取外しが可能な状態の脱着自在に設置構成されてなることを特徴とする。例えば、シート状内面部材３の内面側とシート状頭部保護部材７の一面側との双方の表面の一部分に、平面ファスナーとしてのマジッシテープが形成され、そのマジックテープを介して、シート状頭部保護部材７がシート状内面部材３の内面側に取り付け及び取り外し可能に設置された構成である。
例えば、図８（Ａ）又は図９（Ｂ）に示される頭部冷却用具において、シート状頭部保護部材７が、マジッシテープによりシート状内面部材３の内面側に取り付け及び取り外し可能に脱着自在に設置される。
これにより、冷却媒体が冷え過ぎて不快感を感じる場合にシート状頭部保護部材７を取り付けて設置して装着し、装着後に冷却媒体の温度が上昇して快適な冷却温度に達した場合にシート状頭部保護部材７を取り外し、シート状頭部保護部材７を取り外した頭部冷却用具１を装着することができる。これにより、前述の「（ル）冷却媒体８の冷え過ぎによる不快感を抑制し、快適な装着感を得ることが可能となり、更に、快適な装着感を感じる時間が永くなり、快適装着感持続時間が永くなる」効果が得られるとともに、突起に起因する装着時の違和感、不快感を抑制して快適な装着感が得られる」効果が得られる。【０１０３】  本発明において、望ましくは、シート状表面部材２とシート状内面部材３のうちの少なくとも一つの部材は、抗菌機能を奏する抗菌性素材及び／又は防臭機能を奏する防臭性素材を構成する。
抗菌性素材及び防臭性素材としては、特に限定されないが、例えば、汎用の抗菌剤又は防臭剤を付着又は含有する汎用の抗菌性繊維製又は防臭性繊維の織布又は不織布を使用した素材が使用できる。
これにより、抗菌性能を有する頭部冷却用具が得られ、特に、医療機関において使用する場合に、菌の伝染を著しく抑制できる頭部冷却用具が得られる。【０１０４】＜収納開口部について＞
本発明の一実施例の頭部冷却用具を構成する収納開口部の構成を説明する断面構成模式図が図７に示される。
図７において、（Ａ）はシート状表面部材２の側に、それぞれの表面部材開口部２ａを形成した断面構成模式図、（Ｂ）はシート状内面部材３の側に、それぞれの内面部材開口部３ａを形成した断面構成模式図である。（Ｃ）は（Ａ）の構成における表面部材開口部２に表面部材開口連結部材２ｂを構成した断面構成模式図である。（Ｄ）は（Ｂ）の構成における内面部材開口部３に内面部材開口連結部材３ｂを構成した断面構成模式図である【０１０５】  本発明の頭部冷却用具において、望ましくは、それぞれの収納部４は、シート状表面部材２に、それぞれの収納開口部４ａを形成し、それぞれの収納開口部４ａは、それぞれの冷却媒体８の出し入れが可能な形状を有する。
例えば、図１、図３、図７（Ａ）に示されるように、それぞれの収納部４１、４２、４３は、シート状表面部材側に、それぞれの表面部材開口部２ａ（収納開口部４１ａ、４２ａ、４３ａ）を形成し、それぞれの表面部材開口部２ａ（収納開口部４１ａ、４２ａ、４３ａ）は、それぞれの冷却媒体８の出し入れが可能な形状を有する。
これにより、（ト）収納部への冷却媒体の出し入れが容易になる使用容易性、の効果を奏する頭部冷却用具が得られる。特に、重病人が装着した状態で、頭部冷却用具を脱がすことなく、冷却媒体８の出し入れが可能となり、収納部への冷却媒体の出し入れが容易になる。【０１０６】  又は、望ましくは、それぞれの収納部４は、シート状内面部材３に、それぞれの収納開口部４ａを形成し、それぞれの収納開口部４ａは、それぞれの冷却媒体８の出し入れが可能な形状を有する。
例えば、図２、図７（Ｂ）に示されるように、それぞれの収納部４１、４２、４３は、シート状内面部材側に、それぞれの内面部材開口部３ａ（収納開口部４１ａ、４２ａ、４３ａ）を形成し、それぞれの内面部材開口部３ａ（収納開口部４１ａ、４２ａ、４３ａ）は、それぞれの冷却媒体８の出し入れが可能な形状を有する。
これにより、シート状表面部材側に開口部が形成する必要がないために、表面部材最表層に構成された所望の機能を奏する所望機能性素材の性能を最大限に奏することが可能となり、その結果、（ヘ）所望の色彩のデザイン化された外観を有するとともに所望装飾デザイン性に優れる所望装飾デザイン性能を奏する頭部冷却用具が得られる。【０１０７】  望ましくは、それぞれの収納開口部４ａは、互いに重なり合う二重開口縁部を有し、その二重開口縁部は、収納部４の中に収納されている冷却媒体８の飛び出しを抑制する機能を奏する。
例えば、図１、図２、図３、図７（Ａ）、図７（Ｂ）、図８（Ａ）、図８（Ｂ）に示されるように、それぞれの収納開口部４１ａ、４２ａ、４３ａは、互いに重なり合う表面部材二重開口縁部２ａ、又は、内面部材二重開口縁部３ａを有し、その開口縁部２ａ、３ａは、収納部４の中に収納されている冷却媒体８の飛び出しを抑制する機能を奏する。
二重開口縁部２ａ、３ａの互いに重なり合う重なり部分の幅は、特に限定されないが、例えば、約５〜６０ｍｍが望ましく、特に、約１０〜３０ｍｍが望ましい。重なり部分の幅が約５ｍｍ未満の場合には、冷却媒体８の飛び出しを抑制する機能が低下する傾向があり、重なり部分の幅が約６０ｍｍを超える場合には、冷却媒体８を収納部４に収納する操作が煩わしくなる傾向がある。
これにより、互いに重なり合う二重開口縁部２ａ、３ａを通して冷却媒体８を収納部４に容易に入れることができ、収納部４に収納されている冷却媒体８の飛び出しが抑制され、その結果、（チ）収納部に収納されている冷却媒体の収納部から飛び出しが抑制された収納保持安定性に優れた頭部冷却用具が得られる。【０１０８】  望ましくは、それぞれの収納開口部４ａは、（ｉ）前記それぞれの収納部の略中央部を通る仮想線上、又は、（ｉｉ）前記それぞれの収納部の略端部を通る仮想線上、に形成されてなることを特徴とする。これにより、収納部４の中に冷却媒体８を収納しやすくする機能と、収納部４に収納された冷却媒体８の飛び出しを抑制する機能とを奏する。
例えば、図１、図２に示されるように、それぞれの収納開口部４１ａ、４２ａ、４３ａは、（ｉ）それぞれの収納部４１、４２、４３の略中央部を通る仮想線上に形成され、収納部４１、４２、４３の中に前記冷却媒体８を収納しやすくする機能と、収納部４１、４２、４３に収納された冷却媒体８の飛び出しを抑制する機能とを奏する。
収納部４１、４２、４３の略中央部を通る仮想線上に収納開口部４１ａ、４２ａ、４３ａが形成された形状構成により、収納部に収納されている冷却媒体８の端部が収納開口部から離れた位置に位置するために、収納部に収納されている冷却媒体８の飛び出しが抑制され、その結果、（チ）収納部に収納されている冷却媒体の収納部から飛び出しが抑制された収納保持安定性に優れた頭部冷却用具が得られる。【０１０９】  例えば、図３に示されるように、それぞれの収納開口部４１ａ、４２ａ、４３ａは、（ｉｉ）それぞれの収納部４１、４２、４３の略端部を通る仮想線上に形成されてなる。特に、図３（Ｂ）に示されるように、略半円形状（又は、図示されないが、略４分の１円形状）の形状を有する左側頭収納部４２及び右側頭収納部４３の収納開口部４２ａ、４３ａはそれぞれの耳側の長い端部を有する位置に左側頭収納部４２及び右側頭収納部４３を形成する構成が望ましい。これにより、冷却により硬くなった冷却媒体８を折り曲げることなく容易に左側頭収納部４２及び右側頭収納部４３に収納できる。【０１１０】＜収納開口部の解放口の位置について＞
収納開口部４がシート状表面部材２に形成され、左側頭収納部４２及び右側頭収納部４３のそれぞれの収納開口部４ａが、互いに重なり合う二重開口縁部を有するとともに、それぞれの収納部の略端部を通る仮想線上に形成されてなる構成において、収納開口部４がシート状表面部材２に形成され、収納開口部４が互いに重なり合う二重開口縁部を有するとともに、それぞれの収納部の略端部を通る仮想線上に形成されてなる構成において、（ｉ）収納部の一方の側から延びる広い幅を有する広幅シート状表面部材と、その広幅シート状表面部材を覆う形状で形成された、他方の側から延びる狭い幅を有する狭幅シート状表面部材との２重のシート状表面部材により形成され、それらの解放口が収納部の略端部を通る仮想線上である左側頭収納部の側に形成される狭幅解放口構成、及び、（ｉｉ）収納部の一方の側から延びる狭い幅を有する狭幅シート状表面部材と、その狭幅シート状表面部材を覆う形状で形成された、他方の側から延びる広い幅を有する広幅シート状表面部材との２重のシート状表面部材により形成され、それらの解放口が収納部の略端部を通る仮想線上である左側頭収納部の側に形成される広幅解放口構成、のいずれかの形状構成が実施可能である。【０１１１】  例えば、収納開口部４がシート状表面部材２に形成され、収納開口部４ａが、互いに重なり合う二重開口縁部を有するとともに、それぞれの収納部の略端部を通る仮想線上に形成されてなる構成において、図３（Ａ）に示されるように、収納開口部４がシート状表面部材２に形成され、中央収納部４１が額収納部４１１、頭頂収納部４１２、後頭収納部４１３の複数個に分割された収納部を有する構成において、上記の（ｉ）狭幅解放口構成が望ましい。
すなわち、図３（Ａ）のように、広い幅を有する広幅シート状表面部材が左側頭収納部４２から右側頭収納部４３の端部まで向かって伸びる形状に形成され、その広幅シート状表面部材を覆う形状で、右側頭収納部４３から左側頭収納部４２に向かって形成された狭い幅を有する狭幅シート状表面部材が形成された構成である。
これにより、頭部冷却用具を裁縫により製造する際に、特別な工夫を必要とすることなく、容易に頭部冷却用具を製造するることができる。【０１１２】  他方、収納開口部４がシート状表面部材２に形成され、収納開口部４ａが、互いに重なり合う二重開口縁部を有するとともに、それぞれの収納部の略端部を通る仮想線上に形成されてなる構成において、図３（Ｂ）に示されるように、左側頭収納部４２及び右側頭収納部４３が分割されることなくそれぞれ一つの左側頭収納部４２及び右側頭収納部４３を形成する構成において、上記の（ｉｉ）広幅解放口構成が望ましい。
すなわち、図３（Ｂ）のように、狭い幅を有する狭幅シート状表面部材が左側頭収納部４２（又は右側頭収納部４３）の耳部（図３（Ｂ）の下部）から頭頂部に向かって伸びる形状に形成され、その狭幅シート状表面部材を覆う形状で、頭頂部から耳部に向かって収納部の端部まで伸びて形成された広い幅を有する広幅シート状表面部材が形成された構成である。
これにより、頭部冷却用具を裁縫により製造する際に、特別な工夫を必要とすることなく、容易に頭部冷却用具を製造するることができる。【０１１３】  図３（Ａ）の変形例として、中央収納部４１が分割されることなく一つの中央収納部４１である構成（例えば、図１（Ａ）のように、中央収納部４１が一つの収納部を構成）の場合には、上記の（ｉｉ）広幅解放口構成が望ましい。
すなわち、狭い幅を有する狭幅シート状表面部材が左側頭収納部４２から右側頭収納部４３に向かって伸びる形状に形成され、その狭幅シート状表面部材を覆う形状で、右側頭収納部４３から左側頭収納部４２に向かって形成された広い幅を有する広幅シート状表面部材が形成された構成である。【０１１４】  他方、図３（Ｂ）の変形例として、左側頭収納部４２及び右側頭収納部４３のそれぞれの収納部が複数個に分割された構成（例えば、図２（Ｂ）のように、左側頭収納部４２及び右側頭収納部４３がそれぞれ２つに分割された収納部を構成）の場合には、上記の（ｉ）狭幅解放口構成が望ましい。
広い幅を有する広幅シート状表面部材が頭頂部から左側頭収納部４２（又は右側頭収納部４３）の耳部（図３（Ｂ）の下部）の収納部端部まで向かって伸びる形状に形成され、その広幅シート状表面部材を覆う形状で、耳部から頭頂部に向かって伸びて形成された狭い幅を有する狭幅シート状表面部材が形成された構成である。【０１１５】  望ましくは、収納開口部４は、シート状表面部材２及び／又はシート状内面部材３に形成され、さらに、収納開口部４の少なくとも一部分に設置された表面部材開口部連結部材２ｂ及び／又は内面部材開口部連結部材３ｂを備え、開口縁部連結部材２ｂ、３ｂはそれぞれの収納開口部４の少なくとも一部分を解放及び連結自在に構成され、収納部４に収納された冷却媒体８の飛び出しを抑制する機能を奏する。
例えば、図７（Ｃ）に示されるように、収納開口部４は、シート状表面部材２に形成された表面部材開口部（表面部材二重開口縁部）２ａを有し、表面部材開口部（表面部材二重開口縁部）２ａの少なくとも一部分を係止するための表面部材開口部連結部材２ｂを備え、表面部材開口部連結部材２ｂは表面部材開口部（二重開口縁部開口縁部）２ａを解放及び連結自在に構成されている。
例えば、図７（Ｄ）に示されるように、収納開口部４は、シート状内面部材３に形成された内面部材開口部（内面部材二重開口縁部）３ａを有し、内面部材開口部（内面部材二重開口縁部）３ａの少なくとも一部分を係止するための内面部材開口部連結部材３ｂを備え、内面部材開口部連結部材３ｂは内面部材開口部（内面部材二重開口縁部）３ａを解放及び連結自在に構成されている。【０１１６】  表面部材開口部連結部材２ｂ又は内面部材開口部連結部材３ｂとしては、特に限定されないが、例えば、汎用のボタン、鈎と受具との一対の汎用のホックボタン、汎用のファスナー（線ファスナー）、汎用の互いに絡み合った形状で綿的に接合・分離自在な面ファスナーなどが使用できる。面ファスナーは、商品名としては、クラレ製マジックテープ、ベルクロＵＳＡ社製ベルクロがあり、ループアンドフック、又は、パイルアンドフックとも呼ばれる。
これにより、（チ）収納部に収納されている冷却媒体の収納部から飛び出しが抑制された収納保持安定性がさらに向上した頭部冷却用具が得られる。
特に、表面部材開口部連結部材２ｂ又は内面部材開口部連結部材３ｂとしては、面ファスナーが望ましく、これにより、「突起高さが小さく、比較的柔軟であり、更に、解放及び連結の操作が容易であり、片手でも解放及び連結の操作が可能で、病人でも容易に解放及び連結の操作でき、その結果、（ト）収納部への冷却媒体の出し入れが容易になる使用容易性、（チ）収納部に収納されている冷却媒体の収納部から飛び出しが抑制された収納保持安定性、の優れた効果を奏する頭部冷却用具が得られる。【０１１７】＜装着脱落防止部材について＞
本発明の頭部冷却用具において、望ましくは、さらに、収納部４の下側縁に設置された装着脱落防止部材５を備え、該装着脱落防止部材５は人体頭部からの脱落を防止する機能を奏する。
更に望ましくは、装着脱落防止部材５は、（ｉ）収納部４の下側縁の全周囲に設置された伸縮性部材、（ｉｉ）収納部４の下側縁の全周囲に設置された係止・解放自在な紐部材、（ｉｉｉ）収納部４の下側縁の両側頭部に設置された人体顎を通って係止自在な伸縮性部材、及び、（ｉｖ）収納部４の下側縁の両側頭部に設置された人体顎を通って係止・解放自在な紐部材、からなる群から選ばれる少なくとも一つである。
例えば、（ｉ）収納部４の下側縁の全周囲に設置された伸縮性部材（装着脱落防止部材）５としては、図１（Ｂ）、図２（Ｂ）、図３（Ｂ）に示されるように、頭部冷却用具の下側縁の全周囲に設置された装着脱落防止部材収納部を構成し、その装着脱落防止部材収納部の中に伸縮可能なゴム紐を設置した構成が実施できる。
（ｉｉ）収納部４の下側縁の全周囲に設置された係止・解放自在な紐部材（装着脱落防止部材）５としては、図１（Ｂ）、図２（Ｂ））、図３（Ｂ）に示されるように、頭部冷却用具の下側縁の全周囲に設置された装着脱落防止部材収納部を構成し、その装着脱落防止部材収納部の中に結び解き自在な紐部材を設置した構成が実施できる。
（ｉｉｉ）収納部４の下側縁の両側頭部に設置された人体顎を通って係止自在な伸縮性部材としては、図１１（Ｂ）に示されるように、収納部４の下側縁の両側頭部に設置されたゴム紐（伸縮性部材）５を設置した構成が実施できる。なお、図１１（Ｂ）は本発明の一実施例の頭部冷却用具の外観模式図であって、紐部材を構成した説明図である。
（ｉｖ）収納部４の下側縁の両側頭部に設置された人体顎を通って係止・解放自在な紐部材としては、図１１（Ｂ）に示されるように、収納部４の下側縁の両側頭部に設置された紐５を設置した構成が実施できる。
上記の（ｉｉｉ）及び（ｉｖ）の構成において、さらに、ゴム紐５又は左右の紐５に、紐５を係止するための装着脱落防止部材用係止部材５ａ（図１１（Ｂ）に示す）設置した構成も実施可能である。
これにより、人体頭部に装着されている頭部冷却用具の脱落を防止して、装着感に優れたす頭部冷却用具が得られる。【０１１８】＜人体首部冷却構成について＞
本発明の頭部冷却用具において、望ましくは、さらに、収納部４の後頭部の下側縁に取付取外自在に設置された首部収納部５と、首部収納部５の中に収納自在に収納された冷却媒体８、を備え、首部収納部６に収納された冷却媒体８は、人体首を冷却する機能を奏する。
例えば、図１１（Ａ）は本発明の一実施例の頭部冷却用具の外観模式図である。図１１において、頭部冷却用具は、左前側頭収納部４２１と左後側頭収納部４２２とを備えた左側頭収納部４２と、右前側頭収納部４３１と右後側頭収納部４３２とを備えた左側頭収納部４３と、中央収納部４１（図示なし）と、これらの収納部の下側縁に設置された装着脱落防止部材５を備えるとともに、収納部４の後頭部の下側縁に取り付け及び取外し可能に設置された首部収納部６を備え、首部収納部６の中に冷却媒体８が収納自在に収納されている。
首部収納部６は前述のシート状表面部材２とシート状内面部材３と同じ仕様構成が実施可能であり、首部に接する側にシート状表面部材２が構成される。
首部収納部６の首部収納部開口部（図示なし）は、前述のそれぞれの収納部４と同じ位置、例えば、首部収納部６の略中央部を通る仮想線よりも上方向の位置に形成された構成、及び、その開口部が二重に形成された二重開口部縁部を有する構成が望ましい。
首部収納部５を取り付け及び取外し可能に設置する部材としては、特に限定されないが、例えば、前述の表面部材開口部連結部材２ｂ又は内面部材開口部連結部材３ｂに使用できる汎用のボタン汎用のホックボタン、汎用のファスナー（線ファスナー）、汎用の面ファスナーなどが使用できる。
これにより、血管が皮膚表面に近く通っている首部を冷却することが可能になり、前述の（イ）と（ハ）の効果に加えて、更に、「人体血管が皮膚表面に近く通っている首部を効率的に冷却できる首部冷却性能」を奏する頭部冷却用具が得られる。【０１１９】＜冷却媒体について＞
本発明の頭部冷却用具において、使用される冷却媒体８としては、特に限定されないが、望ましくは、冷却媒体８は、（ａ）冷却と昇温の繰返し使用が可能な冷媒が密封容器に充填された密封冷却媒体、又は、（ｂ）外部衝撃により冷却可能な冷媒が密封容器に充填された密封冷却媒体、の形態で構成され、密封冷却媒体が冷却された状態で、それぞれの収納部４に収納されて使用可能に構成されてなる。【０１２０】  前述の冷却媒体を封入する密封容器としては、特に限定されないが、例えば、柔軟性を有するプラスチック製フィルム製の袋容器、又は、柔軟性を有する金属薄膜をラミネート含有する金属薄膜ラミネットプラスチック製フィルム製の袋容器であって、冷凍冷蔵庫冷却と人体装着との繰り返し使用においても劣化、破損等の発生がない容器が使用でき、特に、熱溶着により密封して封止可能なプラスチック製フィルム製の袋容器が望ましく、これにより、任意の形状を有する袋容器を容易に量産製造可能になる。また、このようなプラスチック製フィルム製の袋容器を使用して熱溶着により複数個に分割されるとともに互いに連結された密封冷却媒体を製造できる。
例えば、内層として熱融着可能なポリエチレン、ポリプロピレンが構成され、外層として強い機械的強度を有するポリアミド（ナイロン）、ポリエステル（ポリエチレンテレフタレート）が構成された柔軟性を有するプラスチックラミネートフィルム製袋容器が使用できる。これに限定されることなく、ポリ塩化ビニール、アルミ蒸着フィルムなどを使用したプラスチックラミネートフィルム製袋容器も使用できる。
内層ポリエチレン層又は内層ポリプロピレン層は熱融着可能であり、任意の形状のフィルム製袋容器を熱融着により形成できる。
外層又は表面部材中間層に文字、絵柄、図柄などを印刷形成したプラスチックフィルムも使用でき、冷却媒体の種類、使用方法などを印刷形成することにより、使用者の利便性が向上する。【０１２１】  （ｉ）冷却と昇温の繰返し使用が可能な冷却媒体としては、（ａ）家庭で使用されている汎用の冷蔵庫又は冷凍庫の中に載置して約１０℃以下の温度に冷却することにより、低温状態の冷却状態冷却媒体となり、（ｃ）人体頭部に装着使用して、人体の体温まで昇温した昇温状態の昇温状態冷却媒体となり、（ｄ）昇温状態となった冷却媒体を取出し、（ａ）取出した冷却媒体を再度、冷凍冷蔵庫内で冷却、のサイクルの冷却と昇温を繰返し使用しても変質しなく劣化しない冷却媒体が望ましい。
このような冷却媒体としては、特に限定されないが、例えば、約２５℃において、液体、半固体状物質、固体粉末、又は、これらの混合媒体が使用できるが、特に、約２５℃において、粘性状、ゲル状、ジェル状、及び、ゼリー状のうちの少なくとも一つの半固体形状を有する冷却媒体が望ましい。更に、特に望ましくは、約０℃の低温においても、固化することなく、粘性状、ゲル状、ジェル状、等の半固体形状を有する冷却媒体が特に望ましい。【０１２２】  冷却と昇温の繰返し使用が可能な冷却媒体が密封容器に充填された密封冷却媒体の形態で構成された密封冷却媒体８としては、（ａ−ｉ）少なくとも水と水溶性高分子を含有する媒体を密封容器に収納した含水水溶性高分子密封冷却媒体、（ａ−ｉｉ）少なくとも多価アルコールを含有する媒体を密封容器に収納した密封冷却媒体、（ａ−ｉｉｉ）少なくとも水と水溶性高分子と多価アルコールを含有する媒体を密封容器に収納した密封冷却媒体、（ａ−ｉｖ）無機質の粉末状固体を密封容器に収納した密封冷却媒体、（ａ−ｖ）有機質又は有機高分子の粒子状固体を密封容器に収納した密封冷却媒体、及び、（ａ−ｖｉ）冷却媒体を含有するマイクロカプセルを密封容器に収納した密封冷却媒体、のうちの少なくとも一つの媒体を含有する密封冷却媒体が望ましい。【０１２３】  （ａ−ｉ）少なくとも水と水溶性高分子を含有する媒体を密封容器に収納した含水水溶性高分子密封冷却媒体としては、例えば、ポリアクリル酸、ポリアクリル酸ナトリウム、ポリビニ−ルアルコール、カルボキシメチルセルロース、カルボキシエチルセルロース、これらの架橋高分子、これらの共重合高分子、等を水に溶解した媒体、又は、水を保持したこれらの水溶性高分子を含有する冷却媒体が使用できる。
（ａ−ｉｉ）少なくとも多価アルコールを含有する媒体としては、例えば、エチレングリコール、ブチレングリコール、プロピレングリコール、ジエチレングリコール、グリセリン、ポリエチレングリコール、等の多価アルコールを含有する媒体、又は、これらの多価アルコールと低級アルコール（エタノール、イソプロピルアルコール、ブチルアルコールなど）との混合媒体が使用できる。
（ａ−ｉｉｉ）少なくとも水と水溶性高分子と多価アルコールを含有する媒体を密封容器に収納した密封冷却媒体としては、例えば、上記の水溶性高分子、多価アルコール、低級アルコ−ル及び水を所望割合で混合することにより、任意の粘性を有する媒体が調製できる。
（ａ−ｉｖ）無機質の粉末状固体としては、例えば、発泡パーライト、シリカ、炭酸カルシウム、マイカ、タルク等の微粉末が使用できる。
（ａ−ｖ）有機質の粉末状固体としては、例えば、ステアリン酸、ステアリン酸塩、その他の有機酸の金属塩の微粉末が使用できる。
（ａ−ｖｉ）冷却媒体を含有するマイクロカプセルとしては、例えば、液状の冷却媒体を含有する約０．１〜５ｍｍ径の高分子系のマイクロカプセルが使用でき、特に、上記の液状媒体が中に充填されたマイクロカプセルが使用できる。【０１２４】  これらの冷却媒体の種類、混合割合を設計することにより、凝固温度、流動温度、柔軟性、粘性、半固体形状、冷却時間維持性能を有する所望性能の冷却媒体を調製することができ、−５℃以下の低温においてもソフトな柔軟性を維持する冷却媒体が調製できる。
本発明においては、特に、約２５℃において、粘性状、ゲル状、ジェル状、及び、ゼリー状のうちの少なくとも一つの半固体形状を有するとともに、約０℃においても、粘性状、ゲル状、ジェル状、及び、ゼリー状のうちの少なくとも一つの半固体形状を有する冷却媒体８が特に望ましい。この場合、冷却媒体８を収納した頭部冷却用具を装着した時に、人体頭部に硬い違和感を感じることなく軟質のソフトな感触を得て、快適に頭部を冷却できる頭部冷却用具が得られる。【０１２５】  このような、冷却と昇温の繰返し使用が可能な冷媒が密閉容器に充填された密封冷却媒体の形態で構成された密封冷却媒体を構成した頭部冷却用具により、（イ）頭部全体を冷却可能である冷却性能に優れる頭部全体冷却性能、（ハ）長時間の冷却維持性能に優れる長時間冷却維持性能、（ニ）繰り返し使用が容易に可能である経済性に優れる繰返使用性能、等の効果を奏する頭部冷却用具が得られる。【０１２６】  前述の（ｂ）外部衝撃により冷却可能な冷媒が密封容器に充填された密封冷却媒体としては、冷媒が密封容器に充填された密封冷却媒体を叩いて衝撃を加えることにより何らかの化学的又は物理的反応により瞬間的に冷却される冷却媒体が使用できる。例えば、容器の中に水と小袋に詰められた硝酸アンモニウムとを充填した密封冷却媒体であって、容器を叩くことにより水と硝酸アンモニウムとの反応により冷却された密封冷却媒体が得られる。硝酸アンモニウムを詰めた小袋としては、「叩く」などの外部衝撃によって破れやすいプラスチック製の小袋が望ましい。【０１２７】  本発明の頭部冷却用具において、冷媒が密封容器に充填された密封冷却媒体８としては、複数個に分割されるとともに互いに連結された複数個分割連結密封冷却媒体を有し、それらの複数個分割連結密封冷却媒体は屈曲自在に連結されてなる構成も実施可能である。
例えば、図１（ａ）、図４（ｂ）に示されるように、密封冷却媒体８は、例えば、第一分割冷却媒体８ａ、第二分割冷却媒体８ｂ、第三分割冷却媒体８ｃの複数個に分割されるとともに互いに連結された複数個分割連結密封冷却媒体８を有し、それらの複数個分割連結密封冷却媒体８は屈曲自在に連結されてなる。これらの分割の数は、特に限定されなく、任意の数に分割された複数個分割連結密封冷却媒体８が使用可能である。
屈曲自在に連結された複数個分割連結密封冷却媒体は、例えば、前述のプラスチック製フィルム製の袋容器を使用して熱溶着により作成された複数個に分割されるとともに互いに連結された複数個分割連結密封冷却媒体が使用できる。【０１２８】  このような密封冷却媒体８は、例えば、冷蔵庫又は冷凍庫の中で約−３０℃〜１０℃に冷却され、その冷却された密封冷却媒体８を頭部冷却用具の収納部４の中に収納して、その冷却された密封冷却媒体８を収納した頭部冷却用具を人体頭部に装着して使用される。
人体頭部に装着して、密封冷却媒体８の温度が上昇して冷却効力が低下した場合、密封冷却媒体８を、頭部冷却用具の収納部４の中から取出し、冷蔵庫又は冷凍庫の中で冷却する。このように、密封冷却媒体８は、冷却・頭部冷却用具に収納・人体頭部装着使用・頭部冷却用具から取出し・冷却、のサイクルを繰り返して使用される。
これにより、密封冷却媒体８を構成した頭部冷却用具により、（ニ）繰り返し使用が容易に可能である経済性に優れる繰返使用性能を奏する頭部冷却用具が得られる。【０１２９】  本発明の頭部冷却用具において、使用される他の冷却媒体８としては、（ｃ）蒸発熱や気化熱を利用した湿布型冷媒も使用できる。例えば、（ｃ−ｉ）小片状の氷材を袋状容器に充填した氷含有冷却材、（ｃ−ｉｉ）低温水を布に含浸した低温水含浸布材又は水を含浸した布を低温に冷却した低温水含浸布材、（ｃ−ｉｉｉ）水と低級アルコールを含有する水アルコール混合液を冷却した冷却媒体を布に含浸した低温水アルコール混合液含浸布材、又は、水と低級アルコールを含有する水アルコール混合液を含浸した布を低温に冷却した低温水アルコール混合液含浸布材、及び、（ｃ−ｉｖ）水と低級アルコールを含有する水アルコール混合液を冷却した冷却混合液と小片状の氷材を袋状容器に充填した氷アルコール水含有冷却材、からなる群から選ばれる少なくとも一つの湿布型冷却媒体８が使用できる。低級アルコールとしては、特に、エタノール及び／又はイソプロピルアルコールの使用が望ましいが、エタノールとイソプロピルアルコールは引火性に注意して使用する必要があり、また、装着者がその蒸発気化アルコール成分を吸引しない工夫が必要である。【０１３０】  （ｃ−ｉ）氷含有冷却材としては、例えば、約０．１〜約５ｍｍの氷片材をプラスチック製袋容器の中に充填したものが使用できる。（ｃ−ｉｉ）低温水含浸布材としては、例えば、ガーゼやタオルなどの冷媒保持布材に氷水を含浸したもの、又は、水を含浸した布を低温に冷却した低温水含浸布材が使用できる。（ｃ−ｉｉｉ）水アルコール混合液含浸布材としては、例えば、ガーゼやタオルに、冷却した水エタノール混合液及び／又は水イソプロピルアルコール混合液を含浸したものが使用できる。（ｃ−ｉｖ）氷アルコール水含有冷却材としては、例えば、ガーゼやタオルに、冷却した水エタノール混合液及び／又は水イソプロピルアルコール混合液を冷却した冷却混合液に小片状の氷材を柔軟な袋状プラスチック製袋容器の中に充填したものが使用できる。
これらの冷却媒体８の蒸発時に発生する蒸発熱又は気化熱により、人体の体温が低下する性質を利用したものであり、特に、（ｃ−ｉｉｉ）水アルコール混合液含浸布材はアルコールに起因する蒸発熱により頭部を冷却する効果が著しく向上する。
なお、このような湿布型冷却媒体８を収納部４に収納して装着した場合に、シート状内面部材３が水又はアルコールに起因して濡れてくることがあるが、その時には、適切なタオルなどを人体頭と頭部冷却用具との間に介在させて使用する方法が望ましい。【０１３１】  低級アルコールとしてエタノール及び／又はイソプロピルアルコールを使用する場合、これらのアルコール含有割合は、特に限定されないが、水とアルコール合計量に対して、３〜５０重量％の範囲が望ましく、３重量％未満の場合には約−５℃の低温において固化する傾向にあり、５０％を超える場合には、人体頭部に装着した時にアルコールの蒸発に起因して装着者に不健康感で不愉快感を及ぶす傾向がある。
水と低級アルコールとの混合割合を任意に選択することにより、例えば、−２０℃の低温においても固化しない液体状の冷却媒体を得ることが可能となり、布に含浸して使用され、また、柔軟な袋状プラスチック製袋容器の中に充填して使用可能であり、低温においても流動状態を維持しているために、人体頭部に装着した場合に、ゴツゴツした装着違和感が抑制された快適な装着性を有する頭部冷却用具が得られる。【０１３２】  これらの冷却媒体を保持する冷媒保持布材としては、前述のガーゼやタオルに限定されることなく、優れた吸水保持性を有する布材が使用され、その布材としては、例えば、天熱繊維製又は合成繊維製の不織布又は織布、軟質発泡ウレタン・軟質発泡オレフィンなどの連続気泡含有発泡プラスチック、特殊加工した高吸水性の不織布又は織布などが望ましい。
これらの湿布型冷却媒体８は繰返し使用ができないが、優れた冷却能力を奏する性質を有するとともに、家庭や医療機関で容易に取り扱いが可能である利点がある。【０１３３】  本発明の頭部冷却用具において、望ましくは、冷却媒体８は、図１、図２に示されるように、収納部４の形状に略相似する形状であって、収納部４に出し入れ自在に収納可能な形状に形成されてなる。冷却媒体８の形状が収納部４の形状に略相似する形状であることにより、収納部４のできる限り広い領域に冷却媒体８を収納することが可能となり、限定された広さの収納面積を有する収納部４に、最大限の面積で冷却媒体８を収納設置することが可能となり、人体頭部を冷却する効率が著しく向上する。望ましくは、頭部冷却用具の面積の略４０％以上に収納設置できる冷却媒体８の形状が望ましく、より望ましくは、約８０〜９９％の領域に収納設置できる冷却媒体８の形状が望ましい。
例えば、図１（Ｂ）のように収納部４２、４３の形状が略半円状である場合、又は、図２（Ｂ）のように収納部４２１、４２３の形状が略扇型状である場合、冷却媒体８の形状はその収納部４の形状に合致する略相似形状であるとともに、できる限りその収納部の全領域に収納可能な形状が望ましい。また、収納部４の形状が大きい場合、プラスチック製袋容器に充填された密封冷却媒体８を使用して、図１（Ｂ）のように、複数個に分割され互いに連結された複数個分割連結密封冷却媒体の使用が望ましい。
これにより、「（イ）頭部全体を冷却可能である冷却性能に優れる頭部全体冷却性能」がさらに向上した頭部冷却用具が得られる。【０１３４】  このように、本発明において、望ましくは、冷却媒体８は、（ａ）冷却と昇温の繰返し使用が可能な冷媒が密封容器に充填された繰返型密封冷却媒体、の形態で構成され、繰返型密封冷却媒体８は、複数個に分割されるとともに互いに連結された複数個分割連結密封冷却媒体を有し、それらの複数個分割連結密封冷却媒体は屈曲自在に連結されてなり、密封冷却媒体８が冷却された状態で、それぞれの収納部４に収納されて使用可能に構成されてなる構成を有する。【０１３５】  また、本発明において、望ましくは、冷却媒体８は、（ａ）冷却と昇温の繰返し使用が可能な冷媒が密封容器に充填された繰返型密封冷却媒体、の形態で構成され、繰返型密封冷却媒体８は、（ｉ）複数個に分割されるとともに互いに連結された複数個分割連結密封冷却媒体の形態を有し、それらの複数個分割連結密封冷却媒体は屈曲自在に連結されてなる、及び、（ｉｉ）繰返型密封冷却媒体８は、複数個に分割されることなく、一つの密封冷却媒体の形態の単一密封冷却媒体の形態を有する、の種類の形態を備え、収納部４が異なる広さ面積を有する複数個に分割された収納部を構成する場合に、（ｉ）広い面積を有する収納部に複数個分割連結密封冷却媒体８を収納し、（ｉｉ）狭い面積を有する収納部に単一密封冷却媒体を収納し、これらの冷却媒体は前記複数個の収納部のうちの所望の収納部に収納及び取出し可能に収納され、これにより、人体頭部に装着された時に、該頭部の形状に一致して前記複数個分割連結密封冷却媒体が屈曲した状態で装着される、構成が望ましい。
これにより、頭部冷却用具を人体頭部に装着した時に、、該頭部の形状に一致して複数個分割連結密封冷却媒体が屈曲した状態で装着されて、違和感なく、快適な状態で頭部冷却用具を装着できる。【０１３６】＜頭部冷却用具を装着した時の冷却媒体の快適な温度及び柔軟ソフト感触性について＞
本発明者が実験により確認したことであるが、冷却媒体８を収納した頭部冷却用具１を人体頭部に装着した時に、快適な冷却感を感じる温度は、約２〜約１５℃の範囲である。冷却媒体８の温度が約２℃より低くなる約−５〜約２℃の場合にはやや冷たすぎる強冷のために不快感を感じるようになり、更に低い約−５℃未満の場合には著しく冷たく感じて使用に不向きな「激冷」状態となる。約１５℃を超える場合には、冷却感が薄れるとともに人体頭部を冷却する冷却効果が失われる傾向にある。
他方、冷却媒体として、水溶性高分子、多価アルコール、水、などを含有する媒体を密封容器に収納した密封冷却媒体は、常温においては流動性を有するゲル状（又は、液状、ジェル状）であるとともに、温度の低下とともにその粘性が増加して、半固体状を経て、硬い塊状になる傾向があり、人体頭部に装着した時の装着感の観点において、ゲル状（又はジェル状）から粘土状（又は半固体状）になるまでの柔軟でソフトな感触が得られソフト感触が望ましい。
このような望ましい冷却温度とソフト感触を備えた密封冷却媒体８は、上記の水溶性高分子、多価アルコール、水などの媒体の含有割合を適切な所望の形態になるように設計することにより調製することができる。
収納部に収納する冷却媒体８の冷却温度は、収納部４を形成するシート状表面部材２とシート状内面部材３の断熱性能により異なるが、約１０℃以下が望ましく、その冷却温度が約１０℃を超える場合には、人体頭部に装着時の快適冷却持続時間が著しく短くなり、また、冷却感が得られなくなる傾向がある。更に望ましくは、収納部に収納する冷却媒体８の冷却温度は約−２０℃〜約５℃が望ましい。この温度範囲に冷却された冷却媒体８を収納した頭部冷却用具を人体頭部に装着した場合、快適冷却持続時間が永くなる傾向がある。頭部冷却用具を構成するシート状表面部材２とシート状内面部材３の断熱性能及び冷却媒体の種類により、冷却媒体８の最適な冷却温度を選択して実施できる。【０１３７】＜頭部冷却用具を装着した時の快適冷却持続時間について＞
頭部冷却用具を装着した時の快適冷却持続時間は、少なくとも、約２０分以上を有する頭部冷却用具が望ましく、より望ましくは、約３０分以上の快適冷却持続時間上を有する頭部冷却用具が望ましい。頭部冷却用具を装着後、冷却媒体８の温度が約１５〜２０℃に上昇した時に、準備している他の０℃以下に冷却した冷却媒体８と入れ替えて交換する。
快適冷却持続時間は、（ａ）頭部冷却用具１の収納部４の断熱性能、（ｂ）頭部冷却用具１の冷却媒体８が頭部を覆う面積割合、（ｃ）頭部冷却用具１の冷却媒体８の厚さ形状、（ｄ）頭部冷却用具１の冷却媒体８の容積（重量）などに起因して変化する。
本発明の頭部冷却用具において、（ａ）頭部冷却用具１の収納部４の断熱性能については、断熱性素材２２を備えたシート状表面部材２を構成することにより、頭部冷却用具１の表面から逃げる冷気をできる限り抑制することにより、冷却持続時間が永くなるように設計される。（ｂ）頭部冷却用具１の冷却媒体８が頭部を覆う面積割合については、頭部全体を覆う複数個に分割された収納部４を構成し、それぞれの収納部４の中に冷却媒体８を収納した構成により、人体頭部の全体を覆って装着可能な構成を有する。【０１３８】  （ｃ）頭部冷却用具１の冷却媒体８の厚さが厚くなるに従って、冷却持続時間が永くなるが、しかしながら、収納部４の形状に起因して厚さの限界があり、また、装着した時に違和感が生じる傾向にある。（ｄ）頭部冷却用具１の冷却媒体８の容積（重量）が多くなるに従って、冷却持続時間が永くなるが、しかしながら、装着した時に重く感じるために、人体頭や首にストレスを感じる傾向にある。
このような観点から、収納部４の中に収納される冷却媒体８の厚さは、約３〜約１５ｍｍが望ましく、より望ましくは、約５〜約１３ｍｍの厚さを有するとともに、冷却媒体８の形状に相似形であって、頭部冷却用具の面積の略４０％以上に収納設置できる冷却媒体８の形状が望ましい。冷却媒体８の占める面積が形状頭部冷却用具の面積の略４０％未満の場合には、冷却持続時間が短くなる傾向がある。より望ましくは、冷却媒体８の占める面積が形状頭部冷却用具の面積の約８０〜９９％が望ましい。【０１３９】＜頭部冷却用具の適用方法について＞
本発明の頭部冷却用具の適用方法は、所定の温度に冷気された前記冷却媒体が収納された上記の頭部冷却用具を、（ｉ）前記シート状内面部材の側を人体頭部に接触して人体頭部に装着する、及び、（ｉｉ）前記シート状表面部材の側を人体頭部に接触して人体頭部に装着する、のいずれかの状態で、人体頭部に装着し、その後、前記頭部冷却用具を裏返して、裏返しされた前記頭部冷却用具を人体頭部に装着して使用することを特徴とする。
これにより、「冷却感、装着快適感、色彩満足感などの装着者の好みに応じた装着感が得られる」効果が得られる。【０１４０】  本発明の頭部冷却用具の適用方法において、望ましくは、前記頭部冷却用具を構成する前記シート状表面部材は前記シート状内面部材よりも高い断熱性能を有し、冷却媒体の冷却温度が低い場合に、（ｉｉ）前記シート状表面部材の側が人体頭部に接触する状態で、前記頭部冷却用具を人体頭部に装着し、その後、装着後の所定の時間の経過後に、前記冷却媒体の冷却温度が昇温した場合に、（ｉ）前記シート状内面部材の側が人体頭部に接触する状態で、前記頭部冷却用具を人体頭部に装着する、ことを特徴とする。
これにより、頭部冷却用具を人体頭部に装着して使用した場合に、冷えすぎた不快感を抑制できるとともに、快適冷却持続時間が永くなる効果がさらに顕著に得られる。【０１４１】  例えば、約−２０〜約１０℃に冷却された冷却媒体８が収納部４に収納された頭部冷却用具１を、シート状表面部材２が表面に位置する状態で人体頭部に装着して使用する方法が適用できる。
本発明において、冷却媒体８が冷えすぎて不快感を感じる場合であって、シート状表面部材２がシート状内面部材３より、表裏方向において高い断熱性能を有する断熱性素材を少なくとも構成した本発明の頭部冷却用具において、頭部冷却用具１を、シート状表面部材２が人体頭部の側に位置する状態で人体頭部に装着して使用する方法が適用できる。すなわち、約０℃以下に冷却され冷却媒体８を収納した頭部冷却用具を人体頭部に装着した際に、人体頭部に接触する側の頭部冷却用具の温度が約２℃以下の冷えすぎた強冷領域又は激冷領域にある場合には、頭部冷却用具１のシート状表面部材２が頭部側に位置するように頭部冷却用具１の表裏を裏返して装着することができる。これにより、人体頭部に接触する側のシート状表面部材２の温度が、断熱素材に起因する断熱性能により冷却媒体の温度よりも約１〜７℃高い温度で冷え過ぎ感が抑制されて、冷え過ぎ感の少ない冷感装着感が得られる。そして、装着持続後、人体頭部に接触する側の頭部冷却用具の温度が２℃以上の快適冷感温度領域になった時に頭部冷却用具１を正常状態に戻した状態で装着することができる。これにより、快適冷却持続時間が永くなる効果がある。
すなわち、「（オ）冷却媒体の収納部を構成するシート状表面部材とシート状内面部材との断熱性が異なる構成において、冷え過ぎた冷却媒体を収納した頭部冷却用具を裏返して使用可能な構成により、冷え過ぎ感の抑制された快適冷却感を得るとともに快適冷却持続時間を延長できる快適装着感持続時間延長効果」が得られる。【０１４２】  前記頭部冷却用具を構成する前記シート状表面部材と前記シート状内面部材とは、互いに類似する断熱性能を有し、前記シート状表面部材は積層された複数種類の内面素材より構成される。
前記複数種類の表面素材は、少なくとも、（Ａ）表面部材最表層に構成される所望の機能を有する表面部材所望機能性素材、（Ｂ）表面部材中間層に構成される表面部材断熱性素材、及び、（Ｃ）表面部材最裏層に構成される、前記冷却媒体を収納した状態において破損なく使用可能な機械的強度を有する表面部材冷却媒体保持素材を備える。
前記シート状内面部材は積層された複数種類の内面素材より構成され、前記複数種類の内面素材は、少なくとも、（Ａ）内面部材最表層に構成される、所望の機能を有する内面部材所望機能性素材、（Ｂ）内面部材中間層に構成される内面部材断熱性素材、及び、（Ｃ）内面部材最裏層に構成される、前記冷却媒体を収納した状態において破損なく使用可能な機械的強度を有する内面部材冷却媒体保持素材を備える。
なお、表面部材冷却媒体保持素材としては前記冷却媒体を収納した状態において破損なく使用可能な機械的強度を有するとともに、前記表面部材断熱性素材よりも小さい断熱性を有するものが望ましい。内面部材冷却媒体保持素材としては前記冷却媒体を収納した状態において破損なく使用可能な機械的強度を有するとともに、前記表面部材断熱性素材よりも小さい断熱性を有するものが望ましい
装着者の好みに応じて、（ｉ）前記シート状内面部材の側を人体頭部に接触して人体頭部に装着する、及び、（ｉｉ）前記シート状表面部材の側を人体頭部に接触して人体頭部に装着する、のいずれかの状態で、前記頭部冷却用具を人体頭部に装着する、ことを特徴とする。
これにより、頭部冷却用具を人体頭部に装着した場合に、装着者の好みに応じた良好な外観を奏する効果が得られる。【０１４３】  本発明において、さらに、頭部冷却用具を、（ｉ）前記シート状内面部材の側を人体頭部に接触して人体頭部に装着する、及び、（ｉｉ）前記シート状表面部材の側を人体頭部に接触して人体頭部に装着する、のいずれかの状態で、人体頭部に装着する。
前記冷却媒体の温度が冷え過ぎて不快感を感じる場合に、前記頭部冷却用具と人体頭部との間に、シート状頭部保護部材を介在設置して装着し、その後、所望時間経過後に、前記シート状頭部保護部材を取り除いて、前記シート状頭部保護部材が取り除かれた前記頭部冷却用具を人体頭部に装着する適用方法が望ましい。この場合、快適冷却持続時間が永くなる利点がある。【０１４４】  なお、本発明において、頭部冷却用具の製造方法は特に限定されないが、例えば、本発明の頭部冷却用具は、所定のシート状部材を使用して、下記のような製法により、製造することができる。
（ａ）複数のシート状素材を縫い合わせて接合する縫製。
（ｂ）複数のシート状素材を、布用接着材又は布用加熱溶融接着テープなどの接着部材を介在して加熱加圧することにより、接着して接合する接着製法。布用加熱溶融接着テープとしては、例えば、熱により溶融する樹脂により調製された不織布製接着テープ、又は、不織布基材に熱により溶融する樹脂を含浸させたテープ状接着剤が使用できる。
（ｃ）加熱により溶融し、常温において固化するホットメルト接着剤を使用して接合する接着製法。
（ｄ）加熱により溶融するシート状部材を構成する頭部冷却用具の場合に、加熱するとともに加圧して互いのシート状部材を接合する加熱圧着接合製法。加熱方法としては、高周波加熱、又は、熱圧着などの方法が適用できる。
これらの所望の方法により、頭部冷却用具を製造することができる。
【実施例】
【０１４５】  本発明の頭部冷却用具の典型的実施例を以下に説明する。
実施例１
本発明の一実施例の頭部冷却用具の外観模式図が図１に示される。図１において、（Ａ）は頭部冷却用具を表面の上方から見た概略模式図、（Ｂ）は頭部冷却用具を表面の左側面から見た概略模式図（括弧内は右側面から見た概略模式図）、（Ｃ）は頭部冷却用具の内面を下方から見た概略模式図、（Ｄ）は頭部冷却用具を表面の前方から見た概略模式図、（Ｅ）は頭部冷却用具を表面の後方から見た概略模式図、（Ｆ）は頭部冷却用具の内面の前（後）を見た概略模式図である。
本発明の一実施例の頭部冷却用具の断面の構成模式図が図４に示される。図４において、（Ａ）は複数個に分割された収納部のそれぞれの収納部に冷却部材を収納した状態を示す模式的断面図であり、（Ｂ）は一つの収納部に、複数個に分割され互いに連結された複数個分割連結密封冷却媒体を収納した状態を示す模式的断面図である。
本発明の一実施例の頭部冷却用具の収納開口部の断面の構成模式図が図７に示される。図７において、（Ａ）はシート状表面部材２に収納開口部を有する模式図であり、（Ｂ）はシート状内面部材３に収納開口部を有する模式図であり、（Ｃ）はシート状表面部材２に収納開口部を有するとともに表面部材開口部連結部材を構成した模式図であり、（Ｄ）はシート状内面部材３に収納開口部を有するとともに内面部材開口部連結部材３ｂを構成した模式図である。本実施例は、図７（Ａ）のシート状表面部材２に収納開口部４ａ（表面部材開口部２ａ）を有する構成である。【０１４６】  図１において、頭部冷却用具は、人体頭部全体を覆って装着可能な略半球形状を有し、頭部に装着された時に、該頭部に接触するシート状内面部材３と外表面側に位置するシート状表面部材２とにより形成された収納部４と、収納部４の中に脱収納自在に収納された冷却性能を有する冷却媒体８とを備える。
収納部４は平面方向に複数個に分割された複数個の収納部４を有するとともに、互いに一体に形成されてなる。該複数個の収納部４は、人体の額部から頭頂部を経て後頭部までを連続して覆う中央収納部４１と、人体の左側頭部を覆う左側頭収納部４２と、人体の右側頭部を覆う右側頭収納部４３とを有し、互いに隣り合って形成されるとともに、一体に形成されてなる。【０１４７】  シート状表面部材２は、少なくとも、表裏方向において高い断熱性能を有する断熱性素材を構成する。
図４に示すように、シート状表面部材２は積層された複数種類の表面素材より構成され、複数種類の表面素材２は、少なくとも、（Ａ）表面部材最表層２１に構成される所望の機能を有する所望機能性素材２１と、（Ｂ）表面部材中間層２２に構成される高い断熱性能を有する断熱性素材２２、及び、（Ｃ）最裏層２３に構成される、冷却媒体８を収納した状態において破損なく使用可能な機械的強度を有する冷却媒体保持素材２３、を備える。さらに詳しくは、本実施例において、シート状表面部材２は、図５の（Ｂ）に示さるように、表面部材中間層２２に構成される高い断熱性能を有する断熱性素材２２として、熱伝導断熱素材２２ａとしての断熱性不織布２２ａと、金属膜輻射断熱素材２２ｂとしての基材付金属薄膜素材２２ｂとが積層されて構成される。【０１４８】  具体的には、（Ａ）表面部材最表層２１として、表面に所望の図柄色彩を染色したポリエステル繊維製織布を使用した所望機能性素材２１が使用される。（Ｂ）表面部材中間層２２として、熱伝導断熱素材２２ａとしての厚さ約５ｍｍの綿状のポリエステル短繊維製断熱性不織布２２ａ（嵩密度：約５０ｇ／平米）と、金属膜輻射断熱素材２２ｂとしての厚さ約０．５ｍｍの紙状のポリエステル短繊維製不織布基材に厚さ約１μｍのアルミ製金属薄膜を付着形成した基材付金属薄膜素材２２ｂとが積層されて構成される断熱性素材２２が使用される。この場合、厚さ約０．５ｍｍの紙状のポリエステル短繊維製不織布基材が断熱性能を有する場合には、厚さ約１μｍのアルミ製金属薄膜を付着形成した基材付金属薄膜素材２２ｂは、図５の（Ｃ）に示される輻射熱伝導熱断熱素材２２ｃと同じ素材（機能）を兼ね備える。（Ｃ）最裏層２３として、図６の（Ｆ）に示されるような約５０％の開孔率のメッシュ状に編成されたポリエステル繊維製の強い機械的強度を有する冷却媒体保持素材２３が使用される。このメッシュ状の冷却媒体保持素材２３は通気性素材、貫通孔通気性素材、柔軟性素材、冷却媒体保持素材などの機能を兼ね備える。
なお、シート状表面部材２における基材付金属薄膜素材２２ｂの金属薄膜の面とメッシュ状冷却媒体保持素材２３との面とが互いに接触するように積層されて構成される。【０１４９】  シート状内面部材３としては、通気性素材、貫通孔通気性素材、柔軟性素材、冷却媒体保持素材などの機能を兼ね備えた内面部材メッシュ状貫通孔布素材３が構成される。具他的には、前述のシート状表面部材２の最裏層２３に使用された冷却媒体保持素材２３と同じ素材である図６の（Ｆ）に示されるような約５０％の開孔率のメッシュ状に編成されたポリエステル繊維製の強い機械的強度を有する内面部材メッシュ状貫通孔布素材３が使用される。
シート状内面部材３は、表裏方向において、シート状表面部材２より高い通気性能を有する。【０１５０】  シート状表面部材の表面部材最表層２１としてのポリエステル繊維製織布を使用した所望機能性素材２１と、表面部材中間層２２としてのポリエステル短繊維製断熱性不織布２２ａは、抗菌性処理（銀イオン含有抗菌材）を施した繊維素材が使用される。【０１５１】  上記のようなシート状表面部材２とシート状内面部材３とを使用して、所定の形状に裁断し、それらの裁断されたシート状表面部材２とシート状内面部材３とを裁縫して、図１及び図４（Ａ）に示されるような、中央収納部４１と左側頭収納部４２と右側頭収納部４３とを有し、互いに隣り合って形成されるとともに、一体に形成されてなる複数個の収納部４を有する頭部冷却用具を調製する。ここで、図４（Ａ）は、図１の頭部冷却用具を左耳部から右耳部に至る断面を展開した断面図に相当し、図４（Ｂ）は図１の頭部冷却用具の中央収納部４１を側頭部から見た断面図に相当する。【０１５２】  本実施例において、図１に示されるように、さらに、収納部４の下側縁に設置された装着脱落防止部材５を備える。装着脱落防止部材５は人体頭部からの脱落を防止する機能を奏する。本実施例における装着脱落防止部材５は、前述のシート状表面部材２とシート状内面部材３とを使用して、収納部４の下側縁の全周囲に形成された伸縮性部材収納部の中にゴム製伸縮紐を設置した構成である。【０１５３】  装着脱落防止部材５の長さは約５６ｃｍである。すなわち、本実施例の頭部冷却用具の外観は略半球形状を有し、その略半球形状の内周の円周長さは略５６ｃｍである。【０１５４】  本実施例において、図１に示されるように、それぞれの収納部４は、シート状表面部材２に形成された表面部材開口部２ａを備える。表面部材開口部２ａとして、中央収納部４１に形成された中央収納部開口部４１ａ、左側頭収納部４２に形成された左側頭収納部開口部４２ａ、右側頭収納部４３に形成された右側頭収納部開口部４３ａなどの収納開口部４ａを備える。それぞれの収納開口部４１ａ、４２ａ、４３ａは、それぞれの冷却媒体８の出し入れが可能な形状を有する。【０１５５】  それぞれの収納開口部４１ａ、４２ａ、４３ａは、それぞれの収納部の略中央部を通る仮想線上に形成され、収納部の中に冷却媒体８を収納しやすくする機能と、収納部に収納された冷却媒体８の飛び出しを抑制する機能とを奏する。
本実施例において、中央収納部開口部４１ａは、図１（Ａ）に示されるように、中央収納部４１の略中央部である右耳部から左耳部に至る仮想線上に形成されている。図１（Ｂ）に示されるように、左側頭収納部開口部４２ａは頭頂部から左耳部に至る仮想線上に形成され、右側頭収納部開口部４３ａは頭頂部から右耳部に至る仮想線上に形成されている。これにより、収納部４の中に収納されている冷却媒体８の端部が表面部材開口部２ａから離れた位置に位置するために、冷却媒体８が該表面部材開口部２ａから脱落することが防止される。【０１５６】  図１、図７（Ａ）に示されるように、それぞれの表面部材開口部２ａ（収納開口部４ａ）は、互いに重なり合う表面部材二重開口縁部２ａを有し、二重開口縁部２ａは、収納部４の中に収納されている冷却媒体８の飛び出しを抑制する機能を奏する。これにより、上記の収納部４の中に収納されている冷却媒体８の端部が表面部材開口部２ａから離れた位置に位置するとともに、その開口部が二重に形成されているために、冷却媒体８が該表面部材開口部２ａから脱落することが防止される効果が更に著しく発揮される。【０１５７】  なお、本実施例において、図７（Ｃ）に示されるような表面部材開口部連結部材２ｂを前述の、二重開口縁部２ａの少なくとも一部分に設置した構成も実施可能であり、これにより、前述の冷却媒体８が該表面部材開口部２ａから脱落することが防止される効果が更に著しく発揮される。表面部材開口部連結部材２ｂとしては、例えば、平面ファスナー（商品名：マジックテープ）が望ましい。【０１５８】  本実施例において、さらに、図１１の（Ａ）に示されるように、収納部４の後頭部の下側縁に取付取外自在に設置可能な首部収納部６と、首部収納部６の中に収納自在に収納された冷却媒体８を備える。首部収納部６は前述のシート状表面部材２とシート状内面部材３と同じ仕様構成が実施可能であり、首部に接する側にシート状内面部材３が構成される。
首部収納部５は汎用の面ファスナーにより、頭部冷却用具の後下縁に取り付け及び取外し可能に設置可能である。さらに、首部収納部５は二重開口部縁部を有し、その二重開口部縁部を介して冷却媒体８が収納される。
なお、この首部収納部６を取付設置しない状態で、頭部冷却用具を装着することも実施可能である。【０１５９】  本実施例においては、冷却媒体８としては、下記の種類の冷却媒体８が使用可能である。
（ａ−ｉ）ゲル状の「冷却と昇温の繰返し使用が可能な冷媒が密封容器に充填された繰返型密封冷却媒体」としての、水にポリアクリル酸とポリアクリル酸ナトリウムとを溶解した２５℃においてゲル状の含水水溶性高分子（又は吸水性高分子とも言う）を使用し、そのゲル状の含水水溶性高分子を柔軟なプラスチック製袋容器の中に充填密封した密封冷却媒体８であって、約−２０℃〜約５℃に冷却した繰返型密封冷却媒体８。
（ａ−ｉｉ）ジエチレングリコール、プロピレングリコール、グリセリン（多価アルコールの一種）を主成分とする粘性状の冷媒を柔軟なプラスチック製袋容器の中に密封充填した密封冷却媒体８であって、約−２０℃〜約５℃に冷却した繰返型密封冷却媒体８。
（ａ−ｉｉｉ）水とカルボキシメチルセルロースとプロピレングリコールとを含有するゲル状の冷媒を柔軟なプラスチック製袋容器の中に密封充填した密封冷却媒体８であって、約−２０℃〜約５℃に冷却した繰返型密封冷却媒体８。
（ｂ）「外部衝撃により冷却可能な冷媒が密封容器に充填された密封冷却媒体」としての、水と小袋に詰められた硝酸アンモニウムとを含有する反応性冷媒を柔軟なプラスチック製袋容器の中に密封充填した反応型密封冷却媒体８。
（ｃ−ｉｉｉ）水（又は、水とアルコールとの混合液）を所定形状のガーゼに浸漬したものを約−１０℃〜５℃に冷却した湿布型冷却媒体８。【０１６０】  上記の密封冷却媒体８に構成される柔軟なプラスチック製袋容器としては、所定形状に形成された内層ポリエチレンと中間層ポリエチレンテレフタレートと外層ポリアミド（冷媒の種類と使用方法等の説明が印刷されている）とのラミネートプラスチックフィルム製袋容器が使用される。内層ポリエチレン層は熱融着可能であり、このラミネートプラスチックフィルムを熱融着することにより、任意の形状のフィルム製袋容器、及び、複数個に分割されるとともに互いに連結された複数個分割連結密封冷却媒体を容易に調製できる。【０１６１】  上記の冷却媒体８は、状況に応じて、適切な冷却媒体が選択されて使用される。図１に示されるように、冷却媒体８がそれぞれの収納部（４１、４２、４３）に収納及び取出し可能に収納して使用される。特に、本実施例においては、図１に示されるように、それぞれの収納部の広さ面積が広いために、複数個に分割されるとともに互いに連結された屈曲自在に形成された複数個分割連結密封冷却媒体の使用が望ましい。【０１６２】  本実施例において、上記の（ａ−ｉ）ゲル状含水水溶性高分子を充填した繰返型密封冷却媒体８、及び、（ａ−ｉｉ）多価アルコール含有冷媒を充填した繰返型密封冷却媒体８、（ａ−ｉｉｉ）水、水溶性高分子、多価アルコールを含有した冷媒を充填した繰返型密封冷却媒体８、及び、（ｂ）反応型密封冷却媒体８のそれぞれの密封冷却媒体８は、図１の（Ａ）に示されるような、略長方形の３つに分割されるとともに互いに屈曲自在に連結された複数個分割連結密封冷却媒体、及び、（Ｂ）に示されるような、略半円形状を有する３つに分割されるとともに互いに屈曲自在に連結された複数個分割連結密封冷却媒体が使用される。図１（Ａ）、（Ｂ）の複数個分割連結密封冷却媒体８は、第一分割冷却媒体８ａ、第二分割冷却媒体８ｂ、第三分割冷却媒体８ｃに分割された形状を有する。
（Ａ）に示されるような略長方形の繰返型密封冷却媒体８は、略長方形を有する中央収納部４１の中に収納及び取出し可能に収納される。（Ｂ）に示されるような略半円形の繰返型密封冷却媒体８は、略半円形を有する左側頭収納部４２と右側頭収納部４３の中にそれぞれ収納及び取出し可能に収納される。
このように、使用されるそれぞれの冷却媒体８は、収納部４の形状に合致するとともに未収納領域が少なくなるようにした相似形の形状を有する。本実施例では、冷却媒体８の平面形状がそれぞれの収納部４の面積の約７５〜約９５％になるような平面形状であって、厚さが約１０ｍｍの冷却媒体８が使用される。【０１６３】  なお、冷却媒体８の大きさに起因して、構成される冷媒の含有量が異なり、冷却媒体８の厚さが厚くなるにしたがって、含有される冷媒の含有量が多くなり、人体頭部に装着して使用した場合に、冷却保持時間が長く維持できる頭部冷却用具が得られる。しかしながら、含有される冷媒の含有量が多くなるにしたがって、重くなり不愉快な装着感となる。これらの点を勘案して、最適な厚さと重さを有する冷却媒体８を設計使用する必要がある。【０１６４】  このような、それぞれの冷却された冷却媒体８をそれぞれの複数個を準備し、人体頭部に装着して使用し、冷却媒体８の温度が上昇した場合に、それらの冷却媒体８を、別に準備した冷却された冷却媒体８に取り換えて使用する。使用後の冷却媒体８は再度、冷凍庫等の中で冷却される。このようにして、冷却媒体８を繰り返して使用することができる。【０１６５】実施例２
本実施例２の頭部冷却用具が実施例１と主として異なる点は、中央収納部４１が額収納部４１１と頭頂収納部４１２と後頭収納部４１３とに分割され、左側頭収納部４２が左前側頭収納部４２１と左後側頭収納部４２２とに分割され、右側頭収納部４３が右前側頭収納部４３１と右後側頭収納部４３２とに分割された構成、及び、収納開口部４ａがシート状内面部材３の側に形成された内面部材開口部３ａを構成する点である。【０１６６】  本発明の一実施例の頭部冷却用具の外観模式図が図２に示される。図２において、（Ａ）は頭部冷却用具を表面の上方から見た概略模式図、（Ｂ）は頭部冷却用具を表面の左側面から見た概略模式図（括弧内は右側面から見た概略模式図）、（Ｃ）は頭部冷却用具の内面を下方から見た概略模式図、（Ｄ）は頭部冷却用具を表面の前方又は後方から見た概略模式図、（Ｅ）は頭部冷却用具の内面の前（後）を見た概略模式図である。
本発明の一実施例の頭部冷却用具の断面の構成模式図が図４に示される。図４において、（Ａ）は複数個に分割された収納部のそれぞれの収納部に冷却部材を収納した状態を示す模式的断面図であり、（Ｂ）は一つの収納部に、複数個に分割され互いに連結された複数個分割連結密封冷却媒体を収納した状態を示す模式的断面図である。
本発明の一実施例の頭部冷却用具の収納開口部の断面の構成模式図が図７に示される。図７において、（Ａ）はシート状表面部材２に収納開口部を有する模式図であり、（Ｂ）はシート状内面部材３に収納開口部を有する模式図であり、（Ｃ）はシート状表面部材２に収納開口部を有するとともに表面部材開口部連結部材を構成した模式図であり、（Ｄ）はシート状内面部材３に収納開口部を有するとともに内面部材開口部連結部材３ｂを構成した模式図である。本実施例は、図７の（Ｂ）のシート状内面部材３に内面部材開口部３ａを有する構成である。【０１６７】  図２において、頭部冷却用具は、人体頭部全体を覆って装着可能な略半球形状を有し、頭部に装着された時に、該頭部に接触するシート状内面部材３と外表面側に位置するシート状表面部材２とにより形成された収納部４と、収納部４の中に脱収納自在に収納された冷却性能を有する冷却媒体８とを備える。
収納部４は平面方向に複数個に分割された複数個の収納部４を有するとともに、互いに一体に形成されてなる。該複数個の収納部４は、人体の額部から頭頂部を経て後頭部までを連続して覆う中央収納部４１と、人体の左側頭部を覆う左側頭収納４１３とを有し、左側頭収納部４２は左前側頭収納部４２１と左後側頭収納部４２２とを有する。中央収納部４１は額収納部４１１と頭頂収納部４１２と後頭収納部４１３とを有し、左側頭収納部４２は左前側頭収納部４２１と左後側頭収納部４２２とを有し、右側頭収納部４３は右前側頭収納部４３１と右後側頭収納部４３２とを有する。これらの複数個の収納部４は、互いに隣り合って形成されるとともに、一体に形成されてなる。【０１６８】  図４に示すように、シート状表面部材２は積層された複数種類の表面素材より構成され、
複数種類の表面素材２は、少なくとも、（Ａ）表面部材最表層２１に構成される、所望の機能を有する所望機能性素材２１と、（Ｂ）表面部材中間層２２に構成される、シート状内面部材３より高い断熱性能を有する断熱性素材２２、及び、（Ｃ）最裏層２３に構成される、冷却媒体８を収納した状態において破損なく使用可能な機械的強度を有する冷却媒体保持素材２３、を備える。さらに詳しくは、本実施例において、シート状表面部材２は、図５の（Ｂ）に示さるように、表面部材中間層２２に構成されるシート状内面部材３より高い断熱性能を有する断熱性素材２２として、熱伝導断熱素材２２ａとしての断熱性不織布２２ａと、金属膜輻射断熱素材２２ｂとしての基材付金属薄膜素材２２ｂとが積層されて構成される。【０１６９】  具体的には、（Ａ）表面部材最表層２１として、表面に所望の図柄色彩を染色したポリエステル繊維製織布を使用した所望機能性素材２１が使用される。（Ｂ）表面部材中間層２２として、熱伝導断熱素材２２ａとしての厚さ約５ｍｍの綿状のポリエステル短繊維製断熱性不織布２２ａ（嵩密度：約５０ｇ／平米）と、金属膜輻射断熱素材２２ｂとしての厚さ約０．５ｍｍの紙状のポリエステル短繊維製不織布基材に厚さ約１μｍのアルミ製金属薄膜を付着形成した基材付金属薄膜素材２２ｂとが積層されて構成される断熱性素材２２が使用される。この場合、厚さ約０．５ｍｍの紙状のポリエステル短繊維製不織布基材が断熱性能を有する場合には、厚さ約１μｍのアルミ製金属薄膜を付着形成した基材付金属薄膜素材２２ｂは、図５の（Ｃ）に示される輻射熱伝導熱断熱素材２２ｃと同じ素材（機能）を兼ね備える。（Ｃ）最裏層２３として、図６の（Ｆ）に示されるような約５０％の開孔率のメッシュ状に編成されたポリエステル繊維製の強い機械的強度を有する冷却媒体保持素材２３が使用される。このメッシュ状の冷却媒体保持素材２３は通気性素材、貫通孔通気性素材、柔軟性素材、冷却媒体保持素材などの機能を兼ね備える。
なお、シート状表面部材２における基材付金属薄膜素材２２ｂの金属薄膜の面とメッシュ状冷却媒体保持素材２３との面とが互いに接触するように積層されて構成される。【０１７０】  シート状内面部材３としては、通気性素材、貫通孔通気性素材、柔軟性素材、冷却媒体保持素材などの機能を兼ね備えた内面部材メッシュ状貫通孔布素材３が構成される。具他的には、前述のシート状表面部材２の最裏層２３に使用された冷却媒体保持素材２３と同じ素材である図６の（Ｆ）に示されるような約５０％の開孔率のメッシュ状に編成されたポリエステル繊維製の強い機械的強度を有する内面部材メッシュ状貫通孔布素材３が使用される。
シート状内面部材３は、表裏方向において、シート状表面部材２より高い通気性能を有する。【０１７１】  シート状表面部材の表面部材最表層２１としてのポリエステル繊維製織布を使用した所望機能性素材２１と、表面部材中間層２２としてのポリエステル短繊維製断熱性不織布２２ａは、抗菌性処理（銀イオン含有抗菌材）を施した繊維素材が使用される。【０１７２】  上記のようなシート状表面部材２とシート状内面部材３とを使用して、所定の形状に裁断し、それらの裁断されたシート状表面部材２とシート状内面部材３とを裁縫して、図２及び図４（Ａ）に示されるような、それぞれの収納部が、互いに隣り合って形成されるとともに、一体に形成されてなる複数個の収納部４を有する頭部冷却用具を調製する。ここで、図４（Ａ）は、図２の頭部冷却用具の左側頭収納部４２又は右側頭収納部４３を側頭部から見た断面図に相当し、図２の頭部冷却用具の中央収納部４１を上部から見た断面図に相当する。【０１７３】  本実施例において、図２に示されるように、さらに、収納部４の下側縁に設置された装着脱落防止部材５を備える。装着脱落防止部材５は人体頭部からの脱落を防止する機能を奏する。本実施例における装着脱落防止部材５は、前述のシート状表面部材２とシート状内面部材３とを使用して、収納部４の下側縁の全周囲に形成された伸縮性部材収納部の中にゴム製伸縮紐を設置した構成である。【０１７４】  装着脱落防止部材５の長さは約５６ｃｍである。すなわち、本実施例の頭部冷却用具の外観は略半球形状を有し、その略半球形状の内周の円周長さは略５６ｃｍである。【０１７５】  本実施例において、図２に示されるように、それぞれの収納部４は、収納開口部４ａとして、シート状内面部材３に形成された内面部材開口部３ａを備える。その内面部材開口部３ａとして、額収納部開口部４１１ａ、頭頂収納部開口部４１２ａ、後頭収納部開口部４１３ａ、左前側頭収納部開口部４２１ａ、左後側頭収納部開口部４２２ａ、右前側頭収納部開口部４３１ａ、右後側頭収納部開口部４３２ａのそれぞれの収納開口部４ａを備え、それぞれの収納開口部４ａは、それぞれの冷却媒体８の出し入れが可能な形状を有する。【０１７６】  それぞれの収納開口部４１１ａ、４１２ａ、４１３ａ、４２１ａ、４２２ａ、４３１ａ、４３２ａは、それぞれの収納部の略中央部を通る仮想線上に形成され、収納部の中に冷却媒体８を収納しやすくする機能と、収納部に収納された冷却媒体８の飛び出しを抑制する機能とを奏する。
本実施例において、図２（Ｃ）に示されるように、額収納部開口部４１１ａ、頭頂収納部開口部４１２ａ、後頭収納部開口部４１３ａは、額収納部４１１、頭頂収納部４１２、後頭収納部４１３のそれぞれの収納部の略中央部を通るとともに前頭部から頭頂部を経て後頭部に至る仮想線上に形成されている。また、図２（Ｄ）、（Ｅ）に示されるように、左前側頭収納部開口部４２１ａ、左後側頭収納部開口部４２２ａ、右前側頭収納部開口部４３１ａ、右後側頭収納部開口部４３２ａは、左前側頭収納部４２１、左後側頭収納部４２２、右前側頭収納部４３１、右後側頭収納部４３２のそれぞれの収納部の略中央部を通るとともに前側頭部から後側頭部に至る仮想線上に形成されている。これにより、収納部４の中に収納されている冷内面部材開口部３ａから脱落することが防止される。【０１７７】  図２、図７（Ｂ）に示されるように、それぞれの内面部材開口部３ａ（収納開口部４ａ）は、互いに重なり合う内面部材二重開口縁部３ａを有し、二重開口縁部３ａは、収納部４の中に収納されている冷却媒体８の飛び出しを抑制する機能を奏する。これにより、上記の収納部４の中に収納されている冷却媒体８の端部が内面部材開口部３ａから離れた位置に位置するとともに、その開口部が二重に形成されているために、冷却媒体８が該内面部材開口部３ａから脱落することが防止される効果が更に著しく発揮される。【０１７８】  なお、本実施例において、図７（Ｄ）に示されるような内面部材開口部連結部材３ｂを前述の、二重開口縁部３ａの少なくとも一部分に設置した構成も実施可能であり、これにより、前述の冷却媒体８が該内面部材開口部３ａから脱落することが防止される効果が更に著しく発揮される。内面部材開口部連結部材３ｂとしては、例えば、平面ファスナー（商品名：マジックテープ）が望ましい。【０１７９】  本実施例において、さらに、図１１の（Ａ）に示されるように、収納部４の後頭部の下側縁に取付取外自在に設置可能な首部収納部６と、首部収納部６の中に収納自在に収納された冷却媒体８を備える。首部収納部６は前述のシート状表面部材２とシート状内面部材３と同じ仕様構成が実施可能であり、首部に接する側にシート状内面部材３が構成される。
首部収納部５は汎用の面ファスナーにより、頭部冷却用具の後下縁に取り付け及び取外し可能に設置可能である。さらに、首部収納部５は二重開口部縁部を有し、その二重開口部縁部を介して冷却媒体８が収納される。
なお、この首部収納部６を取付設置しない状態で、頭部冷却用具を装着することが可能である。【０１８０】  本実施例においては、冷却媒体８としては、前述の実施例１と同じ種類の冷却媒体８が使用できる。【０１８１】  上記の冷却媒体８は、状況に応じて、適切な冷却媒体が選択されて使用される。図２に示されるように、冷却媒体８がそれぞれの収納部に収納及び取出し可能に収納して使用される。【０１８２】  本実施例において、上記の（ａ−ｉ）ゲル状含水水溶性高分子を充填した繰返型密封冷却媒体８、及び、（ａ−ｉｉ）多価アルコール含有冷媒を充填した繰返型密封冷却媒体８、（ａ−ｉｉｉ）水、水溶性高分子、多価アルコールを含有した冷媒を充填した繰返型密封冷却媒体８、及び、（ｂ）反応型密封冷却媒体８のそれぞれの密封冷却媒体８は、それぞれの収納部４の形状に略相似形の形状を有する。すなわち、図２の（Ａ）、（Ｃ）に示されるような、略正方形（略長方形）密封冷却媒体、及び、（Ｂ）に示されるような、略扇型密封冷却媒体が使用される。（Ａ）、（Ｃ）に示されるような略正方形の繰返型密封冷却媒体８は、中央収納部４１の分割された略正方形のそれぞれの額収納部４１１、頭頂収納部４１２、後頭収納部４１３の中に収納及び取出し可能に収納される。（Ｂ）に示されるような略扇型の繰返型密封冷却媒体８は、略扇型を有する左前側頭収納部４２１、左後側頭収納部４２２、右前側頭収納部４３１、右後側頭収納部４３２の中にそれぞれ収納及び取出し可能に収納される。
このように、使用されるそれぞれの冷却媒体８は、収納部４の形状に合致するとともに末収納領域が少なくなるようにした相似形の形状を有する。本実施例では、冷却媒体８の平面形状がそれぞれの収納部４の面積の約７５〜約９５％になるような平面形状であって、厚さが約１０ｍｍの冷却媒体８が使用される。【０１８３】  なお、冷却媒体８の大きさに起因して、構成される冷媒の含有量が異なり、冷却媒体８の厚さが厚くなるにしたがって、含有される冷媒の含有量が多くなり、人体頭部に装着して使用した場合に、冷却保持時間が長く維持できる頭部冷却用具が得られる。しかしながら、含有される冷媒の含有量が多くなるにしたがって、重くなり不愉快な装着感となる。これらの点を勘案して、最適な厚さと重さを有する冷却媒体８を設計使用する必要がある。【０１８４】  このような、それぞれの冷却された冷却媒体８をそれぞれの複数個を準備し、人体頭部に装着して使用し、冷却媒体８の温度が上昇した場合に、それらの冷却媒体８を、別に準備した冷却された冷却媒体８に取り換えて使用する。使用後の冷却媒体８は再度、冷凍庫等の中で冷却される。このようにして、冷却媒体８を繰り返して使用することができる。【０１８５】実施例３
本発明の一実施例の頭部冷却用具の外観模式図が図３に示される。図３において、（Ａ）は頭部冷却用具を表面の上方から見た概略模式図、（Ｂ）は頭部冷却用具を表面の左側面から見た概略模式図（括弧内は右側面から見た概略模式図）、（Ｃ）は頭部冷却用具の内面を下方から見た概略模式図、（Ｄ）は頭部冷却用具を表面の前方（又は後方）から見た概略模式図、（Ｅ）頭部冷却用具の内面の前（後）を見た概略模式図である。
本発明の一実施例の頭部冷却用具の断面の構成模式図が図４に示される。図４において、（Ａ）は複数個に分割された収納部のそれぞれの収納部に冷却部材を収納した状態を示す模式的断面図であり、（Ｂ）は一つの収納部に、複数個に分割され互いに連結された複数個分割連結密封冷却媒体を収納した状態を示す模式的断面図である。
本発明の一実施例の頭部冷却用具の収納開口部の断面の構成模式図が図７に示される。図７において、（Ａ）はシート状表面部材２に収納開口部を有する模式図であり、（Ｂ）はシート状内面部材３に収納開口部を有する模式図であり、（Ｃ）はシート状表面部材２に収納開口部を有するとともに表面部材開口部連結部材を構成した模式図であり、（Ｄ）はシート状内面部材３に収納開口部を有するとともに内面部材開口部連結部材３ｂを構成した模式図である。本実施例は、図７（Ａ）のシート状表面部材２に収納開口部４ａ（表面部材開口部２ａ）を有する構成である。【０１８６】  図３において、頭部冷却用具は、人体頭部全体を覆って装着可能な略半球形状を有し、頭部に装着された時に、該頭部に接触するシート状内面部材３と外表面側に位置するシート状表面部材２とにより形成された収納部４と、収納部４の中に脱収納自在に収納された冷却性能を有する冷却媒体８とを備える。
収納部４は平面方向に複数個に分割された複数個の収納部４を有するとともに、互いに一体に形成されてなる。該複数個の収納部４は、人体の額部から頭頂部を経て後頭部までを連続して覆う中央収納部４１と、人体の左側頭部を覆う左側頭収納部４２と、人体の右側頭部を覆う右側頭収納部４３とを有し、互いに隣り合って形成されるとともに、一体に形成されてなる。中央収納部４１は額収納部４１１と頭頂収納部４１２と後頭収納部４１３とを有する。【０１８７】  シート状表面部材２は、シート状内面部材３より表裏方向において高い断熱性能を有する断熱性素材が少なくとも構成されている。
図４に示すように、シート状表面部材２は積層された複数種類の表面素材より構成され、複数種類の表面素材２は、少なくとも、（Ａ）表面部材最表層２１に構成される、所望の機能を有する所望機能性素材２１と、（Ｂ）表面部材中間層２２に構成される、シート状内面部材３より高い断熱性能を有する断熱性素材２２、及び、（Ｃ）最裏層２３に構成される、冷却媒体８を収納した状態において破損なく使用可能な機械的強度を有する冷却媒体保持素材２３、を備える。さらに詳しくは、本実施例において、シート状表面部材２は、図５の（Ｂ）に示さるように、表面部材中間層２２に構成されるシート状内面部材３より高い断熱性能を有する断熱性素材２２として、熱伝導断熱素材２２ａとしての断熱性不織布２２ａと、金属膜輻射断熱素材２２ｂとしての基材付金属薄膜素材２２ｂとが積層されて構成される。【０１８８】  具体的には、（Ａ）表面部材最表層２１として、表面に所望の図柄色彩を染色したポリエステル繊維製織布を使用した所望機能性素材２１が使用される。（Ｂ）表面部材中間層２２として、熱伝導断熱素材２２ａとしての厚さ約５ｍｍの綿状のポリエステル短繊維製断熱性不織布２２ａ（嵩密度：約５０ｇ／平米）と、金属膜輻射断熱素材２２ｂとしての厚さ約０．５ｍｍの紙状のポリエステル短繊維製不織布基材に厚さ約１μｍのアルミ製金属薄膜を付着形成した基材付金属薄膜素材２２ｂとが積層されて構成される断熱性素材２２が使用される。この場合、厚さ約０．５ｍｍの紙状のポリエステル短繊維製不織布基材が断熱性能を有する場合には、厚さ約１μｍのアルミ製金属薄膜を付着形成した基材付金属薄膜素材２２ｂは、図５の（Ｃ）に示される輻射熱伝導熱断熱素材２２ｃと同じ素材（機能）を兼ね備える。（Ｃ）最裏層２３として、図６の（Ｆ）に示されるような約５０％の開孔率のメッシュ状に編成されたポリエステル繊維製の強い機械的強度を有する冷却媒体保持素材２３が使用される。このメッシュ状の冷却媒体保持素材２３は通気性素材、貫通孔通気性素材、柔軟性素材、冷却媒体保持素材などの機能を兼ね備える。
なお、シート状表面部材２における基材付金属薄膜素材２２ｂの金属薄膜の面とメッシュ状冷却媒体保持素材２３との面とが互いに接触するように積層されて構成される。【０１８９】  シート状内面部材３としては、通気性素材、貫通孔通気性素材、柔軟性素材、冷却媒体保持素材などの機能を兼ね備えた内面部材メッシュ状貫通孔布素材３が構成される。具他的には、前述のシート状表面部材２の最裏層２３に使用された冷却媒体保持素材２３と同じ素材である図６の（Ｆ）に示されるような約５０％の開孔率のメッシュ状に編成されたポリエステル繊維製の強い機械的強度を有する内面部材メッシュ状貫通孔布素材３が使用される。
シート状内面部材３は、表裏方向において、シート状表面部材２より高い通気性能を有する。【０１９０】  シート状表面部材の表面部材最表層２１としてのポリエステル繊維製織布を使用した所望機能性素材２１と、表面部材中間層２２としてのポリエステル短繊維製断熱性不織布２２ａは、抗菌性処理（銀イオン含有抗菌材）を施した繊維素材が使用される。【０１９１】  上記のようなシート状表面部材２とシート状内面部材３とを使用して、所定の形状に裁断し、それらの裁断されたシート状表面部材２とシート状内面部材３とを裁縫して、図３及び図４（Ａ）に示されるような、中央収納部４１と左側頭収納部４２と右側頭収納部４３とを有し、互いに隣り合って形成されるとともに、一体に形成されてなる複数個の収納部４を有する頭部冷却用具を調製する。ここで、図４（Ａ）は、図３の頭部冷却用具を左耳部から右耳部に至る断面を展開した断面図、及び、図３の頭部冷却用具の中央収納部の前頭から後頭に至る断面を展開した断面図に相当する。【０１９２】  本実施例において、図３に示されるように、さらに、収納部４の下側縁に設置された装着脱落防止部材５を備える。装着脱落防止部材５は人体頭部からの脱落を防止する機能を奏する。本実施例における装着脱落防止部材５は、前述のシート状表面部材２とシート状内面部材３とを使用して、収納部４の下側縁の全周囲に形成された伸縮性部材収納部の中にゴム製伸縮紐を設置した構成である。【０１９３】  装着脱落防止部材５の長さは約５６ｃｍである。すなわち、本実施例の頭部冷却用具の外観は略半球形状を有し、その略半球形状の内周の円周長さは略５６ｃｍである。【０１９４】  本実施例において、図３に示されるように、それぞれの収納部４は、シート状表面部材２に形成された表面部材開口部２ａを備える。表面部材開口部２ａとして、中央収納部４１に形成された中央収納部開口部４１ａ、左側頭収納部４２に形成された左側頭収納部開口部４２ａ、右側頭収納部４３に形成された右側頭収納部開口部４３ａなどの収納開口部４ａを備える。中央収納部開口部４１ａは額収納部４１１に開口された額収納部開口部４１１ａ、頭頂収納部４１２に開口された頭頂収納部開口部４１２ａ、後頭収納部４１３に開口された後頭収納部開口部４１３ａを有する。それぞれの収納開口部４１１ａ、４１２ａ、４１３ａ、４２ａ、４３ａは、それぞれの冷却媒体８の出し入れが可能な形状を有する。【０１９５】本実施例において、それぞれの収納開口部４ａは、（ｉｉ）それぞれの収納部の略端部を通る仮想線上に形成されてなる。すなわち、それぞれの収納開口部４１１ａ、４１２ａ、４１３ａ、４２ａ、４３ａは、それぞれの収納部の略端部を通る仮想線上に形成され、収納部の中に冷却媒体８を収納しやすくする機能と、収納部に収納された冷却媒体８の飛び出しを抑制する機能とを奏する。
中央収納部開口部４１ａ（４１１ａ、４１２ａ、４１３ａ）は、図３（Ａ）に示されるように、中央収納部４１の略端部を通る仮想線上に形成されている。図３（Ｂ）に示されるように、左側頭収納部開口部４２ａは左側頭収納部４２の略端部（下側端部）を通る仮想線上に形成され、右側頭収納部開口部４３ａは右側頭収納部４３の略端部（下側端部）を通る仮想線上に形成されている。これにより、収納部４の中に収納されている冷却媒体８の端部が表面部材開口部２ａから離れた位置に位置するために、冷却媒体８が該表面部材開口部２ａから脱落することが防止される。【０１９６】  図３、図７（Ａ）に示されるように、それぞれの表面部材開口部２ａ（収納開口部４ａ）は、互いに重なり合う表面部材二重開口縁部２ａを有し、二重開口縁部２ａは、収納部４の中に収納されている冷却媒体８の飛び出しを抑制する機能を奏する。これにより、上記の収納部４の中に収納されている冷却媒体８の端部が表面部材開口部２ａから離れた位置に位置するとともに、その開口部が二重に形成されているために、冷却媒体８が該表面部材開口部２ａから脱落することが防止される効果が更に著しく発揮される。
図３（Ａ）に示されるように、額収納部４１１、頭頂収納部４１２、後頭収納部４１３に分割された中央収納部４１を形成するシート状表面部材においては、右側頭収納部の側（図３（Ａ）の上側）から収納部の端部付近まで延びる広い幅を有する広幅シート状表面部材と、その広幅シート状表面部材を覆う形状で形成された、左側頭収納部の側から延びる狭い幅を有する狭幅シート状表面部材との２重のシート状表面部材により形成され、それらの解放口が中央収納部４１の略端部を通る仮想線上である左側頭収納部の側に形成される形状で構成される。
他方、図３（Ｂ）に示されるように、複数個に分割された収納部を構成しない単一の収納部により形成される左側頭収納部４２と右側頭収納部４３においては、人体耳部の側（図３（Ｂ）の下側）から延びる狭い幅を有する狭幅シート状表面部材と、その狭幅シート状表面部材を覆う形状で形成された、人体頭頂部の側から耳部の端部付近まで延びる広い幅を有する広幅シート状表面部材との２重のシート状表面部材により形成され、それらの解放口が左側頭収納部４２（又は右側頭収納部４３）の略端部を通る仮想線上である人体耳部側の略端部に形成される形状で構成される。
これにより、頭部冷却用具を裁縫により製造する際に、特別な工夫を必要とすることなく、容易に頭部冷却用具を製造するることができる。【０１９７】  なお、本実施例において、図７（Ｃ）に示されるような表面部材開口部連結部材２ｂを前述の、二重開口縁部２ａの少なくとも一部分に設置した構成も実施可能であり、これにより、前述の冷却媒体８が該表面部材開口部２ａから脱落することが防止される効果が更に著しく発揮される。表面部材開口部連結部材２ｂとしては、例えば、平面ファスナー（商品名：マジックテープ）が望ましい。【０１９８】  本実施例において、さらに、図１１の（Ａ）に示されるように、収納部４の後頭部の下側縁に取付取外自在に設置可能な首部収納部６と、首部収納部６の中に収納自在に収納された冷却媒体８を備える。首部収納部６は前述のシート状表面部材２とシート状内面部材３と同じ仕様構成が実施可能であり、首部に接する側にシート状内面部材３が構成される。
首部収納部５は汎用の面ファスナーにより、頭部冷却用具の後下縁に取り付け及び取外し可能に設置可能である。さらに、首部収納部５は二重開口部縁部を有し、その二重開口部縁部を介して冷却媒体８が収納される。
なお、この首部収納部６を取付設置しない状態で、頭部冷却用具を装着することも実施可能である。【０１９９】  本実施例においては、冷却媒体８としては、前述の実施例１と同じ種類の冷却媒体８が使用できる。【０２００】  上記の冷却媒体８は、状況に応じて、適切な冷却媒体が選択されて使用される。図３に示されるように、冷却媒体８がそれぞれの収納部に収納及び取出し可能に収納して使用される。
特に、図３に示されるように、比較的に広い面積を有する左側頭収納部４２と右側頭収納部４３に収納される冷却媒体としては、複数個に分割されるとともに互いに屈曲自在に連結された複数個分割連結密封冷却媒体の使用が望ましい。比較的狭い面積を有する中央収納部４１の額収納部４１１と頭頂収納部４１２と後頭収納部４１３とにには、分割されていない単一構造の密封冷却媒体の使用が望ましい。【０２０１】  本実施例において、上記の（ａ−ｉ）ゲル状含水水溶性高分子を充填した繰返型密封冷却媒体８、及び、（ａ−ｉｉ）多価アルコール含有冷媒を充填した繰返型密封冷却媒体８、（ａ−ｉｉｉ）水、水溶性高分子、多価アルコールを含有した冷媒を充填した繰返型密封冷却媒体８、及び、（ｂ）反応型密封冷却媒体８のそれぞれの密封冷却媒体８は、図３の（Ａ）に示されるような、略長方形又は略正方形の密封冷却媒体、及び、（Ｂ）に示されるような、略半円形状を有する３つに分割されるとともに互いに屈曲自在に連結された複数個分割連結密封冷却媒体が使用される。図３（Ｂ）の複数個分割連結密封冷却媒体８は、第一分割冷却媒体８ａ、第二分割冷却媒体８ｂ、第三分割冷却媒体８ｃに分割された形状を有する。
（Ａ）に示されるような略長方形（略正方形）の繰返型密封冷却媒体８が、略長方形（略正方形）を有する中央収納部４１の額収納部４１１と頭頂収納部４１２と後頭収納部４１３の中にそれぞれ収納及び取出し可能に収納される。（Ｂ）に示されるような略半円形の複数個分割連結密封冷却媒体８は、略半円形を有する左側頭収納部４２と右側頭収納部４３の中にそれぞれ収納及び取出し可能に収納される。
このように、使用されるそれぞれの冷却媒体８は、収納部４の形状に合致するとともに未収納領域が少なくなるようにした相似形の形状を有する。本実施例では、冷却媒体８の平面形状がそれぞれの収納部４の面積の約７５〜約９５％になるような平面形状であって、厚さが約１０ｍｍの冷却媒体８が使用される。【０２０２】  なお、冷却媒体８の大きさに起因して、構成される冷媒の含有量が異なり、冷却媒体８の厚さが厚くなるにしたがって、含有される冷媒の含有量が多くなり、人体頭部に装着して使用した場合に、冷却保持時間が長く維持できる頭部冷却用具が得られる。しかしながら、含有される冷媒の含有量が多くなるにしたがって、重くなり不愉快な装着感となる。これらの点を勘案して、最適な厚さと重さを有する冷却媒体８を設計使用する必要がある。【０２０３】  このような、それぞれの冷却された冷却媒体８をそれぞれの複数個を準備し、人体頭部に装着して使用し、冷却媒体８の温度が上昇した場合に、それらの冷却媒体８を、別に準備した冷却された冷却媒体８に取り換えて使用する。使用後の冷却媒体８は再度、冷凍庫等の中で冷却される。このようにして、冷却媒体８を繰り返して使用することができる。【０２０４】実施例４
本実施例は、前述の実施例３の構成において、さらに、シート状頭部保護部材７を構成した頭部冷却用具である。
すなわち、本実施例の頭部冷却用具は、図３に示される頭部冷却用具において、図４（Ｃ）に示されるように、収納部４の内面側に位置して、シート状頭部保護部材７が設置されている。シート状頭部保護部材７は、収納部４を形成することなく、収納部４の内面側に位置して構成される。シート状頭部保護部材７の周囲領域とシート状内面部材３の周囲領域とが互いに接合される形態で、シート状頭部保護部材７がシート状内面部材３の裏面側に設置構成される。シート状頭部保護部材７は、収納部４に収納されている冷却媒体８の人体頭部への直接の接触を防止して冷却媒体８に起因する冷気を抑制する効果を奏する。
また、シート状頭部保護部材７は、人体頭部に接触する側の表面に縫い代などの突起部を形成しない状態で構成される。表面に突起部を有しない前記シート状頭部保護部材は、前記収納部に収納されている前記冷却媒体の人体頭部への直接の接触を防止して前記冷却媒体に起因する冷気を抑制するとともに、人体頭部への突起違和感を防止する機能を奏する【０２０５】  本実施例においては、シート状頭部保護部材７としては、柔軟であり、良好な肌あたりと快適な吸湿性を有する綿製の平織綿布（シーチング）を使用する。又は、シート状頭部保護部材７としては、ポリエステル製の伸縮可能なストレッチ機能を有する織布を使用することもできる。
その他の構成は、前述の実施例３と同じである。
これにより、「冷却媒体８に起因する硬さ感を抑制する機能を奏するとともに、頭部冷却用具を人体頭部に装着した時に頭部の湿気感を低減して優れた爽快感が得られる」。更に、「（ル）冷却媒体８が約０℃以下に冷却された状態で収納部４に収納されている場合、人体頭部に装着された時に、人体頭部に感ずる温度が冷却媒体の温度よりも約１〜約５℃程度高くなって、冷却媒体８の冷え過ぎによる不快感を抑制し、快適な装着感を得ることが可能となり、更に、快適な装着感を感じる時間が永くなり、快適装着感持続時間が永くなる」効果が得られる。
なお、本実施例において、シート状頭部保護部材７の周囲領域とシート状内面部材３の周囲領域とが互いに接合される形態で、シート状頭部保護部材７がシート状内面部材３の裏面側に設置構成された構成であるが、これに限定されることなく、シート状頭部保護部材７の周囲領域における少なくとも一部分とシート状内面部材３の周囲領域における少なくとも一部分とが互いに平面ファスナー（マジックテープ）により取付取外し自在に接合される形態で、シート状頭部保護部材７がシート状内面部材３の裏面側に設置構成された構成も実施可能である。【０２０６】実施例５
本実施例の頭部冷却用具は、実施例３に類似した複数個の収納部を構成し、シート状表面部材２が断熱性素材を構成するとともに、シート状内面部材３も断熱性素材を構成した頭部冷却用具である。実施例３と比べて主として異なる点は、シート状内面部材３も実施例３で構成されるシート状表面部材２と同じ断熱性素材を構成した点であり、その他の構成は、上記の実施例３と概略同じ構成である。【０２０７】  本発明の一実施例の頭部冷却用具の外観模式図が図３に示される。図３において、（Ａ）は頭部冷却用具を表面の上方から見た概略模式図、（Ｂ）は頭部冷却用具を表面の左側面から見た概略模式図（括弧内は右側面から見た概略模式図）、（Ｃ）は頭部冷却用具の内面を下方から見た概略模式図、（Ｄ）は頭部冷却用具を表面の前方（又は後方）から見た概略模式図、（Ｅ）頭部冷却用具の内面の前（後）を見た概略模式図である。
本発明の一実施例の頭部冷却用具の断面の構成模式図が図１０に示され、シート状表面部材２が断熱性素材を構成するとともに、シート状内面部材３も断熱性素材を構成した頭部冷却用具である。
本発明の一実施例の頭部冷却用具の収納開口部の断面の構成模式図が図７（Ｃ）に示される。図７（Ｃ）はシート状表面部材２に収納開口部を有するとともに表面部材開口部連結部材を構成した模式図である。【０２０８】  図３において、頭部冷却用具は、人体頭部全体を覆って装着可能な略半球形状を有し、頭部に装着された時に、該頭部に接触するシート状内面部材３と外表面側に位置するシート状表面部材２とにより形成された収納部４と、収納部４の中に脱収納自在に収納された冷却性能を有する冷却媒体８とを備える。
収納部４は平面方向に複数個に分割された複数個の収納部４を有するとともに、互いに一体に形成されてなる。該複数個の収納部４は、人体の額部から頭頂部を経て後頭部までを連続して覆う中央収納部４１と、人体の左側頭部を覆う左側頭収納部４２と、人体の右側頭部を覆う右側頭収納部４３とを有し、互いに隣り合って形成されるとともに、一体に形成されてなる。中央収納部４１は額収納部４１１と頭頂収納部４１２と後頭収納部４１３とを有する。【０２０９】  シート状表面部材２は、シート状内面部材３と同じ断熱性能を有する断熱性素材より構成されている。
図１０（Ａ）に示すように、シート状表面部材２は積層された複数種類の表面素材より構成され、複数種類の表面素材２は、少なくとも、
（Ａ）表面部材最表層２１に構成される所望の機能を有する所望機能性素材２１と、
（Ｂ）表面部材中間層２２に構成される断熱性能を有する断熱性素材２２、及び、
（Ｃ）最裏層２３に構成される、冷却媒体８を収納した状態において破損なく使用可能な機械的強度を有する冷却媒体保持素材２３、を備える。さらに詳しくは、本実施例において、シート状表面部材２は、図５の（Ｂ）に示さるように、表面部材中間層２２に構成される断熱性能を有する断熱性素材２２として、熱伝導断熱素材２２ａとしての断熱性不織布２２ａと、金属膜輻射断熱素材２２ｂとしての基材付金属薄膜素材２２ｂとが積層されて構成される。【０２１０】  具体的には、（Ａ）表面部材最表層２１として、表面に所望の図柄色彩を染色したポリエステル繊維製織布を使用した所望機能性素材２１が使用される。（Ｂ）表面部材中間層２２として、熱伝導断熱素材２２ａとしての厚さ約５ｍｍの綿状のポリエステル短繊維製断熱性不織布２２ａ（嵩密度：約５０ｇ／平米）と、金属膜輻射断熱素材２２ｂとしての厚さ約０．５ｍｍの紙状のポリエステル短繊維製不織布基材に厚さ約１μｍのアルミ製金属薄膜を付着形成した基材付金属薄膜素材２２ｂとが積層されて構成される断熱性素材２２が使用される。、この場合、厚さ約０．５ｍｍの紙状のポリエステル短繊維製不織布基材が断熱性能を有する場合には、厚さ約１μｍのアルミ製金属薄膜を付着形成した基材付金属薄膜素材２２ｂは、図５の（Ｃ）に示される輻射熱伝導熱断熱素材２２ｃと同じ素材（機能）を兼ね備える。（Ｃ）最裏層２３として、図６の（Ｆ）に示されるような約５０％の開孔率のメッシュ状に編成されたポリエステル繊維製の強い機械的強度を有する冷却媒体保持素材２３が使用される。このメッシュ状の冷却媒体保持素材２３は通気性素材、貫通孔通気性素材、柔軟性素材、冷却媒体保持素材などの機能を兼ね備える。
なお、シート状表面部材２における基材付金属薄膜素材２２ｂの金属薄膜の面とメッシュ状冷却媒体保持素材２３との面とが互いに接触するように積層されて構成される。【０２１１】  シート状内面部材３は、上記のシート状表面部材２と同じ断熱性能を有する断熱性素材より構成されている。
すなわち、図１０（Ａ）に示すように、シート状内面部材３は積層された複数種類の表面素材より構成され、複数種類の内面素材３は、少なくとも、
（Ａ）内面部材最表層に構成される所望の機能を有する所望機能性素材３１、
（Ｂ）内面部材中間層に構成される断熱性素材又は柔軟性素材３２、及び、
（Ｃ）内面部材最裏層に構成される前記冷却媒体を収納した状態において破損なく使用可能な機械的強度を有するとともに、前記断熱性素材又は柔軟性素材よりも小さい断熱性を有する冷却媒体保持素材３３を備える。
さらに詳しくは、本実施例において、シート状内面部材３は、図５の（Ｂ）に示さるように、表面部材中間層３２に構成される断熱性能を有する断熱性素材３２として、熱伝導断熱素材３２ａとしての断熱性不織布３２ａと、金属膜輻射断熱素材３２ｂとしての基材付金属薄膜素材３２ｂとが積層されて構成される。【０２１２】  具体的には、（Ａ）内面部材最表層３１として、表面に所望の図柄色彩を染色したポリエステル繊維製織布を使用した所望機能性素材３１が使用される。（Ｂ）内面部材中間層３２として、熱伝導断熱素材３２ａとしての厚さ約５ｍｍの綿状のポリエステル短繊維製断熱性不織布３２ａ（嵩密度：約５０ｇ／平米）と、金属膜輻射断熱素材２２ｂとしての厚さ約０．５ｍｍの紙状のポリエステル短繊維製不織布基材に厚さ約１μｍのアルミ製金属薄膜を付着形成した基材付金属薄膜素材３２ｂとが積層されて構成される断熱性素材３２が使用される。、この場合、厚さ約０．５ｍｍの紙状のポリエステル短繊維製不織布基材が断熱性能を有する場合には、厚さ約１μｍのアルミ製金属薄膜を付着形成した基材付金属薄膜素材３２ｂは、図５の（Ｃ）に示される輻射熱伝導熱断熱素材２２ｃと  類似素材（機能）を兼ね備える。（Ｃ）最裏層３３として、図６の（Ｆ）に示されるような約５０％の開孔率のメッシュ状に編成されたポリエステル繊維製の強い機械的強度を有する冷却媒体保持素材３３が使用される。このメッシュ状の冷却媒体保持素材３３は通気性素材、貫通孔通気性素材、柔軟性素材、冷却媒体保持素材などの機能を兼ね備える。
なお、シート状内面部材３における基材付金属薄膜素材３２ｂの金属薄膜の面とメッシュ状冷却媒体保持素材３３との面とが互いに接触するように積層されて構成される。【０２１３】  表面部材最表層２１及び内面部材最表層３１としてのポリエステル繊維製織布を使用した所望機能性素材２１、３１と、表面部材中間層２２及び内面部材中間層３２としてのポリエステル短繊維製断熱性不織布２２ａ、３２ａは、抗菌性処理（銀イオン含有抗菌材）を施した繊維素材が使用される。【０２１４】  上記のようなシート状表面部材２とシート状内面部材３とを使用して、所定の形状に裁断し、それらの裁断されたシート状表面部材２とシート状内面部材３とを裁縫して、図３に示されるような、中央収納部４１と左側頭収納部４２と右側頭収納部４３とを有し、互いに隣り合って形成されるとともに、一体に形成されてなる複数個の収納部４を有する頭部冷却用具を調製する。この場合、それぞれの収納部４は、積層された複数種類の表面素材より構成されたシート状表面部材２と積層された複数種類の内面素材より構成されたシート状内面部材３とにより囲まれた形状で形成される。【０２１５】  本実施例において、図３に示されるように、さらに、収納部４の下側縁に設置された装着脱落防止部材５を備える。装着脱落防止部材５は人体頭部からの脱落を防止する機能を奏する。本実施例における装着脱落防止部材５は、前述のシート状表面部材２とシート状内面部材３とを使用して、収納部４の下側縁の全周囲に形成された伸縮性部材収納部の中にゴム製伸縮紐を設置した構成である。【０２１６】  装着脱落防止部材５の長さは約５６ｃｍである。すなわち、本実施例の頭部冷却用具の外観は略半球形状を有し、その略半球形状の内周の円周長さは略５６ｃｍである。【０２１７】  本実施例において、図３に示されるように、それぞれの収納部４は、シート状表面部材２に形成された表面部材開口部２ａを備える。表面部材開口部２ａとして、中央収納部４１に形成された中央収納部開口部４１ａ、左側頭収納部４２に形成された左側頭収納部開口部４２ａ、右側頭収納部４３に形成された右側頭収納部開口部４３ａなどの収納開口部４ａを備える。中央収納部開口部４１ａは額収納部４１１に開口された額収納部開口部４１１ａ、頭頂収納部４１２に開口された頭頂収納部開口部４１２ａ、後頭収納部４１３に開口された後頭収納部開口部４１３ａを有する。それぞれの収納開口部４１１ａ、４１２ａ、４１３ａ、４２ａ、４３ａは、それぞれの冷却媒体８の出し入れが可能な形状を有する。【０２１８】  本実施例において、それぞれの収納開口部４ａは、（ｉｉ）それぞれの収納部の略端部を通る仮想線上に形成されてなる。すなわち、それぞれの収納開口部４１１ａ、４１２ａ、４１３ａ、４２ａ、４３ａは、それぞれの収納部の略端部を通る仮想線上に形成され、収納部の中に冷却媒体８を収納しやすくする機能と、収納部に収納された冷却媒体８の飛び出しを抑制する機能とを奏する。
中央収納部開口部４１ａ（４１１ａ、４１２ａ、４１３ａ）は、図３（Ａ）に示されるように、中央収納部４１の略端部を通る仮想線上に形成されている。図３（Ｂ）に示されるように、左側頭収納部開口部４２ａは左側頭収納部４２の略端部（下側端部）を通る仮想線上に形成され、右側頭収納部開口部４３ａは右側頭収納部４３の略端部（下側端部）を通る仮想線上に形成されている。これにより、収納部４の中に収納されている冷却媒体８の端部が表面部材開口部２ａから離れた位置に位置するために、冷却媒体８が該表面部材開口部２ａから脱落することが防止される。【０２１９】  図３、図７（Ａ）に示されるように、それぞれの表面部材開口部２ａ（収納開口部４ａ）は、互いに重なり合う表面部材二重開口縁部２ａを有し、二重開口縁部２ａは、収納部４の中に収納されている冷却媒体８の飛び出しを抑制する機能を奏する。これにより、上記の収納部４の中に収納されている冷却媒体８の端部が表面部材開口部２ａから離れた位置に位置するとともに、その開口部が二重に形成されているために、冷却媒体８が該表面部材開口部２ａから脱落することが防止される効果が更に著しく発揮される。
図３（Ａ）に示されるように、額収納部４１１、頭頂収納部４１２、後頭収納部４１３に分割された中央収納部４１を形成するシート状表面部材においては、右側頭収納部の側（図３（Ａ）の上側）から収納部の端部付近まで延びる広い幅を有する広幅シート状表面部材と、その広幅シート状表面部材を覆う形状で形成された、左側頭収納部の側から延びる狭い幅を有する狭幅シート状表面部材との２重のシート状表面部材により形成され、それらの解放口が中央収納部４１の略端部を通る仮想線上である左側頭収納部の側に形成される形状で構成される。
他方、図３（Ｂ）に示されるように、複数個に分割された収納部を構成しない単一の収納部により形成される左側頭収納部４２と右側頭収納部４３においては、人体耳部の側（図３（Ｂ）の下側）から延びる狭い幅を有する狭幅シート状表面部材と、その狭幅シート状表面部材を覆う形状で形成された、人体頭頂部の側から耳部の端部付近まで延びる広い幅を有する広幅シート状表面部材との２重のシート状表面部材により形成され、それらの解放口が左側頭収納部４２（又は右側頭収納部４３）の略端部を通る仮想線上である人体耳部側の略端部に形成される形状で構成される。
これにより、頭部冷却用具を裁縫により製造する際に、特別な工夫を必要とすることなく、容易に頭部冷却用具を製造するることができる。【０２２０】  なお、本実施例において、図７（Ｃ）に示されるような表面部材開口部連結部材２ｂを前述の、二重開口縁部２ａの少なくとも一部分に設置した構成も実施可能であり、これにより、前述の冷却媒体８が該表面部材開口部２ａから脱落することが防止される効果が更に著しく発揮される。表面部材開口部連結部材２ｂとしては、例えば、平面ファスナー（商品名：マジックテープ）が望ましい。【０２２１】  本実施例において、さらに、図１１の（Ａ）に示されるように、収納部４の後頭部の下側縁に取付取外自在に設置可能な首部収納部６と、首部収納部６の中に収納自在に収納された冷却媒体８を備える。首部収納部６は前述のシート状表面部材２とシート状内面部材３と同じ仕様構成が実施可能であり、首部に接する側にシート状内面部材３が構成される。
首部収納部５は汎用の面ファスナーにより、頭部冷却用具の後下縁に取り付け及び取外し可能に設置可能である。さらに、首部収納部５は二重開口部縁部を有し、その二重開口部縁部を介して冷却媒体８が収納される。
なお、この首部収納部６を取付設置しない状態で、頭部冷却用具を装着することも実施可能である。【０２２２】  本実施例においては、冷却媒体８としては、前述の実施例１と同じ種類の冷却媒体８を準備する。【０２２３】  上記の冷却媒体８は、状況に応じて、適切な冷却媒体が選択されて使用される。図３に示されるように、冷却媒体８がそれぞれの収納部に収納及び取出し可能に収納して使用される。【０２２４】  本実施例において、上記の（ａ−ｉ）ゲル状含水水溶性高分子を充填した繰返型密封冷却媒体８、及び、（ａ−ｉｉ）多価アルコール含有冷媒を充填した繰返型密封冷却媒体８、（ａ−ｉｉｉ）水、水溶性高分子、多価アルコールを含有した冷媒を充填した繰返型密封冷却媒体８、及び、（ｂ）反応型密封冷却媒体８のそれぞれの密封冷却媒体８は、図３の（Ａ）に示されるような、略長方形又は略正方形の密封冷却媒体、及び、（Ｂ）に示されるような、略半円形状を有する３つに分割されるとともに互いに屈曲自在に連結された複数個分割連結密封冷却媒体が使用される。図３（Ｂ）の複数個分割連結密封冷却媒体８は、第一分割冷却媒体８ａ、第二分割冷却媒体８ｂ、第三分割冷却媒体８ｃに分割された形状を有する。
（Ａ）に示されるような略長方形（略正方形）の繰返型密封冷却媒体８が、略長方形（略正方形）を有する中央収納部４１の額収納部４１１と頭頂収納部４１２と後頭収納部４１３の中にそれぞれ収納及び取出し可能に収納される。（Ｂ）に示されるような略半円形の複数個分割連結密封冷却媒体８は、略半円形を有する左側頭収納部４２と右側頭収納部４３の中にそれぞれ収納及び取出し可能に収納される。
このように、使用されるそれぞれの冷却媒体８は、収納部４の形状に合致するとともに未収納領域が少なくなるようにした相似形の形状を有する。本実施例では、冷却媒体８の平面形状がそれぞれの収納部４の面積の約７５〜約９５％になるような平面形状であって、厚さが約１０ｍｍの冷却媒体８が使用される。【０２２５】  なお、冷却媒体８の大きさに起因して、構成される冷媒の含有量が異なり、冷却媒体８の厚さが厚くなるにしたがって、含有される冷媒の含有量が多くなり、人体頭部に装着して使用した場合に、冷却保持時間が長く維持できる頭部冷却用具が得られる。しかしながら、含有される冷媒の含有量が多くなるにしたがって、重くなり不愉快な装着感となる。これらの点を勘案して、最適な厚さと重さを有する冷却媒体８を設計使用する必要がある。【０２２６】  このような、それぞれの冷却された冷却媒体８をそれぞれの複数個を準備し、人体頭部に装着して使用し、冷却媒体８の温度が上昇した場合に、それらの冷却媒体８を、別に準備した冷却された冷却媒体８に取り換えて使用する。使用後の冷却媒体８は再度、冷凍庫等の中で冷却される。このようにして、冷却媒体８を繰り返して使用することができる。【０２２７】実施例６
本実施例の頭部冷却用具１は、シート状表面部材２が金属薄膜を含まない断熱性素材を構成し、シート状内面部材３が金属薄膜を含まない断熱性素材を構成し、シート状表面部材２がシート状内面部材３よりも高い断熱性を有する頭部冷却用具１である。
本発明の一実施例の頭部冷却用具の外観模式図が図２に示される。図２において、（Ａ）は頭部冷却用具を表面の上方から見た概略模式図、（Ｂ）は頭部冷却用具を表面の左側面から見た概略模式図（括弧内は右側面から見た概略模式図）、（Ｃ）は頭部冷却用具の内面を下方から見た概略模式図、（Ｄ）は頭部冷却用具を表面の前方又は後方から見た概略模式図、（Ｅ）は頭部冷却用具の内面の前（後）を見た概略模式図である。
本発明の一実施例の頭部冷却用具の断面の構成模式図が図１０に示される。図１０において、密封冷却媒体を収納した状態を示す模式的断面図である。本発明の一実施例の頭部冷却用具の開口部はシート状内面部材３に形成されている。【０２２８】  図２において、頭部冷却用具は、人体頭部全体を覆って装着可能な略半球形状を有し、頭部に装着された時に、該頭部に接触するシート状内面部材３と外表面側に位置するシート状表面部材２とにより形成された収納部４と、収納部４の中に脱収納自在に収納された冷却性能を有する冷却媒体８とを備える。
収納部４は平面方向に複数個に分割された複数個の収納部４を有するとともに、互いに一体に形成されてなる。該複数個の収納部４は、人体の額部から頭頂部を経て後頭部までを連続して覆う中央収納部４１と、人体の左側頭部を覆う左側頭収納４１３とを有し、左側頭収納部４２は左前側頭収納部４２１と左後側頭収納部４２２とを有する。中央収納部４１は額収納部４１１と頭頂収納部４１２と後頭収納部４１３とを有し、左側頭収納部４２は左前側頭収納部４２１と左後側頭収納部４２２とを有し、右側頭収納部４３は右前側頭収納部４３１と右後側頭収納部４３２とを有する。これらの複数個の収納部４は、互いに隣り合って形成されるとともに、一体に形成されてなる。【０２２９】  図１０（Ａ）に示すように、シート状表面部材２は積層された複数種類の表面素材より構成され、
複数種類の表面素材２は、少なくとも、（Ａ）表面部材最表層２１に構成される、所望の機能を有する所望機能性素材２１と、（Ｂ）表面部材中間層２２に構成される、シート状内面部材３より高い断熱性能を有する断熱性素材２２、及び、（Ｃ）最裏層２３に構成される、冷却媒体８を収納した状態において破損なく使用可能な機械的強度を有する冷却媒体保持素材２３、を備える。【０２３０】  具体的には、（Ａ）表面部材最表層２１として、表面に所望の図柄色彩を染色したポリエステル繊維製織布を使用した所望機能性素材２１が使用される。（Ｂ）表面部材中間層２２として、熱伝導断熱素材２２ａとしての厚さ約７ｍｍの綿状のポリエステル短繊維製断熱性不織布２２ａ（嵩密度：約１００ｇ／平米）（Ｃ）最裏層２３として、図６の（Ｆ）に示されるような約５０％の開孔率のメッシュ状に編成されたポリエステル繊維製織布の強い機械的強度を有する冷却媒体保持素材２３が使用される。【０２３１】  シート状内面部材３としては、少なくとも、表裏方向において断熱性能を有する断熱性素材を構成する。
図１０（Ａ）に示すように、シート状内面部材３は積層された複数種類の内面素材より構成され、複数種類の内面素材３は、少なくとも、（Ａ）内面部材最表層に構成される所望の機能を有する所望機能性素材３１、（Ｂ）内面部材中間層に構成される断熱性素材３２、及び、（Ｃ）内面部材最裏層に構成される前記冷却媒体を収納した状態において破損なく使用可能な機械的強度を有する冷却媒体保持素材３３を備え、冷却媒体保持素材３３は断熱性素３２よりも小さい断熱性を有する。
具体的には、（Ａ）内面部材最表層３１として、表面に所望の図柄色彩を染色したポリエステル繊維製織布を使用した所望機能性素材３１が使用される。（Ｂ）内面部材中間層３２として、熱伝導断熱素材３２ａとしての厚さ約３ｍｍの綿状のポリエステル短繊維製断熱性不織布３２ａ（嵩密度：約３０ｇ／平米）が使用される。（Ｃ）最裏層３３として、ポリエステル繊維製織布の強い機械的強度を有する冷却媒体保持素材３３が使用される。
すなわち、表面部材中間層２２として、厚さ約７ｍｍの綿状のポリエステル短繊維製断熱性不織布２２ａ（嵩密度：約１００ｇ／平米）が使用され、内面部材中間層３２として、厚さ約３ｍｍの綿状のポリエステル短繊維製断熱性不織布３２ａ（嵩密度：約３０ｇ／平米）が使用される。【０２３２】  シート状表面部材２及びシート状内面部材３を構成する素材には抗菌性処理（銀イオン含有抗菌材）を施した繊維素材が使用される。【０２３３】  上記のようなシート状表面部材２とシート状内面部材３とを使用して、所定の形状に裁断し、それらの裁断されたシート状表面部材２とシート状内面部材３とを裁縫して、図２に示されるような、それぞれの収納部が、互いに隣り合って形成されるとともに、一体に形成されてなる複数個の収納部４を有する頭部冷却用具を調製する。【０２３４】  本実施例において、図２に示されるように、さらに、収納部４の下側縁に設置された装着脱落防止部材５を備える。装着脱落防止部材５は人体頭部からの脱落を防止する機能を奏する。本実施例における装着脱落防止部材５は、前述のシート状表面部材２とシート状内面部材３とを使用して、収納部４の下側縁の全周囲に形成された伸縮性部材収納部の中にゴム製伸縮紐を設置した構成である。【０２３５】  装着脱落防止部材５の長さは約５６ｃｍである。すなわち、本実施例の頭部冷却用具の外観は略半球形状を有し、その略半球形状の内周の円周長さは略５６ｃｍである。【０２３６】  本実施例において、図２に示されるように、それぞれの収納部４は、収納開口部４ａとして、シート状内面部材３に形成された内面部材開口部３ａを備える。その内面部材開口部３ａとして、額収納部開口部４１１ａ、頭頂収納部開口部４１２ａ、後頭収納部開口部４１３ａ、左前側頭収納部開口部４２１ａ、左後側頭収納部開口部４２２ａ、右前側頭収納部開口部４３１ａ、右後側頭収納部開口部４３２ａのそれぞれの収納開口部４ａを備え、それぞれの収納開口部４ａは、それぞれの冷却媒体８の出し入れが可能な形状を有する。【０２３７】  それぞれの収納開口部４１１ａ、４１２ａ、４１３ａ、４２１ａ、４２２ａ、４３１ａ、４３２ａは、それぞれの収納部の略中央部を通る仮想線上に形成され、収納部の中に冷却媒体８を収納しやすくする機能と、収納部に収納された冷却媒体８の飛び出しを抑制する機能とを奏する。
本実施例において、図２（Ｃ）に示されるように、額収納部開口部４１１ａ、頭頂収納部開口部４１２ａ、後頭収納部開口部４１３ａは、額収納部４１１、頭頂収納部４１２、後頭収納部４１３のそれぞれの収納部の略中央部を通るとともに前頭部から頭頂部を経て後頭部に至る仮想線上に形成されている。また、図２（Ｄ）、（Ｅ）に示されるように、左前側頭収納部開口部４２１ａ、左後側頭収納部開口部４２２ａ、右前側頭収納部開口部４３１ａ、右後側頭収納部開口部４３２ａは、左前側頭収納部４２１、左後側頭収納部４２２、右前側頭収納部４３１、右後側頭収納部４３２のそれぞれの収納部の略中央部を通るとともに前側頭部から後側頭部に至る仮想線上に形成されている。これにより、収納部４の中に収納されている冷内面部材開口部３ａから脱落することが防止される。【０２３８】  図２に示されるように、それぞれの内面部材開口部３ａ（収納開口部４ａ）は、互いに重なり合う内面部材二重開口縁部３ａを有し、二重開口縁部３ａは、収納部４の中に収納されている冷却媒体８の飛び出しを抑制する機能を奏する。これにより、上記の収納部４の中に収納されている冷却媒体８の端部が内面部材開口部３ａから離れた位置に位置するとともに、その開口部が二重に形成されているために、冷却媒体８が該内面部材開口部３ａから脱落することが防止される効果が更に著しく発揮される。【０２３９】  なお、本実施例において、内面部材開口部連結部材３ｂを前述の、二重開口縁部３ａの少なくとも一部分に設置した構成も実施可能であり、これにより、前述の冷却媒体８が該内面部材開口部３ａから脱落することが防止される効果が更に著しく発揮される。内面部材開口部連結部材３ｂとしては、例えば、平面ファスナー（商品名：マジックテープ）が望ましい。【０２４０】  本実施例において、さらに、図１１の（Ａ）に示されるように、収納部４の後頭部の下側縁に取付取外自在に設置可能な首部収納部６と、首部収納部６の中に収納自在に収納された冷却媒体８を備える。首部収納部６は前述のシート状表面部材２とシート状内面部材３と同じ仕様構成が実施可能であり、首部に接する側にシート状内面部材３が構成される。
首部収納部５は汎用の面ファスナーにより、頭部冷却用具の後下縁に取り付け及び取外し可能に設置可能である。さらに、首部収納部５は二重開口部縁部を有し、その二重開口部縁部を介して冷却媒体８が収納される。
なお、この首部収納部６を取付設置しない状態で、頭部冷却用具を装着することが可能である。【０２４１】  本実施例においては、冷却媒体８としては、前述の実施例１と同じ種類の冷却媒体８が使用できる。【０２４２】  上記の冷却媒体８は、状況に応じて、適切な冷却媒体が選択されて使用される。図２に示されるように、冷却媒体８がそれぞれの収納部に収納及び取出し可能に収納して使用される。【０２４３】  本実施例において、上記の（ａ−ｉ）ゲル状含水水溶性高分子を充填した繰返型密封冷却媒体８、及び、（ａ−ｉｉ）多価アルコール含有冷媒を充填した繰返型密封冷却媒体８、（ａ−ｉｉｉ）水、水溶性高分子、多価アルコールを含有した冷媒を充填した繰返型密封冷却媒体８、及び、（ｂ）反応型密封冷却媒体８のそれぞれの密封冷却媒体８は、それぞれの収納部４の形状に略相似形の形状を有する。すなわち、図２の（Ａ）、（Ｃ）に示されるような、略正方形（略長方形）密封冷却媒体、及び、（Ｂ）に示されるような、略扇型密封冷却媒体が使用される。（Ａ）、（Ｃ）に示されるような略正方形の繰返型密封冷却媒体８は、中央収納部４１の分割された略正方形のそれぞれの額収納部４１１、頭頂収納部４１２、後頭収納部４１３の中に収納及び取出し可能に収納される。（Ｂ）に示されるような略扇型の繰返型密封冷却媒体８は、略扇型を有する左前側頭収納部４２１、左後側頭収納部４２２、右前側頭収納部４３１、右後側頭収納部４３２の中にそれぞれ収納及び取出し可能に収納される。
このように、使用されるそれぞれの冷却媒体８は、収納部４の形状に合致するとともに未収納領域が少なくなるようにした相似形の形状を有する。本実施例では、冷却媒体８の平面形状がそれぞれの収納部４の面積の約７５〜約９５％になるような平面形状であって、厚さが約１０ｍｍの冷却媒体８が使用される。【０２４４】  なお、冷却媒体８の大きさに起因して、構成される冷媒の含有量が異なり、冷却媒体８の厚さが厚くなるにしたがって、含有される冷媒の含有量が多くなり、人体頭部に装着して使用した場合に、冷却保持時間が長く維持できる頭部冷却用具が得られる。しかしながら、含有される冷媒の含有量が多くなるにしたがって、重くなり不愉快な装着感となる。これらの点を勘案して、最適な厚さと重さを有する冷却媒体８を設計使用する必要がある。【０２４５】  このような、それぞれの冷却された冷却媒体８をそれぞれの複数個を準備し、人体頭部に装着して使用し、冷却媒体８の温度が上昇した場合に、それらの冷却媒体８を、別に準備した冷却された冷却媒体８に取り換えて使用する。使用後の冷却媒体８は再度、冷凍庫等の中で冷却される。このようにして、冷却媒体８を繰り返して使用することができる。【０２４６】  なお、本実施例において、シート状表面部材２に構成される断熱性素材２２ａとして、厚さ約７ｍｍの綿状のポリエステル短繊維製断熱性不織布２２ａ（嵩密度：約１００ｇ／平米）が使用され、シート状内面部材３に構成される断熱性素材３２ａとして、厚さ約３ｍｍの綿状のポリエステル短繊維製断熱性不織布３２ａ（嵩密度：約３０ｇ／平米）が使用されているが、この構成に変えて、天然繊維製又は合成繊維製の（ｉｘ）約０．３ｍｍ厚以上の起毛製布材、（ｘ）約０．３ｍｍ厚以上のフェルト材、又は、（ｘｉ）約０．３ｍｍ厚以上の肉厚織布材などの約０．３ｍｍ厚以上の保冷性布素材を構成することができる。【０２４７】実施例７
本実施例の頭部冷却用具１は、シート状表面部材２が金属薄膜を含まない断熱性素材を構成し、シート状内面部材３が内面部材冷却媒体保持素材３３を構成するとともに、シート状内面部材３の内面側にシート状頭部保護部材７が構成された頭部冷却用具１である。
すなわち、本実施例の頭部冷却用具は、図３に示される頭部冷却用具において、シート状表面部材２は積層された複数種類の表面素材より構成され、複数種類の表面素材２は、少なくとも、（Ａ）表面部材最表層２１に構成される所望の機能を有する所望機能性素材２１と、（Ｂ）表面部材中間層２２に構成される高い断熱性能を有する断熱性素材２２、及び、（Ｃ）最裏層２３に構成される、冷却媒体８を収納した状態において破損なく使用可能な機械的強度を有する冷却媒体保持素材２３、を備える。【０２４８】  具体的には、（Ａ）表面部材最表層２１として、表面に所望の図柄色彩を染色したポリエステル繊維製織布を使用した所望機能性素材２１が使用される。（Ｂ）表面部材中間層２２として、熱伝導断熱素材２２ａとしての厚さ約７ｍｍの綿状のポリエステル短繊維製断熱性不織布２２ａ（嵩密度：約１００ｇ／平米）が使用される。（Ｃ）最裏層２３として、ポリエステル繊維製織布の強い機械的強度を有する冷却媒体保持素材２３が使用される。【０２４９】  本実施例においては、シート状頭部保護部材７としては、柔軟であり、良好な肌あたりと快適な吸湿性を有する綿製の平織綿布（シーチング）を使用する。又は、シート状頭部保護部材７としては、ポリエステル製の伸縮可能なストレッチ機能を有する織布を使用することもできる。
これにより、「冷却媒体８に起因する硬さ感を抑制する機能を奏するとともに、頭部冷却用具を人体頭部に装着した時に頭部の湿気感を低減して優れた爽快感が得られる」。更に、「（ル）冷却媒体８が約０℃以下に冷却された状態で収納部４に収納されている場合、人体頭部に装着された時に、人体頭部に感ずる温度が冷却媒体の温度よりも約１〜約５℃程度高くなって、冷却媒体８の冷え過ぎによる不快感を抑制し、快適な装着感を得ることが可能となり、更に、快適な装着感を感じる時間が永くなり、快適装着感持続時間が永くなる」効果が得られる。
なお、本実施例において、シート状頭部保護部材７の周囲領域とシート状内面部材３の周囲領域とが互いに接合される形態で、シート状頭部保護部材７がシート状内面部材３の裏面側に設置構成された構成であるが、これに限定されることなく、シート状頭部保護部材７の周囲領域における少なくとも一部分とシート状内面部材３の周囲領域における少なくとも一部分とが互いに平面ファスナー（マジックテープ）により取付取外し自在に接合される形態で、シート状頭部保護部材７がシート状内面部材３の裏面側に設置構成された構成も実施可能である。【０２５０】実施例８
本実施例の頭部冷却用具は、実施例２に類似した複数個の収納部を構成し、シート状表面部材２が断熱性素材を構成することなく、メッシュ状貫通孔布素材のみを構成し、シート状内面部材３もメッシュ状貫通孔布素材のみを構成した頭部冷却用具であり、実施例２と比べて主として異なる点は、シート状表面部材２が断熱性素材を構成することなく、メッシュ状貫通孔布素材のみを構成した点である。その他の構成は、上記の実施例２と概略同じ構成である。【０２５１】  本発明の一実施例の頭部冷却用具の外観模式図が図２に示される。図２において、（Ａ）は頭部冷却用具を表面の上方から見た概略模式図、（Ｂ）は頭部冷却用具を表面の左側面から見た概略模式図（括弧内は右側面から見た概略模式図）、（Ｃ）は頭部冷却用具の内面を下方から見た概略模式図、（Ｄ）は頭部冷却用具を表面の前方又は後方から見た概略模式図、（Ｅ）は頭部冷却用具の内面の前（後）を見た概略模式図である。
本発明の一実施例の頭部冷却用具の断面の構成模式図が図４に示される。図４において、（Ａ）は複数個に分割された収納部のそれぞれの収納部に冷却部材を収納した状態を示す模式的断面図であり、（Ｂ）は一つの収納部に、複数個に分割され互いに連結された複数個分割連結密封冷却媒体を収納した状態を示す模式的断面図である。【０２５２】  図２において、頭部冷却用具は、人体頭部全体を覆って装着可能な略半球形状を有し、頭部に装着された時に、該頭部に接触するシート状内面部材３と外表面側に位置するシート状表面部材２とにより形成された収納部４と、収納部４の中に脱収納自在に収納された冷却性能を有する冷却媒体８とを備える。
収納部４は平面方向に複数個に分割された複数個の収納部４を有するとともに、互いに一体に形成されてなる。該複数個の収納部４は、人体の額部から頭頂部を経て後頭部までを連続して覆う中央収納部４１と、人体の左側頭部を覆う左側頭収納４１３とを有し、左側頭収納部４２は左前側頭収納部４２１と左後側頭収納部４２２とを有する。中央収納部４１は額収納部４１１と頭頂収納部４１２と後頭収納部４１３とを有し、左側頭収納部４２は左前側頭収納部４２１と左後側頭収納部４２２とを有し、右側頭収納部４３は右前側頭収納部４３１と右後側頭収納部４３２とを有する。これらの複数個の収納部４は、互いに隣り合って形成されるとともに、一体に形成されてなる。【０２５３】  図示されていないが、シート状表面部材２は、実施例２において構成した冷却媒体８を収納した状態において破損なく使用可能な機械的強度を有する冷却媒体保持素材２３としての図６の（Ｆ）に示されるような約５０％の開孔率のメッシュ状に編成されたポリエステル繊維製の強い機械的強度を有する冷却媒体保持素材２３のみにより構成される。このメッシュ状の冷却媒体保持素材２３は通気性素材、貫通孔通気性素材、柔軟性素材、冷却媒体保持素材などの機能を兼ね備える。【０２５４】  シート状内面部材３としては、通気性素材、貫通孔通気性素材、柔軟性素材、冷却媒体保持素材などの機能を兼ね備えた内面部材メッシュ状貫通孔布素材３が構成される。具他的には、前述のシート状表面部材２の最裏層２３に使用された冷却媒体保持素材２３と同じ素材である図６の（Ｆ）に示されるような約５０％の開孔率のメッシュ状に編成されたポリエステル繊維製の強い機械的強度を有する内面部材メッシュ状貫通孔布素材３が使用される。【０２５５】  その他の頭部冷却用具１の構成、冷却媒体８の構成などは前記の実施例２と同じである。【０２５６】実施例９
本実施例の頭部冷却用具は、複数の収納部のうちの一部の収納部のみに冷却媒体を収納して構成した頭部冷却用具であり、実施例３と主として異なる点は、密封冷却媒体８が中央収納部４１のみに収納され、左側頭収納部４２及び右側頭収納部４３には収納されていない点である。その他の構成は、上記の実施例２と概略同じ構成である。【０２５７】実施例１０
上記の実施例１〜実施例５において、シート状表面部材２に構成される断熱性素材２２として、厚さ約５ｍｍの綿状のポリエステル短繊維製断熱性不織布２２ａ（嵩密度：約５０ｇ／平米）と、金属膜輻射断熱素材２２ｂとしての厚さ約０．５ｍｍの紙状のポリエステル短繊維製不織布基材に厚さ約１μｍのアルミ製金属薄膜を付着形成した基材付金属薄膜素材２２ｂとが積層されて構成される断熱性素材２２が使用されているが、この構成に替えて、金属薄膜を含有しなく、（ｉ）約０．５ｍｍ厚以上の柔軟性を有する綿状断熱性不織布素材、（ｉｉ）約０．５ｍｍ厚以上の柔軟性を有する柔軟性発泡プラスチック素材、（ｉｘ）約０．３ｍｍ厚以上の起毛製布材、（ｘ）約０．３ｍｍ厚以上のフェルト材、（ｘｉ）約０．３ｍｍ厚以上の肉厚織布材などの断熱性を有する素材を構成した頭部冷却用具も実施可能である。【０２５８】実施例１１
プロピレングリコール１２重量％とカルボキシメチルセルロース３重量％と水８５重量％とを含有する２５℃の室温で互いに溶解された透明でゲル状を有する粘性の混合媒体を調製する。
内層ポリエチレンと表面部材中間層ポリエステルと外層ポリアミドとからなるラミネートフィルム製袋容器に上記の混合媒体を充填して、熱融着により周囲を密封した複数種類の密封冷却媒体８を準備する。複数種類の密封冷却媒体８として、図１（Ａ）、図１（Ｂ）、図３（Ｂ）の第一分割冷却媒体８ａ、第二分割冷却媒体８ｂ、第三分割冷却媒体８ｃに分割された形状を有する複数個分割連結密封冷却媒体８、及び、図２（Ａ）、図２（Ｂ）、図３（Ａ）に示されるような、略正方形（略長方形）、略半円状、及び略扇状の密封冷却媒体を準備する。
これらのそれぞれの密封冷却媒体８及び複数個分割連結密封冷却媒体８の大きさ形状は、頭部冷却用具のそれぞれの収納部４の形状に相似形の形状を有するとともに、約１０ｍｍの厚さ形状を有し、収納部４に密封冷却媒体８を収納した時に約０．１〜約３ｍｍの余白がある大きさを有するような大きさ形状である。【０２５９】実施例１２
実施例１１で調製した密封冷却媒体８及び／又は複数個分割連結密封冷却媒体８を前述の実施例１〜実施例９で調製した頭部冷却用具の収納部に収納し、その冷却媒体を収納したそれぞれの頭部冷却用を人体頭部に装着して、装着後の経過時間毎において、冷却媒体８を収納している収納部の人体頭部に接触している側のの温度を測定した。
すなわち、調製した密封冷却媒体８を、約−２０℃の冷蔵冷凍庫で冷却し、それらの密封冷却媒体８を実施例１〜実施例９の頭部冷却用具のそれぞれの収納部４に収納する。室温約２５℃のエアコン風の当たらない場所で、これらの頭部冷却用具を人体頭部に装着し、なお、それぞれの収納されている密封冷却媒体８の位置する内面側のシート状部材の表面温度を経過時間毎に表面温度計（赤外線放射温度計ＩＳＫ−８７００ＩＩ）で測定する。それぞれの経過時間毎に、複数の収納部表面の温度を測定し、その平均値を算出する。
実施例１〜実施例９の頭部冷却用具についての測定結果を表１に示す。【０２６０】  実施例１、実施例２、実施例３、実施例５、実施例８、実施例９、については、約−２０℃の冷蔵冷凍庫で冷却した冷却媒体を収納部に収納したシート状内面部材の表面温度が−１５℃になった時に人体頭部に装着して、その後の経過時間毎の温度を個測定した。
実施例４については、実施例３のシート状内面部材の表面温度が−１５℃になった時に、実施例４のシート状内面部材の表面温度を測定するとともに、人体頭部に装着して、その後の経過時間毎の温度を測定した。実施例７については、実施例６のシート状内面部材の表面温度が−１５℃になった時に、実施例６のシート状内面部材の表面温度を測定するとともに、人体頭部に装着して、その後の経過時間毎の温度を個測定した。実施例５については、実施例３のシート状内面部材の表面温度が−１５℃になった時に、実施例５のシート状内面部材の表面温度を測定するとともに、人体頭部に装着して、その後の経過時間毎の温度を個測定した。
測定結果に基づき、密封冷却媒体８の位置する内面側のシート状部材の表面温度が「快冷」である温度「約２℃〜約１５℃」の場合を「快適装着時間」として総合評価し、それぞれの頭部冷却用具を装着した場合の総合評価も表１に示す。【０２６１】  なお、本実施例で使用した密封冷却媒体８及び／又は複数個分割連結密封冷却媒体８において、冷却媒体８の「硬さ」は、（ａ）約−１０℃未満において、硬く、頭にフィット感がない形態であり、（ｂ）約−１０℃〜約−２℃において、半固体で屈曲性があり若干フィット感がないが装着し続けることができて頭ストレスを感じない形態であり、（ｃ）約−２℃以上の温度において、ゲル状又はジェル状で、人体頭部に装着した時にフィット感があり違和感なく快適な装着感を感じる形態である。
なお、冷却媒体８の「硬さ」が硬く頭にフィット感がない形態であり場合においても、本実施例の（柔軟な柔らかさを有する）綿状の断熱性素材を構成した部材を介する状態で頭部冷却用具を人体頭部に装着した場合には、頭ストレスを感じなく装着し続けることができる。【０２６２】実施例１３
前述の実施例１２の装着実験において、実施例３及び実施例４について、頭部冷却用具１を人体頭部に装着した時に、冷却媒体８が０℃以下の冷えすぎる場合に、頭部冷却用具１を裏返して人体頭部に装着し、その後、密封冷却媒体８の位置する内面側のシート状部材の表面温度が約５℃になった時に、その頭部冷却用具１を表に返して人体頭部に装着した場合の実施結果を表２に示す。
密封冷却媒体８の位置する内面側のシート状部材の表面温度が「快冷」である温度「約２℃〜約１５℃」の場合を「快適装着時間」として総合評価し、それぞれの頭部冷却用具を装着した場合の総合評価を表２に示す。【０２６３】
【表１】
0006654313.tif 000002
【０２６４】
【表２】
0006654313.tif 000003
【０２６５】〈実施例１〜実施例３の測定結果について〉
表１において、シート状表面部材２に断熱性素材を構成し、シート状内面部材３にメッシュ状布素材のみを構成した実施例１〜実施例３の頭部冷却用具において、密封冷却媒体８の位置する内面側のシート状部材の表面温度が「約２℃〜約１５℃」の「快適装着時間」はいずれも約９０分である。
収納開口部がシート状表面部材形成された構成の実施例１と実施例３は、収納開口部がシート状内面部材形成された実施例２と比べて、約−１５℃の冷却状態から約２０℃に達するまでの「経過時間と内面側のシート状部材の表面温度」との関係に著しい差は認められない。
但し、装着する人の感覚により異なるが、収納開口部がシート状内面部材形成された実施例２の頭部冷却用具を装着した場合に、収納開口部の二重開口縁部のわずかな膨らみ形状に起因する違和感を感じる傾向がある。【０２６６】〈実施例４の測定結果について〉
実施例３の頭部冷却用具の内面側にシート状頭部保護部材７を構成した実施例４の頭部冷却用具において、「快適装着時間」は約１２０分である。すなわち、人体頭部と冷却媒体との間にシート状頭部保護部材７を設置することにより、人体頭部に達する冷えすぎた冷却媒体の温度を快適な温度範囲に緩和して、「快適装着時間」を永くすることができる。本実施例のシート状頭部保護部材７を構成した場合において、シート状頭部保護部材７を介在することにより、人体頭部に達する温度が約４〜５℃低くなるが、このシート状頭部保護部材７の種類を替えることにより、所望の温度に調整した頭部冷却用具が得られる。【０２６７】〈実施例５の測定結果について〉
実施例３の頭部冷却用具において構成したシート状表面部材と同じ断熱性を有する素材をシート状内面部材に構成した実施例５の頭部冷却用具において、「快適装着時間」は２１０分である。すなわち、シート状表面部材とシート状内面部材との双方の構成素材として高い断熱性能を有する素材を使用し、その高い断熱性を有する収納部に冷却媒体が収納された構成により、人体頭部に達する冷えすぎた冷却媒体の温度を快適な温度範囲に緩和して、「快適装着時間」を永くすることができるとともに、更に、冷却媒体の昇温速度を遅くして、「快適装着時間」を永くすることができる。【０２６８】〈実施例６の測定結果について〉
シート状表面部材２が金属薄膜を含まない断熱性素材を構成し、シート状内面部材３が金属薄膜を含まない断熱性素材を構成し、シート状表面部材２がシート状内面部材３よりも高い断熱性を有する実施例６の頭部冷却用具において、「快適装着時間」は１６５分である。すなわち、シート状表面部材とシート状内面部材との双方の構成素材として高い断熱性能を有する素材を使用し、その高い断熱性を有する収納部に冷却媒体が収納された構成により、人体頭部に達する冷えすぎた冷却媒体の温度を快適な温度範囲に緩和して、「快適装着時間」を永くすることができるとともに、更に、冷却媒体の昇温速度を遅くして、「快適装着時間」を永くすることができる。しかしながら、本実施例よりも優れた断熱性能を有する実施例５の頭部冷却用具と比べた場合、「快適装着時間」はやや短くなる傾向がある。【０２６９】〈実施例７の測定結果について〉
シート状表面部材２が金属薄膜を含まない断熱性素材を構成し、シート状内面部材３が内面部材冷却媒体保持素材３３を構成するとともに、シート状内面部材３の内面側にシート状頭部保護部材７が構成された実施例７の頭部冷却用具において、「快適装着時間」は１０５分である。すなわち、シート状表面部材の構成素材として高い断熱性能を有する素材を使用し、その高い断熱性を有する収納部に冷却媒体が収納された構成により、人体頭部に達する冷えすぎた冷却媒体の温度を快適な温度範囲に緩和して、「快適装着時間」を永くすることができるとともに、更に、冷却媒体の昇温速度を遅くして、「快適装着時間」を永くすることができる。しかしながら、本実施例よりもシート状表面部材２が優れた断熱性能を有する実施例４の頭部冷却用具と比べた場合、「快適装着時間」はやや短くなる傾向がある。【０２７０】〈実施例８の測定結果について〉
シート状表面部材とシート状内面部材との双方に、メッシュ状素材のみを構成した実施例８の頭部冷却用具において、「快適装着時間」は約６０分である。すなわち、頭部冷却用具の表面から逃げる冷気が多くなるために、冷却媒体の冷却維持時間が短くなるものと想到される。【０２７１】〈実施例９の測定結果について〉
実施例３の頭部冷却用具の複数の収納部のうち、密封冷却媒体８が中央収納部４１のみに収納され、左側頭収納部４２及び右側頭収納部４３には収納されていない実施例９の頭部冷却用具において、「快適装着時間」は約６０分であり、実施例３の「約９０分の快適装着時間」と比べて、「快適装着時間」は短い。更に、本実施例において、人体頭部の一部のみを冷却しているに過ぎなく、人体の頭頂部のみに冷却感を感じるが、人体頭部の全体の冷却感は感じられな、快適冷却感に劣る傾向がある。また、装着する人によっても異なるが、設置されている冷却媒体の形状に起因する凹凸により、装着感に違和感を感じる傾向がある。
すなわち、冷却媒体が人体頭部の全体に収納された頭部冷却媒体は、冷却媒体が人体頭部の一部分に収納された頭部冷却用具と比べて、「快適装着時間」に優れるとともに、更に、優れた装着感を得ることができる。【０２７２】  上記の実施例１〜実施例１０において、約−２０℃に冷却した冷却媒体８を使用したが、これに限定されることなく、所望の温度に冷却した冷却媒体８を使用することが可能であり、この場合、その冷却温度に起因する「快適装着時間」が得られる。
例えば、約−５℃〜０℃に冷却された冷却媒体８を収納した頭部冷却用具を人体頭部に装着する場合、装着した時点から、冷え過ぎ感の抑制された快適な冷却感が得られる。【０２７３】〈頭部冷却用具を裏返し装着した場合の測定結果について〉
表２の測定結果において、実施例３の頭部冷却用具を裏返して装着した場合、正常装着のみの場合と比べて、「快適装着時間」は、９０分から１５０分に永くなった。実施例４の頭部冷却用具を裏返して装着した場合、正常装着のみの場合と比べて、「快適装着時間」は、１２０分から１６５分に永くなった。実施例６の頭部冷却用具を裏返して装着した場合、正常装着のみの場合と比べて、「快適装着時間」は、１６５分から１８０分に永くなった。実施例７の頭部冷却用具を裏返して装着した場合、正常装着のみの場合と比べて、「快適装着時間」は、１０５分から１６５分に永くなった。
このように、冷却媒体が０℃以下に冷え過ぎている場合に、頭部冷却用具を裏返して人体頭部に装着し、その後、快適冷却温度（約５〜７度）になった時に、その頭部冷却用具を表に返して人体頭部に正常装着した場合、「快適装着時間」は約１５分〜６０分永くなった。【０２７４】実施例１４
実施例１１で調製した冷却媒体８に替えて、所定量のジエチレングリコールとプロピレングリコールとグリセリンとを均一に混合して、２５℃において、互いに混合された透明で、粘性流動性を有するゲル状（又はジェル状）の冷却媒体を調製する。この冷却媒体は約−２０℃においても固化することなく、流動可能なゲル状（又はジェル状）の形態を有する。この冷却媒体を内層ポリエチレンと外層ポリアミドとからなるラミネートフィルム製袋容器に上記の混合媒体を充填して、熱融着により周囲を密封した複数種類の密封冷却媒体８を準備する。複数種類の密封冷却媒体８として、図１（Ａ）、図１（Ｂ）、図３（Ｂ）の第一分割冷却媒体８ａ、第二分割冷却媒体８ｂ、第三分割冷却媒体８ｃに分割された形状を有する複数個分割連結密封冷却媒体８、及び、図２（Ａ）、図２（Ｂ）、図３（Ａ）に示されるような、略正方形（略長方形）、略半円状、及び略扇状の密封冷却媒体８を準備する。
これらのそれぞれの密封冷却媒体８及び複数個分割連結密封冷却媒体８の大きさ形状は、頭部冷却用具のそれぞれの収納部４の形状に相似形の形状を有するとともに、約１０ｍｍの厚さ形状を有し、収納部４に密封冷却媒体８を収納した時に約０．１〜約３ｍｍの余白がある大きさを有するような大きさ形状である。【０２７５】  実施例１４で調製した密封冷却媒体８及び／又は複数個分割連結密封冷却媒体８を前述の実施例１、実施例４、実施例５〜実施例９で調製した頭部冷却用具に収納し、その冷却媒体を収納した実施例１ｂ、実施例４ｂ、実施例５ｂ〜実施例９ｂのそれぞれの頭部冷却用具を人体頭部に装着して、装着後の経過時間毎において、冷却媒体８を収納している収納部の人体頭部に接触している側の温度を測定した。
すなわち、調製した密封冷却媒体８を、約−１０℃の冷凍冷蔵庫で冷却し、それらの密封冷却媒体８をそれぞれの頭部冷却用具のそれぞれの収納部４に収納する。室温約２５℃のエアコン風の当たらない場所で、これらの頭部冷却用具を人体頭部に装着し、それぞれの収納されている密封冷却媒体８の位置する内面側のシート状部材の表面温度を経過時間毎に表面温度計（赤外線放射温度計ＩＳＫ−８７００ＩＩ）で測定する。それぞれの経過時間毎に、複数の収納部表面の温度を測定し、その平均値を算出する。
それぞれのの頭部冷却用具についての測定結果を表３に示す。
測定結果に基づき、密封冷却媒体８の位置する内面側のシート状部材の表面温度が「快冷」である温度「約２℃〜約１５℃」の場合を「快適装着時間」として総合評価し、それぞれの頭部冷却用具を装着した場合の総合評価も表３に示す。【０２７６】実施例１５
冷却媒体８として、湿布型冷却媒体を調製する。綿製ガーゼを水に浸漬し、これを軽く絞って、冷凍冷蔵庫内で約−１０℃に冷却して、所定形状の約１０ｍｍ厚の湿布型冷却媒体を調製する。
これらの冷却媒体８を前述の実施例４及び実施例７で調製した頭部冷却用具に収納し、その冷却媒体を収納したそれぞれの実施例４ｃ及び実施例７ｃの頭部冷却用具を人体頭部に装着して、装着後の経過時間毎において、冷却媒体８を収納している収納部の人体頭部に接触している側の温度を測定した。
すなわち、調製した約−１０℃に冷却した湿布型冷却媒体８をそれぞれの頭部冷却用具のそれぞれの収納部４に収納する。室温約２５℃のエアコン風の当たらない場所で、これらの頭部冷却用具を人体頭部に装着し、それぞれの収納されている冷却媒体８の位置する内面側のシート状部材の表面温度を経過時間毎に表面温度計（赤外線放射温度計ＩＳＫ−８７００ＩＩ）で測定する。それぞれの経過時間毎に、複数の収納部表面の温度を測定し、その平均値を算出する。それぞれのの頭部冷却用具についての測定結果を表３に示す。
測定結果に基づき、密封冷却媒体８の位置する内面側のシート状部材の表面温度が「快冷」である温度「約２℃〜約１５℃」の場合を「快適装着時間」として総合評価し、それぞれの頭部冷却用具を装着した場合の総合評価も表３に示す。【０２７７】
【表３】
0006654313.tif 000004
【０２７８】〈実施例１ｂの測定結果について〉
表３において、シート状表面部材２に断熱性素材を構成し、シート状内面部材３にメッシュ状布素材のみを構成した実施例ｂの頭部冷却用具において、密封冷却媒体８の位置する内面側のシート状部材の表面温度が「約２℃〜約１５℃」の「快適装着時間」は約７５分である。【０２７９】〈実施例４ｂの測定結果について〉
実施例３の頭部冷却用具の内面側にシート状頭部保護部材７を構成した実施例４ｂの頭部冷却用具において、「快適装着時間」は約１２０分である。すなわち、人体頭部と冷却媒体との間にシート状頭部保護部材７を設置することにより、人体頭部に達する冷えすぎた冷却媒体の温度を快適な温度範囲に緩和して、「快適装着時間」を永くすることができる。本実施例のシート状頭部保護部材７を構成した場合において、シート状頭部保護部材７を介在することにより、人体頭部に達する温度が約４〜５℃低くなるが、このシート状頭部保護部材７の種類を替えることにより、所望の温度に調整した頭部冷却用具が得られる。【０２８０】〈実施例５ｂの測定結果について〉
実施例３の頭部冷却用具において構成したシート状表面部材と同じ断熱性を有する素材をシート状内面部材に構成した実施例５ｂの頭部冷却用具において、「快適装着時間」は２１０分である。すなわち、シート状表面部材とシート状内面部材との双方の構成素材として高い断熱性能を有する素材を使用し、その高い断熱性を有する収納部に冷却媒体が収納された構成により、人体頭部に達する冷えすぎた冷却媒体の温度を快適な温度範囲に緩和して、「快適装着時間」を永くすることができるとともに、更に、冷却媒体の昇温速度を遅くして、「快適装着時間」を永くすることができる。【０２８１】〈実施例６ｂの測定結果について〉
シート状表面部材２が金属薄膜を含まない断熱性素材を構成し、シート状内面部材３が金属薄膜を含まない断熱性素材を構成し、シート状表面部材２がシート状内面部材３よりも高い断熱性を有する実施例６ｂの頭部冷却用具において、「快適装着時間」は１６５分である。すなわち、シート状表面部材とシート状内面部材との双方の構成素材として高い断熱性能を有する素材を使用し、その高い断熱性を有する収納部に冷却媒体が収納された構成により、人体頭部に達する冷えすぎた冷却媒体の温度を快適な温度範囲に緩和して、「快適装着時間」を永くすることができるとともに、更に、冷却媒体の昇温速度を遅くして、「快適装着時間」を永くすることができる。しかしながら、本実施例よりも優れた断熱性能を有する実施例５の頭部冷却用具と比べた場合、「快適装着時間」はやや短くなる傾向がある。【０２８２】〈実施例７ｂの測定結果について〉
シート状表面部材２が金属薄膜を含まない断熱性素材を構成し、シート状内面部材３が内面部材冷却媒体保持素材３３を構成するとともに、シート状内面部材３の内面側にシート状頭部保護部材７が構成された実施例７ｂの頭部冷却用具において、「快適装着時間」は１２０分である。すなわち、シート状表面部材の構成素材として高い断熱性能を有する素材を使用し、その高い断熱性を有する収納部に冷却媒体が収納された構成により、人体頭部に達する冷えすぎた冷却媒体の温度を快適な温度範囲に緩和して、「快適装着時間」を永くすることができるとともに、更に、冷却媒体の昇温速度を遅くして、「快適装着時間」を永くすることができる。しかしながら、本実施例よりもシート状表面部材２が優れた断熱性能を有する実施例４の頭部冷却用具と比べた場合、「快適装着時間」はやや短くなる傾向がある。【０２８３】〈実施例８ｂの測定結果について〉
シート状表面部材とシート状内面部材との双方に、メッシュ状素材のみを構成した実施例８ｂの頭部冷却用具において、「快適装着時間」は約６０分である。すなわち、頭部冷却用具の表面から逃げる冷気が多くなるために、冷却媒体の冷却維持時間が短くなるものと想到される。【０２８４】〈実施例９ｂの測定結果について〉
実施例３の頭部冷却用具の複数の収納部のうち、密封冷却媒体８が中央収納部４１のみに収納され、左側頭収納部４２及び右側頭収納部４３には収納されていない実施例９の頭部冷却用具において、「快適装着時間」は約６０分であり、実施例３の「約９０分の快適装着時間」と比べて、「快適装着時間」は短い。更に、本実施例において、人体頭部の一部のみを冷却しているに過ぎなく、人体の頭頂部のみに冷却感を感じるが、人体頭部の全体の冷却感は感じられな、快適冷却感に劣る傾向がある。
すなわち、冷却媒体が人体頭部の全体に収納された頭部冷却媒体は、冷却媒体が人体頭部の一部分に収納された頭部冷却用具と比べて、「快適装着時間」に優れるとともに、更に、優れた装着感を得ることができる。【０２８５】〈実施例４ｃの測定結果について〉
湿布型冷却媒体８を使用して、実施例３の頭部冷却用具の内面側にシート状頭部保護部材７を構成した実施例４ｃの頭部冷却用具において、「快適装着時間」は約１２０分である。
なお、本実施例において、装着時間の経過とともに、湿布型冷却媒体８に含有されている氷の融解に起因して水分が頭部冷却用具の内面側から滲み出てくる傾向にある。その水分の滲み出の現象が不快に感じる場合には、人体頭部と頭部冷却用具との間にガーゼ又はタオルなどを介在させる方策が望ましく使用できる。【０２８６】〈実施例７ｃの測定結果について〉
シート状表面部材２が金属薄膜を含まない断熱性素材を構成し、シート状内面部材３が内面部材冷却媒体保持素材３３を構成するとともに、シート状内面部材３の内面側にシート状頭部保護部材７が構成された実施例７ｃの頭部冷却用具において、「快適装着時間」は１５０分である。
なお、本実施例において、装着時間の経過とともに、湿布型冷却媒体８に含有されている氷の融解に起因して水分が頭部冷却用具の内面側から滲み出てくる傾向にあるが、その傾向は前述の実施例４ｃよりは少ない。その水分の滲み出の現象が不快に感じる場合には、人体頭部と頭部冷却用具との間にガーゼ又はタオルなどを介在させる方策が望ましく使用できる。【０２８７】実施例１６
本発明の一実施例の頭部冷却用具の外観模式図が図１に示される。図１において、（Ａ）は頭部冷却用具を表面の上方から見た概略模式図、（Ｂ）は頭部冷却用具を表面の左側面から見た概略模式図（括弧内は右側面から見た概略模式図）、（Ｃ）は頭部冷却用具の内面を下方から見た概略模式図、（Ｄ）は頭部冷却用具を表面の前方から見た概略模式図、（Ｅ）は頭部冷却用具を表面の後方から見た概略模式図、（Ｆ）は頭部冷却用具の内面の前（後）を見た概略模式図である。【０２８８】  図１において、頭部冷却用具は、人体頭部全体を覆って装着可能な略半球形状を有し、頭部に装着された時に、該頭部に接触するシート状内面部材３と外表面側に位置するシート状表面部材２とにより形成された収納部４と、収納部４の中に脱収納自在に収納された冷却性能を有する冷却媒体８とを備える。
収納部４は平面方向に複数個に分割された複数個の収納部４を有するとともに、互いに一体に形成されてなる。該複数個の収納部４は、人体の額部から頭頂部を経て後頭部までを連続して覆う中央収納部４１と、人体の左側頭部を覆う左側頭収納部４２と、人体の右側頭部を覆う右側頭収納部４３とを有し、互いに隣り合って形成されるとともに、一体に形成されてなる。【０２８９】  シート状表面部材２は、表裏方向において断熱性能を有するフェルト材製の断熱性素材を構成する。シート状表面部材２としては、厚さが約１．３ｍｍ厚のポリエステル繊維を主成分とするフェルト材であって、肌触りの良い柔軟性、若干の伸縮性、及び、冷却部材を保持して破損しない程度の強い機械的強度を有するシート状フェルト材製断熱性素材のみを使用し、他の素材は構成されない。【０２９０】  シート状内面部材３としては、シート状表部材２に構成するシート状フェルト材製断熱性素材と同じ素材のみ構成し、他の素材は構成されない。
本実施例で構成するシート状内面部材３とシート状表面部材２は、実施例１で構成するシート状表面部材２よりも小さい断熱性能を有し、実施例１で構成するシート状内部材２よりも優れた断熱性能を有する。【０２９１】  上記のようなシート状表面部材２とシート状内面部材３とを使用して、所定の形状に裁断し、それらの裁断されたシート状表面部材２とシート状内面部材３とを、加熱により互いの素材を融着して接合できる熱融着性接着テープを介在して互いに接合することにより、図１に示されるような、中央収納部４１と左側頭収納部４２と右側頭収納部４３とを有し、互いに隣り合って形成されるとともに、一体に形成されてなる複数個の収納部４を有する頭部冷却用具を調製する。【０２９２】  本実施例において、図１に示されるように、さらに、収納部４の下側縁に設置された装着脱落防止部材５を備える。装着脱落防止部材５は人体頭部からの脱落を防止する機能を奏する。本実施例における装着脱落防止部材５は、前述のシート状表面部材２とシート状内面部材３とを使用して、収納部４の下側縁の全周囲に形成された伸縮性部材収納部の中にゴム製伸縮紐を設置した構成である。【０２９３】  装着脱落防止部材５の長さは約５６ｃｍである。すなわち、本実施例の頭部冷却用具の外観は略半球形状を有し、その略半球形状の内周の円周長さは略５６ｃｍである。【０２９４】  本実施例において、図１に示されるように、それぞれの収納部４は、シート状表面部材２に形成された表面部材開口部２ａを備える。表面部材開口部２ａとして、中央収納部４１に形成された中央収納部開口部４１ａ、左側頭収納部４２に形成された左側頭収納部開口部４２ａ、右側頭収納部４３に形成された右側頭収納部開口部４３ａなどの収納開口部４ａを備える。それぞれの収納開口部４１ａ、４２ａ、４３ａは、それぞれの冷却媒体８の出し入れが可能な形状を有する。【０２９５】  それぞれの収納開口部４１ａ、４２ａ、４３ａは、それぞれの収納部の略中央部を通る仮想線上に形成され、収納部の中に冷却媒体８を収納しやすくする機能と、収納部に収納された冷却媒体８の飛び出しを抑制する機能とを奏する。
本実施例において、中央収納部開口部４１ａは、図１（Ａ）に示されるように、中央収納部４１の略中央部である右耳部から左耳部に至る仮想線上に形成されている。図１（Ｂ）に示されるように、左側頭収納部開口部４２ａは頭頂部から左耳部に至る仮想線上に形成され、右側頭収納部開口部４３ａは頭頂部から右耳部に至る仮想線上に形成されている。これにより、収納部４の中に収納されている冷却媒体８の端部が表面部材開口部２ａから離れた位置に位置するために、冷却媒体８が該表面部材開口部２ａから脱落することが防止される。【０２９６】  図１に示されるように、それぞれの収納部においてそれぞれの表面部材開口部２ａ（収納開口部４ａ）は、互いに重なり合う表面部材二重開口縁部２ａを有し、二重開口縁部２ａは、収納部４の中に収納されている冷却媒体８の飛び出しを抑制する機能を奏する。これにより、上記の収納部４の中に収納されている冷却媒体８の端部が表面部材開口部２ａから離れた位置に位置するとともに、その開口部が二重に形成されているために、冷却媒体８が該表面部材開口部２ａから脱落することが防止される効果が更に著しく発揮される。【０２９７】  なお、本実施例において、表面部材開口部連結部材２ｂを前述の、二重開口縁部２ａの少なくとも一部分に設置した構成も実施可能であり、これにより、前述の冷却媒体８が該表面部材開口部２ａから脱落することが防止される効果が更に著しく発揮される。表面部材開口部連結部材２ｂとしては、例えば、平面ファスナー（商品名：マジックテープ）が望ましい。【０２９８】  本実施例において、さらに、図１１の（Ａ）に示されるように、収納部４の後頭部の下側縁に取付取外自在に設置可能な首部収納部６と、首部収納部６の中に収納自在に収納された冷却媒体８を備える。首部収納部６は前述のシート状表面部材２とシート状内面部材３と同じ仕様構成が実施可能であり、首部に接する側にシート状内面部材３が構成される。
首部収納部５は汎用の面ファスナーにより、頭部冷却用具の後下縁に収り付け及び取外し可能に設置可能である。さらに、首部収納部５は二重開口部縁部を有し、その二重開口部縁部を介して冷却媒体８が収納される。
なお、この首部収納部６を取付設置しない状態で、頭部冷却用具を装着することも実施可能である。【０２９９】  本実施例においては、冷却媒体８としては、下記の種類の冷却媒体８が使用できる。
（ａ−ｉ）ゲル状の「冷却と昇温の繰返し使用が可能な冷媒が密封容器に充填された繰返型密封冷却媒体」としての、水にポリアクリル酸とポリアクリル酸ナトリウムとを溶解した２３℃においてゲル状の含水水溶性高分子（又は吸水性高分子とも言う）を使用し、そのゲル状の含水水溶性高分子を柔軟なプラスチック製袋容器の中に充填密封した密封冷却媒体８であって、約−２０℃〜約−１０℃に冷却した繰返型密封冷却媒体８。
（ａ−ｉｉ）ジエチレングリコール、プロピレングリコール、グリセリン（多価アルコールの一種）を主成分とする粘性状の冷媒を柔軟なプラスチック製袋容器の中に密封充填した密封冷却媒体８であって、約−２０℃〜約−１０℃に冷却した繰返型密封冷却媒体８。
（ａ−ｉｉｉ）水とカルボキシメチルセルロースとプロピレングリコールとを含有するゲル状の冷媒を柔軟なプラスチック製袋容器の中に密封充填した密封冷却媒体８であって、約−２０℃〜約−１０℃に冷却した繰返型密封冷却媒体８。
（ｂ）「外部衝撃により冷却可能な冷媒が密封容器に充填された密封冷却媒体」としての、水と小袋に詰められた硝酸アンモニウムとを含有する反応性冷媒を柔軟なプラスチック製袋容器の中に密封充填した反応型密封冷却媒体８。
（ｃ−ｉｉｉ）水（又は、水とアルコールとの混合液）を所定形状のガーゼに浸漬したものを約−１０℃〜約０℃に冷却した湿布型冷却媒体８。【０３００】  上記の密封冷却媒体８に構成される柔軟なプラスチック製袋容器としては、所定形状に形成された内層ポリエチレンと中間層ポリエチレンテレフタレートと外層ポリアミド（冷媒の種類と使用方法等の説明が印刷されている）とのラミネートプラスチックフィルム製袋容器が使用される。内層ポリエチレン層は熱融着可能であり、このラミネートプラスチックフィルムを熱融着することにより、任意の形状のフィルム製袋容器、及び、複数個に分割されるとともに互いに連結された複数個分割連結密封冷却媒体を容易に調製できる。【０３０１】  上記の冷却媒体８は、状況に応じて、適切な冷却媒体が選択されて使用される。図１に示されるように、冷却媒体８がそれぞれの収納部（４１、４２、４３）に収納及び取出し可能に収納して使用される。
特に、本実施例においては、図１に示されるように、それぞれの収納部の広さ面積が広いために、複数個に分割されるとともに互いに連結された屈曲自在に形成された複数個分割連結密封冷却媒体の使用が望ましい。【０３０２】  本実施例において、上記の（ａ−ｉ）ゲル状含水水溶性高分子を充填した繰返型密封冷却媒体８、及び、（ａ−ｉｉ）多価アルコール含有冷媒を充填した繰返型密封冷却媒体８、（ａ−ｉｉｉ）水、水溶性高分子、多価アルコールを含有した冷媒を充填した繰返型密封冷却媒体８、及び、（ｂ）反応型密封冷却媒体８のそれぞれの密封冷却媒体８は、図１の（Ａ）に示されるような、略長方形の３つに分割されるとともに互いに屈曲自在に連結された複数個分割連結密封冷却媒体、及び、（Ｂ）に示されるような、略半円形状を有する３つに分割されるとともに互いに屈曲自在に連結された複数個分割連結密封冷却媒体が使用される。図１（Ａ）、（Ｂ）の複数個分割連結密封冷却媒体８は、第一分割冷却媒体８ａ、第二分割冷却媒体８ｂ、第三分割冷却媒体８ｃに分割された形状を有する。
（Ａ）に示されるような略長方形の繰返型密封冷却媒体８は、略長方形を有する中央収納部４１の中に収納及び取出し可能に収納される。（Ｂ）に示されるような略半円形の繰返型密封冷却媒体８は、略半円形を有する左側頭収納部４２と右側頭収納部４３の中にそれぞれ収納及び取出し可能に収納される。
このように、使用されるそれぞれの冷却媒体８は、収納部４の形状に合致するとともに未収納領域が少なくなるようにした相似形の形状を有する。本実施例では、冷却媒体８の平面形状がそれぞれの収納部４の面積の約７５〜約９５％になるような平面形状であって厚さが約１０ｍｍの冷却媒体８が使用される。【０３０３】  なお、冷却媒体８の大きさに起因して、構成される冷媒の含有量が異なり、冷却媒体８の厚さが厚くなるにしたがって、含有される冷媒の含有量が多くなり、人体頭部に装着して使用した場合に、冷却保持時間が長く維持できる頭部冷却用具が得られる。しかしながら、含有される冷媒の含有量が多くなるにしたがって、重くなり不愉快な装着感となる。これらの点を勘案して、最適な厚さと重さを有する冷却媒体８を設計使用する必要がある。
このような、それぞれの冷却された冷却媒体８をそれぞれの複数個を準備し、人体頭部に装着して使用し、冷却媒体８の温度が上昇した場合に、それらの冷却媒体８を、別に準備した冷却された冷却媒体８に取り換えて使用する。使用後の冷却媒体８は再度、冷凍庫等の中で冷却される。このようにして、冷却媒体８を繰り返して使用することができる。【０３０４】  本実施例の頭部冷却用具の他の特徴は、シート状表面部材２とシート状内面部材３との双方の構成素材として、縫製により、シート状表面部材２とシート状内面部材３とを所望形状の収納部を有する頭部冷却用具を製造できるとともに、加熱による融着加熱により互いの素材を融着して接合できる熱融着性接着テープ又はホットメルト接着剤などにより互いに接合することが可能な、シート状フェルト材製断熱性素材を構成した点である。加熱による融着加熱により互いの素材を融着して接合できる熱融着性接着テープを使用して頭部冷却用具を製造する方法により、縫製方法と比べて、より安価に量産することが可能となる利点がある。【０３０５】実施例１７
本発明の一実施例の頭部冷却用具の外観模式図が図２に示される。図２において、（Ａ）は頭部冷却用具を表面の上方から見た概略模式図、（Ｂ）は頭部冷却用具を表面の左側面から見た概略模式図（括弧内は右側面から見た概略模式図）、（Ｃ）は頭部冷却用具の内面を下方から見た概略模式図、（Ｄ）は頭部冷却用具を表面の前方又は後方から見た概略模式図、（Ｅ）は頭部冷却用具の内面の前（後）を見た概略模式図である。【０３０６】  図２において、頭部冷却用具は、人体頭部全体を覆って装着可能な略半球形状を有し、頭部に装着された時に、該頭部に接触するシート状内面部材３と外表面側に位置するシート状表面部材２とにより形成された収納部４と、収納部４の中に脱収納自在に収納された冷却性能を有する冷却媒体８とを備える。
収納部４は平面方向に複数個に分割された複数個の収納部４を有するとともに、互いに一体に形成されてなる。該複数個の収納部４は、人体の額部から頭頂部を経て後頭部までを連続して覆う中央収納部４１と、人体の左側頭部を覆う左側頭収納４１３とを有し、左側頭収納部４２は左前側頭収納部４２１と左後側頭収納部４２２とを有する。中央収納部４１は額収納部４１１と頭頂収納部４１２と後頭収納部４１３とを有し、左側頭収納部４２は左前側頭収納部４２１と左後側頭収納部４２２とを有し、右側頭収納部４３は右前側頭収納部４３１と右後側頭収納部４３２とを有する。これらの複数個の収納部４は、互いに隣り合って形成されるとともに、一体に形成されてなる。【０３０７】  図５（Ａ）に示すように、シート状表面部材２は積層された複数種類の表面素材より構成され、複数種類の表面素材２は、少なくとも、（Ａ）表面部材最表層２１に構成される所望の機能を有する所望機能性素材２１と、（Ｂ）表面部材中間層２２に構成される断熱性能を有する断熱性素材２２、及び、（Ｃ）最裏層２３に構成される、冷却媒体８を収納した状態において破損なく使用可能な機械的強度を有する冷却媒体保持素材２３、を備える。【０３０８】  具体的には、（Ａ）表面部材最表層２１として、所望機能性素材２１としてのポリエステル繊維とポリプロピレン繊維を含有する熱融着可能な不織布製であって、柔軟性、良汚染耐性、良機械的強度を有する、厚さが約０．３ｍｍの薄い布状不織布が使用される。（Ｂ）表面部材中間層２２として、熱伝導断熱素材２２としての厚さ約５ｍｍの綿状のポリエステル繊維とポリエチレン繊維を含有する熱融着可能な不織布製であって、優れた断熱性を有する不織布製断熱性不織布２２（嵩密度：約５０ｇ／平米）が使用される。
（Ｃ）表面部材最裏層２３として、ポリエステル繊維とポリプロピレン繊維を含有する熱融着可能な不織布製であって、柔軟性、良汚染耐性、良機械的強度を有する、厚さが約０．３ｍｍの薄い布状不織布が使用される。本実施例においては、表面部材最表層２１に構成される布状不織布と表面部材最裏層２３に構成される布状不織布は互いに同じ不織布である。【０３０９】  なお、表面部材最表層２１と表面部材最裏層２３として使用される０．３ｍｍの薄い布状不織布は汎用の同じ厚さの織布と比べて若干の高い断熱性能を有するが、本実施例においては、断熱性を付与する目的ではなく、柔軟性、良汚染耐性、良機械的強度などの機能を付与するとともに、加熱による熱融着による接合可能な素材としての機能を付与する目的で構成している。【０３１０】  シート状内面部材３としては、シート状表面部材２に構成される素材と同じ素材を使用して積層した（Ａ）熱融着可能な不織布製の内面部材最表層３１、（Ｂ）熱融着可能な不織布製断熱性不織布製の内面部材中間層３２、（Ｃ）熱融着可能な不織布製の内面部材最裏層３３が構成される。【０３１１】  シート状表面部材２とシート状内面部材３に構成される不織布製繊維には抗菌性処理（銀イオン含有抗菌材）を施した繊維素材が使用される。【０３１２】  上記のようなシート状表面部材２とシート状内面部材３とを使用して、所定の形状に裁断し、それらの裁断されたシート状表面部材２とシート状内面部材３とを高周波熱融着接合装置を使用して互いの熱融着により接合して、図２に示されるような、それぞれの収納部が、互いに隣り合って形成されるとともに、一体に形成されてなる複数個の収納部４を有する頭部冷却用具を調製する。【０３１３】  本実施例において、図２に示されるように、さらに、収納部４の下側縁に設置された装着脱落防止部材５を備える。装着脱落防止部材５は人体頭部からの脱落を防止する機能を奏する。本実施例における装着脱落防止部材５は、前述のシート状表面部材２とシート状内面部材３とを使用して、収納部４の下側縁の全周囲に形成された伸縮性部材収納部の中にゴム製伸縮紐を設置した構成である。【０３１４】  装着脱落防止部材５の長さは約５６ｃｍである。すなわち、本実施例の頭部冷却用具の外観は略半球形状を有し、その略半球形状の内周の円周長さは略５６ｃｍである。【０３１５】  本実施例において、図２に示されるように、それぞれの収納部４は、収納開口部４ａとして、シート状内面部材３に形成された内面部材開口部３ａを備える。その内面部材開口部３ａとして、額収納部開口部４１１ａ、頭頂収納部開口部４１２ａ、後頭収納部開口部４１３ａ、左前側頭収納部開口部４２１ａ、左後側頭収納部開口部４２２ａ、右前側頭収納部開口部４３１ａ、右後側頭収納部開口部４３２ａのそれぞれの収納開口部４ａを備え、それぞれの収納開口部４ａは、それぞれの冷却媒体８の出し入れが可能な形状を有する。【０３１６】  それぞれの収納開口部４１１ａ、４１２ａ、４１３ａ、４２１ａ、４２２ａ、４３１ａ、４３２ａは、それぞれの収納部の略中央部を通る仮想線上に形成され、収納部の中に冷却媒体８を収納しやすくする機能と、収納部に収納された冷却媒体８の飛び出しを抑制す��機能とを奏する。
本実施例において、図２（Ｃ）に示されるように、額収納部開口部４１１ａ、頭頂収納部開口部４１２ａ、後頭収納部開口部４１３ａは、額収納部４１１、頭頂収納部４１２、後頭収納部４１３のそれぞれの収納部の略中央部を通るとともに前頭部から頭頂部を経て後頭部に至る仮想線上に形成されている。また、図２（Ｄ）、（Ｅ）に示されるように、左前側頭収納部開口部４２１ａ、左後側頭収納部開口部４２２ａ、右前側頭収納部開口部４３１ａ、右後側頭収納部開口部４３２ａは、左前側頭収納部４２１、左後側頭収納部４２２、右前側頭収納部４３１、右後側頭収納部４３２のそれぞれの収納部の略中央部を通るとともに前側頭部から後側頭部に至る仮想線上に形成されている。これにより、収納部４の中に収納されている冷内面部材開口部３ａから脱落することが防止される。【０３１７】  図２、図７（Ｂ）に示されるように、それぞれの内面部材開口部３ａ（収納開口部４ａ）は、互いに重なり合う内面部材二重開口縁部３ａを有し、二重開口縁部３ａは、収納部４の中に収納されている冷却媒体８の飛び出しを抑制する機能を奏する。これにより、上記の収納部４の中に収納されている冷却媒体８の端部が内面部材開口部３ａから離れた位置に位置するとともに、その開口部が二重に形成されているために、冷却媒体８が該内面部材開口部３ａから脱落することが防止される効果が更に著しく発揮される。【０３１８】  なお、本実施例において、図７（Ｄ）に示されるような内面部材開口部連結部材３ｂを前述の、二重開口縁部３ａの少なくとも一部分に設置した構成も実施可能であり、これにより、前述の冷却媒体８が該内面部材開口部３ａから脱落することが防止される効果が更に著しく発揮される。内面部材開口部連結部材３ｂとしては、例えば、平面ファスナー（商品名：マジックテープ）が望ましい。【０３１９】  本実施例において、さらに、図１１の（Ａ）に示されるように、収納部４の後頭部の下側縁に取付取外自在に設置可能な首部収納部６と、首部収納部６の中に収納自在に収納された冷却媒体８を備える。首部収納部６は前述のシート状表面部材２とシート状内面部材３と同じ仕様構成が実施可能であり、首部に接する側にシート状内面部材３が構成される。
首部収納部５は汎用の面ファスナーにより、頭部冷却用具の後下縁に取り付け及び取外し可能に設置可能である。さらに、首部収納部５は二重開口部縁部を有し、その二重開口部縁部を介して冷却媒体８が収納される。
なお、この首部収納部６を取付設置しない状態で、頭部冷却用具を装着することが可能である。【０３２０】  本実施例においては、冷却媒体８としては、前述の実施例１７と同じ種類の冷却媒体８が使用できる。【０３２１】  上記の冷却媒体８は、状況に応じて、適切な冷却媒体が選択されて使用される。図２に示されるように、冷却媒体８がそれぞれの収納部に収納及び取出し可能に収納して使用される。【０３２２】  本実施例において、上記の（ａ−ｉ）ゲル状含水水溶性高分子を充填した繰返型密封冷却媒体８、及び、（ａ−ｉｉ）多価アルコール含有冷媒を充填した繰返型密封冷却媒体８、（ａ−ｉｉｉ）水、水溶性高分子、多価アルコールを含有した冷媒を充填した繰返型密封冷却媒体８、及び、（ｂ）反応型密封冷却媒体８のそれぞれの密封冷却媒体８は、それぞれの収納部４の形状に略相似形の形状を有する。すなわち、図２の（Ａ）、（Ｃ）に示されるような、略正方形（略長方形）密封冷却媒体、及び、（Ｂ）に示されるような、略扇型密封冷却媒体が使用される。（Ａ）、（Ｃ）に示されるような略正方形の繰返型密封冷却媒体８は、中央収納部４１の分割された略正方形のそれぞれの額収納部４１１、頭頂収納部４１２、後頭収納部４１３の中に収納及び取出し可能に収納される。（Ｂ）に示されるような略扇型の繰返型密封冷却媒体８は、略扇型を有する左前側頭収納部４２１、左後側頭収納部４２２、右前側頭収納部４３１、右後側頭収納部４３２の中にそれぞれ収納及び取出し可能に収納される。
このように、使用されるそれぞれの冷却媒体８は、収納部４の形状に合致するとともに未収納領域が少なくなるようにした相似形の形状を有する。本実施例では、冷却媒体８の平面形状がそれぞれの収納部４の面積の約７５〜約９５％になるような平面形状であって、厚さが約１０ｍｍの冷却媒体８が使用される。【０３２３】  なお、冷却媒体８の大きさに起因して、構成される冷媒の含有量が異なり、冷却媒体８の厚さが厚くなるにしたがって、含有される冷媒の含有量が多くなり、人体頭部に装着して使用した場合に、冷却保持時間が長く維持できる頭部冷却用具が得られる。しかしながら、含有される冷媒の含有量が多くなるにしたがって、重くなり不愉快な装着感となる。これらの点を勘案して、最適な厚さと重さを有する冷却媒体８を設計使用する必要がある。【０３２４】  このような、それぞれの冷却された冷却媒体８をそれぞれの複数個を準備し、人体頭部に装着して使用し、冷却媒体８の温度が上昇した場合に、それらの冷却媒体８を、別に準備した冷却された冷却媒体８に取り換えて使用する。使用後の冷却媒体８は再度、冷凍庫等の中で冷却される。このようにして、冷却媒体８を繰り返して使用することができる。【０３２５】  本実施例の頭部冷却用具の他の特徴は、シート状表面部材２とシート状内面部材３との双方の構成素材として、加熱による熱融着にすべての構成素材を互いに接合して複数個の収納部を形成した頭部冷却用具を製造できるような不織布製素材を構成した点である。これにより、縫製による製造法と比べて、著しく安価に、頭部冷却用具を量産できる利点がある。さらに、この製法に限定されることなく、熱融着性接着テープ又はホットメルト接着剤を使用して互いの素材を接合して製造することも可能である。【０３２６】実施例１８
本発明の一実施例の頭部冷却用具の外観模式図が図３に示される。図３において、（Ａ）は頭部冷却用具を表面の上方から見た概略模式図、（Ｂ）は頭部冷却用具を表面の左側面から見た概略模式図（括弧内は右側面から見た概略模式図）、（Ｃ）は頭部冷却用具の内面を下方から見た概略模式図、（Ｄ）は頭部冷却用具を表面の前方（又は後方）から見た概略模式図、（Ｅ）頭部冷却用具の内面の前（後）を見た概略模式図である。【０３２７】  図３において、頭部冷却用具は、人体頭部全体を覆って装着可能な略半球形状を有し、頭部に装着された時に、該頭部に接触するシート状内面部材３と外表面側に位置するシート状表面部材２とにより形成された収納部４と、収納部４の中に脱収納自在に収納された冷却性能を有する冷却媒体８とを備える。
収納部４は平面方向に複数個に分割された複数個の収納部４を有するとともに、互いに一体に形成されてなる。該複数個の収納部４は、人体の額部から頭頂部を経て後頭部までを連続して覆う中央収納部４１と、人体の左側頭部を覆う左側頭収納部４２と、人体の右側頭部を覆う右側頭収納部４３とを有し、互いに隣り合って形成されるとともに、一体に形成されてなる。中央収納部４１は額収納部４１１と頭頂収納部４１２と後頭収納部４１３とを有する。
シート状表面部材２に収納開口部４ａ（表面部材開口部２ａ）を有する。
左側頭収納部４２と右側頭収納部４３には複数個に分割され互いに連結された複数個分割連結密封冷却媒体８ａ，８ｂ，８ｃが収納され、中央収納部４１の額収納部４１１と頭頂収納部４１２と後頭収納部４１３には複数個に分割されることなく単一構成形状の密封冷却媒体８が収納される。【０３２８】  シート状表面部材２は、シート状内面部材３より表裏方向において高い断熱性能を有する断熱性素材が少なくとも構成されている。
図５（Ｂ）に示すように、シート状表面部材２は積層された複数種類の表面素材より構成され、複数種類の表面素材２は、少なくとも、（Ａ）表面部材最表層２１に構成される、所望の機能を有する所望機能性素材２１と、（Ｂ）表面部材中間層２２に構成される、シート状内面部材３より高い断熱性能を有する断熱性素材２２、及び、（Ｃ）最裏層２３に構成される、冷却媒体８を収納した状態において破損なく使用可能な機械的強度を有する冷却媒体保持素材２３、を備える。さらに詳しくは、本実施例において、シート状表面部材２は、図５の（Ｂ）に示さるように、表面部材中間層２２に構成されるシート状内面部材３より高い断熱性能を有する断熱性素材２２として、熱伝導断熱素材２２ａとしての断熱性不織布２２ａと、金属膜輻射断熱素材２２ｂとしての基材付金属薄膜素材２２ｂとが積層されて構成される。【０３２９】  具体的には、（Ａ）表面部材最表層２１として、所望機能性素材２１としてのポリエステル繊維とポリプロピレン繊維を含有する熱融着可能な不織布製であって、柔軟性、良汚染耐性、良機械的強度を有する、厚さが約０．３ｍｍの薄い布状不織布が使用される。
（Ｂ）表面部材中間層２２として、熱伝導断熱素材２２ａとしての厚さ約５ｍｍの綿状のポリエステル短繊維とポリエチレン繊維を含有する熱融着可能な不織布製であって、優れた断熱性を有する断熱性不織布２２ａ（嵩密度：約５０ｇ／平米）と、金属膜輻射断熱素材２２ｂとしての厚さ約０．５ｍｍの紙状のポリエチレン繊維とポリエステル繊維を含有する熱融着可能な不織布基材に厚さ約１μｍのアルミ製金属薄膜を付着形成した基材付金属薄膜素材２２ｂとが積層されて構成される断熱性素材２２が使用される。この場合、厚さ約０．５ｍｍの紙状の不織布基材がわずかな断熱性能を有し、厚さ約１μｍのアルミ製金属薄膜を付着形成した基材付金属薄膜素材２２ｂは、図５の（Ｃ）に示される輻射熱伝導熱断熱素材２２ｃと同じ素材（機能）を兼ね備える。
（Ｃ）表面部材最裏層２３として、ポリエステル繊維とポリプロピレン繊維を含有する熱融着可能な不織布製であって、柔軟性、良汚染耐性、良機械的強度を有する、厚さが約０．３ｍｍの薄い布状不織布が使用される。本実施例においては、表面部材最表層２１に構成される布状不織布と表面部材最裏層２３に構成される布状不織布は互いに同じ不織布である。
なお、表面部材最表層２１と表面部材最裏層２３として使用される０．３ｍｍの薄い布状不織布は汎用の同じ厚さの織布と比べて若干の高い断熱性能を有するが、本実施例においては、断熱性を付与する目的ではなく、柔軟性、良汚染耐性、良機械的強度などの機能を付与するとともに、加熱による熱融着による接合可能な素材としての機能を付与する目的で構成している。【０３３０】  シート状内面部材３としては、上記のシート状表面部材２の構成における基材付金属薄膜素材２２ｂが含有されない構成であり、シート状内面部材３がシート状表面部材２よりも表裏方向において小さい断熱性能を有する構成である。
すなわち、（Ａ）内面部材最表層３１として、所望機能性素材３１としてのポリエステル繊維とポリプロピレン繊維を含有する熱融着可能な不織布製であって、柔軟性、良汚染耐性、良機械的強度を有する、厚さが約０．３ｍｍの薄い布状不織布が使用される。
（Ｂ内面部材中間層３２として、熱伝導断熱素材３２ａとしての厚さ約５ｍｍの綿状のポリエステル短繊維とポリエチレン繊維を含有する熱融着可能な不織布製であって、優れた断熱性を有する断熱性不織布２２ａ（嵩密度：約５０ｇ／平米）を有する断熱性素材２２が使用される。
（Ｃ）内面部材最裏層３３として、ポリエステル繊維とポリプロピレン繊維を含有する熱融着可能な不織布製であって、柔軟性、良汚染耐性、良機械的強度を有する、厚さが約０．３ｍｍの薄い布状不織布が使用される。本実施例においては、内面部材最表層２１に構成される布状不織布と内面部材最裏層２３に構成される布状不織布は互いに同じ不織布である。
なお、内面部材最表層３１と内面部材最裏層３３として使用される０．３ｍｍの薄い布状不織布は汎用の同じ厚さの織布と比べて若干の高い断熱性能を有するが、本実施例においては、断熱性を付与する目的ではなく、柔軟性、良汚染耐性、良機械的強度などの機能を付与するとともに、加熱による熱融着による接合可能な素材としての機能を付与する目的で構成している。【０３３１】  シート状表面部材２とシート状内面部材３に構成される不織布製繊維には抗菌性処理（銀イオン含有抗菌材）を施した繊維素材が使用される。【０３３２】  上記のようなシート状表面部材２とシート状内面部材３とを使用して、所定の形状に裁断し、それらの裁断されたシート状表面部材２とシート状内面部材３とを高周波加熱装置を使用して互いに溶融接合して、図３に示されるような、中央収納部４１と左側頭収納部４２と右側頭収納部４３とを有し、互いに隣り合って形成されるとともに、一体に形成されてなる複数個の収納部４を有する頭部冷却用具を調製する。【０３３３】  本実施例において、図３に示されるように、さらに、収納部４の下側縁に設置された装着脱落防止部材５を備える。装着脱落防止部材５は人体頭部からの脱落を防止する機能を奏する。本実施例における装着脱落防止部材５は、前述のシート状表面部材２とシート状内面部材３とを使用して、収納部４の下側縁の全周囲に形成された伸縮性部材収納部の中にゴム製伸縮紐を設置した構成である。【０３３４】  装着脱落防止部材５の長さは約５６ｃｍである。すなわち、本実施例の頭部冷却用具の外観は略半球形状を有し、その略半球形状の内周の円周長さは略５６ｃｍである。【０３３５】  本実施例において、図３に示されるように、それぞれの収納部４は、シート状表面部材２に形成された表面部材開口部２ａを備える。表面部材開口部２ａとして、中央収納部４１に形成された中央収納部開口部４１ａ、左側頭収納部４２に形成された左側頭収納部開口部４２ａ、右側頭収納部４３に形成された右側頭収納部開口部４３ａなどの収納開口部４ａを備える。中央収納部開口部４１ａは額収納部４１１に開口された額収納部開口部４１１ａ、頭頂収納部４１２に開口された頭頂収納部開口部４１２ａ、後頭収納部４１３に開口された後頭収納部開口部４１３ａを有する。それぞれの収納開口部４１１ａ、４１２ａ、４１３ａ、４２ａ、４３ａは、それぞれの冷却媒体８の出し入れが可能な形状を有する。【０３３６】本実施例において、それぞれの収納開口部４ａは、（ｉｉ）それぞれの収納部の略端部を通る仮想線上に形成されてなる。すなわち、それぞれの収納開口部４１１ａ、４１２ａ、４１３ａ、４２ａ、４３ａは、それぞれの収納部の略端部を通る仮想線上に形成され、収納部の中に冷却媒体８を収納しやすくする機能と、収納部に収納された冷却媒体８の飛び出しを抑制する機能とを奏する。
中央収納部開口部４１ａ（４１１ａ、４１２ａ、４１３ａ）は、図３（Ａ）に示されるように、中央収納部４１の略端部を通る仮想線上に形成されている。図３（Ｂ）に示されるように、左側頭収納部開口部４２ａは左側頭収納部４２の略端部（下側端部）を通る仮想線上に形成され、右側頭収納部開口部４３ａは右側頭収納部４３の略端部（下側端部）を通る仮想線上に形成されている。これにより、収納部４の中に収納されている冷却媒体８の端部が表面部材開口部２ａから離れた位置に位置するために、冷却媒体８が該表面部材開口部２ａから脱落することが防止される。【０３３７】  図３、図７（Ｃ）に示されるように、それぞれの表面部材開口部２ａ（収納開口部４ａ）は、互いに重なり合う表面部材二重開口縁部２ａを有し、二重開口縁部２ａは、収納部４の中に収納されている冷却媒体８の飛び出しを抑制する機能を奏する。これにより、上記の収納部４の中に収納されている冷却媒体８の端部が表面部材開口部２ａから離れた位置に位置するとともに、その開口部が二重に形成されているために、冷却媒体８が該表面部材開口部２ａから脱落することが防止される効果が更に著しく発揮される。
図３（Ａ）に示されるように、額収納部４１１、頭頂収納部４１２、後頭収納部４１３に分割された中央収納部４１を形成するシート状表面部材においては、右側頭収納部の側（図３（Ａ）の上側）から収納部の端部付近まで延びる広い幅を有する広幅シート状表面部材と、その広幅シート状表面部材を覆う形状で形成された、左側頭収納部の側から延びる狭い幅を有する狭幅シート状表面部材との２重のシート状表面部材により形成され、それらの解放口が中央収納部４１の略端部を通る仮想線上である左側頭収納部の側に形成される形状で構成される。
他方、図３（Ｂ）に示されるように、複数個に分割された収納部を構成しない単一の収納部により形成される左側頭収納部４２と右側頭収納部４３においては、人体耳部の側（図３（Ｂ）の下側）から延びる狭い幅を有する狭幅シート状表面部材と、その狭幅シート状表面部材を覆う形状で形成された、人体頭頂部の側から耳部の端部付近まで延びる広い幅を有する広幅シート状表面部材との２重のシート状表面部材により形成され、それらの解放口が左側頭収納部４２（又は右側頭収納部４３）の略端部を通る仮想線上である人体耳部側の略端部に形成される形状で構成される。
これにより、頭部冷却用具を裁縫により製造する際に、特別な工夫を必要とすることなく、容易に頭部冷却用具を製造するることができる。【０３３８】  なお、本実施例において、図７（Ｃ）に示されるような表面部材開口部連結部材２ｂを前述の、二重開口縁部２ａの少なくとも一部分に設置した構成も実施可能であり、これにより、前述の冷却媒体８が該表面部材開口部２ａから脱落することが防止される効果が更に著しく発揮される。表面部材開口部連結部材２ｂとしては、例えば、平面ファスナー（商品名：マジックテープ）が望ましい。【０３３９】  本実施例において、さらに、図１１の（Ａ）に示されるように、収納部４の後頭部の下側縁に取付取外自在に設置可能な首部収納部６と、首部収納部６の中に収納自在に収納された冷却媒体８を備える。首部収納部６は前述のシート状表面部材２とシート状内面部材３と同じ仕様構成が実施可能であり、首部に接する側にシート状内面部材３が構成される。
首部収納部５は汎用の面ファスナーにより、頭部冷却用具の後下縁に取り付け及び取外し可能に設置可能である。さらに、首部収納部５は二重開口部縁部を有し、その二重開口部縁部を介して冷却媒体８が収納される。
なお、この首部収納部６を取付設置しない状態で、頭部冷却用具を装着することも実施可能である。【０３４０】  本実施例においては、冷却媒体８としては、前述の実施例１７と同じ種類の冷却媒体８が使用できる。【０３４１】  上記の冷却媒体８は、状況に応じて、適切な冷却媒体が選択されて使用される。図３に示されるように、冷却媒体８がそれぞれの収納部に収納及び取出し可能に収納して使用される。
特に、図３に示されるように、比較的に広い面積を有する左側頭収納部４２と右側頭収納部４３に収納される冷却媒体としては、複数個に分割されるとともに互いに屈曲自在に連結された複数個分割連結密封冷却媒体の使用が望ましい。比較的狭い面積を有する中央収納部４１の額収納部４１１と頭頂収納部４１２と後頭収納部４１３とにには、分割されていない単一構造の密封冷却媒体の使用が望ましい。【０３４２】  本実施例において、上記の（ａ−ｉ）ゲル状含水水溶性高分子を充填した繰返型密封冷却媒体８、及び、（ａ−ｉｉ）多価アルコール含有冷媒を充填した繰返型密封冷却媒体８、（ａ−ｉｉｉ）水、水溶性高分子、多価アルコールを含有した冷媒を充填した繰返型密封冷却媒体８、及び、（ｂ）反応型密封冷却媒体８のそれぞれの密封冷却媒体８は、図３の（Ａ）に示されるような、略長方形又は略正方形の密封冷却媒体、及び、（Ｂ）に示されるような、略半円形状を有する３つに分割されるとともに互いに屈曲自在に連結された複数個分割連結密封冷却媒体が使用される。図３（Ｂ）の複数個分割連結密封冷却媒体８は、第一分割冷却媒体８ａ、第二分割冷却媒体８ｂ、第三分割冷却媒体８ｃに分割された形状を有する。
（Ａ）に示されるような略長方形（略正方形）の繰返型密封冷却媒体８が、略長方形（略正方形）を有する中央収納部４１の額収納部４１１と頭頂収納部４１２と後頭収納部４１３の中にそれぞれ収納及び取出し可能に収納される。（Ｂ）に示されるような略半円形の複数個分割連結密封冷却媒体８は、略半円形を有する左側頭収納部４２と右側頭収納部４３の中にそれぞれ収納及び取出し可能に収納される。
このように、使用されるそれぞれの冷却媒体８は、収納部４の形状に合致するとともに未収納領域が少なくなるようにした相似形の形状を有する。本実施例では、冷却媒体８の平面形状がそれぞれの収納部４の面積の約７５〜約９５％になるような平面形状であって、厚さが約１０ｍｍの冷却媒体８が使用される。【０３４３】  なお、冷却媒体８の大きさに起因して、構成される冷媒の含有量が異なり、冷却媒体８の厚さが厚くなるにしたがって、含有される冷媒の含有量が多くなり、人体頭部に装着して使用した場合に、冷却保持時間が長く維持できる頭部冷却用具が得られる。しかしながら、含有される冷媒の含有量が多くなるにしたがって、重くなり不愉快な装着感となる。これらの点を勘案して、最適な厚さと重さを有する冷却媒体８を設計使用する必要がある。【０３４４】  このような、それぞれの冷却された冷却媒体８をそれぞれの複数個を準備し、人体頭部に装着して使用し、冷却媒体８の温度が上昇した場合に、それらの冷却媒体８を、別に準備した冷却された冷却媒体８に取り換えて使用する。使用後の冷却媒体８は再度、冷凍庫等の中で冷却される。このようにして、冷却媒体８を繰り返して使用することができる。【０３４５】  本実施例の頭部冷却用具の他の特徴は、シート状表面部材２とシート状内面部材３との双方の構成素材として、加熱による熱融着にすべての構成素材を互いに接合して複数個の収納部を形成した頭部冷却用具を製造できるような不織布製素材を構成した点である。これにより、縫製による製造法と比べて、著しく安価に、頭部冷却用具を量産できる利点がある。【０３４６】実施例１９
前述の実施例１１において調整したプロピレングリコール１２重量％とカルボキシメチルセルロース３重量％と水８５重量％とを含有する２５℃の室温で互いに溶解された透明でゲル状を有する粘性の混合媒体を、プラスチックフィルムラミネート製容器に充填した複数種類の密封冷却媒体８を準備する。
これらのそれぞれの密封冷却媒体８及び複数個分割連結密封冷却媒体８の大きさ形状は、頭部冷却用具のそれぞれの収納部４の形状に相似形の形状を有するとともに、約１０ｍｍの厚さ形状を有し、収納部４に密封冷却媒体８を収納した時に約０．１〜約３ｍｍの余白がある大きさを有するような大きさ形状である。
実施例１１で調製した密封冷却媒体８及び／又は複数個分割連結密封冷却媒体８を前述の実施例１６〜実施例１８で調製した頭部冷却用具の収納部に収納し、その冷却媒体を収納したそれぞれの頭部冷却用を人体頭部に装着して、装着後の経過時間毎において、冷却媒体８を収納している収納部の人体頭部に接触している側のの温度を測定した。
すなわち、調製した密封冷却媒体８を、約−１０℃の冷蔵冷凍庫で冷却し、それらの密封冷却媒体８を実施例１６〜実施例１８の頭部冷却用具のそれぞれの収納部４に収納する。室温約２５℃のエアコン風の当たらない場所で、これらの頭部冷却用具を人体頭部に装着し、それぞれの収納されている密封冷却媒体８の位置する内面側のシート状部材の表面温度を経過時間毎に表面温度計（赤外線放射温度計ＩＳＫ−８７００ＩＩ）で測定する。それぞれの経過時間毎に、複数の収納部表面の温度を測定し、その平均値を算出する。
実施例１６〜実施例１８の頭部冷却用具についての測定結果を表４に示す。
約−１０℃の冷蔵冷凍庫で冷却した冷却媒体を収納部に収納したシート状内面部材の表面温度が−５℃になった時に人体頭部に装着して、その後の経過時間毎の温度を測定した。測定結果に基づき、密封冷却媒体８の位置する内面側のシート状部材の表面温度が「快冷」である温度「約２℃〜約１５℃」の場合を「快適装着時間」として総合評価し、それぞれの頭部冷却用具を装着した場合の総合評価も表４に示す。【０３４７】実施例２０
実施例１８で調製した頭部冷却用具を使用して、シート状表面部材側が人体頭部に接触するように裏返して装着し、内面の温度が約５℃になった時に、シート状内面部材側が人体頭部に接触するように戻して装着し、その後の経過時間毎の温度を測定した。測定結果を表４に示す。【０３４８】実施例２１
本実施例の頭部冷却用具が実施例１７と主として異なる点は、密封冷却媒体８が額収納部４１１と頭頂収納部４１２と後頭収納部４１３との中央収納部４１のみに収納され、左側頭収納部４２及び右側頭収納部４３には収納されていない点である。その他の構成は、上記の実施例１７と概略同じ構成である。本実施例の頭部冷却用具を使用して、人体頭部に装着し、その後の経過時間毎の温度を測定した。測定結果を表４に示す。【０３４９】
【表４】
0006654313.tif 000005
【０３５０】〈実施例１６の測定結果について〉
表４において、シート状表面部材２とシート状内面部材３の双方に、断熱性素材としてのシート状フェルト材製断熱性素材のみを構成した実施例１６の頭部冷却用具において、密封冷却媒体８の位置する内面側のシート状部材の表面温度が「約２℃〜約１５℃」の「快適装着時間」は約１２０分である。
すなわち、冷却媒体を収納するシート状表面部材２とシート状内面部材３の双方に断熱性素材を構成する頭部冷却用具は、シート状内面部材３（シート状表面部材２）に断熱性素材を構成しない場合と比べて、「快適装着時間」を永くすることができる【０３５１】〈実施例１７の測定結果について〉
シート状表面部材２とシート状内面部材３の双方に、表面部材最表層２１としての厚さが約０．３ｍｍの薄い布状不織布と，表面部材中間層２２としての厚さが約５ｍｍの熱融着可能な不織布製断熱性不織布２２と、表面部材最裏層２３としての厚さが約０．３ｍｍの薄い布状不織布とを構成した実施例１７の頭部冷却用具において、「快適装着時間」は約１５０分である。
すなわち、冷却媒体を収納するシート状表面部材２とシート状内面部材３の双方に断熱性素材を構成するとともに、実施例１６のシート状フェルト材製断熱性素材よりも優れた断熱性能を有する本実施例の不織布製断熱性不織布２２を構成した頭部冷却用具は、実施例１６の頭部冷却用具よりも永い「快適装着時間（約１５０分）を発揮する。【０３５２】〈実施例１８の測定結果について〉
シート状表面部材２とシート状内面部材３の双方に、厚さが約５ｍｍの熱融着可能な不織布製断熱性不織布を構成するとともに、シート状表面部材２に、更に、厚さ約１μｍのアルミ製金属薄膜を付着形成した基材付金属薄膜素材２２ｂを構成して、シート状表面部材２がシート状内面部材３よりも優れた断熱性能を有する実施例１８の頭部冷却用具において、「快適装着時間」は約１６５分である。
すなわち、実施例１７の頭部冷却用具よりも、シート状表面部材２に著しくすぐれた断熱性素材を構成することにより、若干に「快適装着時間」が永くなる。【０３５３】〈実施例２０の測定結果について〉
実施例１８の冷却用具を裏返して装着した場合の「快適装着時間」は約１８０分である。正常装着の場合と比べて、「快適装着時間」は約１５分永くなる。【０３５４】〈実施例２１の測定結果について〉
密封冷却媒体８が額収納部４１１と頭頂収納部４１２と後頭収納部４１３との中央収納部４１のみに収納され、左側頭収納部４２及び右側頭収納部４３には収納されていない実施例２０の頭部冷却用具において、「快適装着時間」は約９０分である。
すなわち、冷却媒体が全ての収納部に収納された実施例１７の頭部冷却用具と比べて、「快適装着時間」は著しく短くなる。【０３５５】〈実施例８の断熱素材を構成しない頭部冷却用具との比較について〉
シート状表面部材２とシート状内面部材３の双方にメッシュ状素材のみを構成し、断熱性素材を構成構成しない実施例８の頭部冷却用具の「快適装着時間」は約６０分である。この実施例８の頭部冷却用具と比べて、実施例１６〜実施例１８のシート状表面部材２とシート状内面部材３の双方に断熱性素材を構成した頭部冷却用具の「快適装着時間」は、１２０分〜１７５分であり、「快適装着時間」は著し永くなる。
すなわち、シート状表面部材２及び／又はシート状内面部材３に断熱性素材を構成した頭部冷却用具は、断熱素材を構成しない頭部冷却用具よりも永い「快適装着時間」を得ることができる。【０３５６】実施例２２
上記のそれぞれの実施例の頭部冷却用具において、図１１（Ａ）のような、  中央収納部４１の後頭収納部の下側縁にマジックテープにより取付取外自在に設置された首部収納部６と、前記首部収納部の中に収納自在に収納された密封冷却媒体を備えた頭部冷却用具を作製する。このような頭部冷却用具を人体頭部に装着して、上向きに寝た状態を維持することにより、人体の首部を効率的に冷却することができる。【０３５７】  なお、上記のそれぞれの実施例において、冷却媒体の温度が約２℃未満の冷え過ぎて不快感を感じる場合、（イ）収納する密封冷却媒体８の周囲にガーゼ、タオル又は布などの緩衝材を覆って、その緩衝材に覆われた冷却媒体８を収納部に設置する、又は、（ロ）シート状内面部材と人体頭部との間にガーゼ又は布などの緩衝材を介在させることにより、冷たすぎる感覚を抑制することも可能である。これにより、「快適装着時間」を更に永くすることができる。【０３５８】  上記の実施例において使用する密封冷却媒体８は、冷却と使用を繰り返して使用することが可能である。また、湿布型冷却媒体８は、ガーゼに含浸する水（又は氷水）を交換して、冷却と使用を繰返して使用することができる。
実施例１〜実施例８、実施例１６〜実施例１８のそれぞれの頭部冷却用具１を、汎用の電気洗濯機を使用して、約２０回を繰り返して洗濯しても、頭部冷却用具１を構成するシート状表面部材２及びシート状内面部材３の破損、劣化などは認めなれなかった。
特に、アルミ薄膜を構成した実施例１〜実施例５、実施例１８において、アルミ薄膜の破損を懸念していたが、約２０回の繰り返し洗濯においても、アルミ薄膜の破損は認められなく、繰り返し洗濯使用に耐える頭部冷却用具１が得られた。
【産業上の利用可能性】
【０３５９】  人体頭部に装着して使用した場合、頭部を冷却する冷却性能が優れ、長時間の冷却維持性能を有し、繰り返し使用が可能であり、快適な装着感を有する、等の優れた効果を奏する頭部冷却用具が得られる。
【符号の説明】
【０３６０】１  頭部冷却用具
２  シート状表面部材（積層表面部材、複数種類の表面素材）
２１  表面部材最表層（表面部材所望機能性素材、色彩的絵柄的装飾性素材）
２２  表面部材中間層（断熱性素材、輻射断熱素材、熱伝導断熱素材、輻射熱伝導熱断熱素材）
２２ａ  熱伝導断熱素材（断熱性不織布、発泡性樹脂、微細空洞孔形成繊維）
２２ｂ  金属膜輻射断熱素材（金属蒸着膜、金属箔、基材付金属薄膜素材）
２２ｃ  輻射熱伝導熱断熱素材
２３  表面部材最裏層（表面部材冷却媒体保持素材、表面素材メッシュ状貫通孔布素材）
２ａ  表面部材開口部（表面部材二重開口縁部）
２ｂ  表面部材開口部連結部材
３  シート状内面部材（内面部材通気性素材、貫通孔通気性素材、内面部材柔軟性素材、冷却媒体保持素材  内面部材メッシュ状貫通孔布素材）
３ａ  内面部材開口部（内面部材二重開口縁部）
３ｂ  内面部材開口部連結部材
３１  内面部材裏面素材
３２  内面部材柔軟性素材
３３  内面部材冷却媒体保持素材（内面部材メッシュ状貫通孔布素材）
４  収納部  複数個の収納部
４ａ  収納開口部
４１  中央収納部
４１ａ  中央収納部開口部
４１１  額収納部
４１１ａ  額収納部開口部
４１２  頭頂収納部
４１２ａ  頭頂収納部開口部
４１３  後頭収納部
４１３ａ  後頭収納部開口部
４２  左側頭収納部
４２ａ  左側頭収納部開口部
４２１  左前側頭収納部
４２１ａ  左前側頭収納部開口部
４２２  左後側頭収納部
４２２ａ  左後側頭収納部開口部
４３  右側頭収納部
４３ａ  右側頭収納部開口部
４３１  右前側頭収納部
４３１ａ  右前側頭収納部開口部
４３２  右後側頭収納部
４３２ａ  右後側頭収納部開口部
５  装着脱落防止部材
５ａ  装着脱落防止部材用係止部材
６  首部収納部
７  シート状頭部保護部材（伸縮性素材、ニット素材、綿素材）
８  冷却媒体（密封冷却媒体、粘性媒体、複数個分割連結密封冷却媒体）
８ａ  第一分割冷却媒体
８ｂ  第二分割冷却媒体
８ｃ  第三分割冷却媒体
【図１】
0006654313.tif 000006
【図２】
0006654313.tif 000007
【図３】
0006654313.tif 000008
【図４】
0006654313.tif 000009
【図５】
0006654313.tif 000010
【図６】
0006654313.tif 000011
【図７】
0006654313.tif 000012
【図８】
0006654313.tif 000013
【図９】
0006654313.tif 000014
【図１０】
0006654313.tif 000015
【図１１】
0006654313.tif 000016
【図１２】
0006654313.tif 000017
【図１３】
0006654313.tif 000018